(57)【要約】      （修正有）【課題】複数の印刷物をずれた状態で積載することで積載された印刷物が崩れやすくなってしまうことを、防止する。【解決手段】印刷装置からの印刷物を、後処理装置の積載手段へ積載可能にした印刷システムであって、印刷装置により印刷済みの第１の印刷物が積載された後処理装置の積載手段へ、第２の印刷物を第１の印刷物と特定量分ずれた状態で第１の印刷物の上に積載可能に構成され、且つ、少なくとも、後処理装置の種類に関わる情報に基づいて、積載手段が第２の印刷物を第１の印刷物と特定量分ずれた状態で第１の印刷物の上に積載することを禁止する制御手段を備えることを特徴とする。【選択図】図３８
2008150204.tif 000002
【特許請求の範囲】
【請求項１】
印刷装置からの印刷物を、後処理装置の積載手段へ積載可能にした印刷システムであって、
前記印刷システムは、前記印刷装置により印刷済みの第１の印刷物が積載された前記後処理装置の前記積載手段へ、第２の印刷物を前記第１の印刷物と特定量分ずれた状態で前記第１の印刷物の上に積載可能に構成され、
且つ、前記印刷システムは、
少なくとも、前記後処理装置の種類に関わる情報に基づいて、前記積載手段が前記第２の印刷物を前記第１の印刷物と特定量分ずれた状態で前記第１の印刷物の上に積載することを禁止する制御手段を備えることを特徴とする印刷システム。
【請求項２】
印刷装置からの印刷物を、後処理装置の積載手段に積載可能にした印刷システムであって、
前記印刷システムは、前記印刷装置により印刷済みの第１の印刷物が積載された前記後処理装置の前記積載手段へ、第２の印刷物を前記第１の印刷物と特定量分ずれた状態で前記第１の印刷物の上に積載可能に構成され、
且つ、前記印刷システムは、
少なくとも、前記第２の印刷物の積載量に関わる情報に基づいて、前記積載手段が前記第２の印刷物を前記第１の印刷物と特定量分ずれた状態で前記第１の印刷物の上に積載することを禁止する制御手段を備えることを特徴とする印刷システム。
【請求項３】
請求項１または請求項２に記載の印刷システムであって、
前記制御手段は、少なくとも
前記第２の印刷物の積載量に関わる情報と、
前記後処理装置の種類に関わる情報とに基づいて、前記積載手段が前記第２の印刷物を前記第１の印刷物と特定量分ずれた状態で前記第１の印刷物の上に積載することを禁止することを特徴とする印刷システム。
【請求項４】
請求項１から請求項３のいずれかに記載の印刷システムであって、
前記制御手段は、前記第２の印刷物の積載量が予め定められた第１の積載量より多い場合に、前記積載手段が前記第２の印刷物を前記第１の印刷物と特定量分ずれた状態で前記第１の印刷物の上に積載することを禁止することを特徴とする印刷システム。
【請求項５】
請求項１から請求項４の何れかに記載の印刷システムであって、
前記制御手段は、少なくとも
前記第１の印刷物の積載量に関わる情報と、
前記第２の印刷物の積載量に関わる情報と、
前記後処理装置の種類に関わる情報とに基づいて、前記積載手段が前記第２の印刷物を前記第１の印刷物と特定量分ずれた状態で前記第１の印刷物の上に積載することを禁止することを特徴とする印刷システム。
【請求項６】
請求項１から請求項５の何れかに記載の印刷システムであって、
前記制御手段は、
前記第１の印刷物の積載量が予め決められた第２の積載量より少ない場合に、前記積載手段が前記第２の印刷物を前記第１の印刷物と特定量分ずれた状態で前記第１の印刷物の上に積載することを許可することを特徴とする印刷システム。
【請求項７】
請求項１から請求項６の何れかに記載の印刷システムであって、
前記積載量は、前記積載手段に積載される１束分の印刷物の枚数または高さであることを特徴とする印刷システム。
【請求項８】
請求項１から請求項７の何れかに記載の印刷システムであって、
前記制御手段は、
前記後処理装置が印刷物の搬送を行う台車を着脱可能な後処理装置である場合に、前記積載手段が前記第２の印刷物を前記第１の印刷物と特定量分ずれた状態で前記第１の印刷物の上に積載することを禁止する制御手段とを備えることを特徴とする印刷システム。
【請求項９】
請求項１から請求項８の何れかに記載の印刷システムであって、
前記制御手段は、第１の印刷物とずれた状態で第２の印刷物を前記積載手段に積載させる場合に、
前記第２の印刷物の上に第３の印刷物を積載することを禁止することを特徴とする印刷システム。
【請求項１０】
請求項１から請求項９の何れかに記載の印刷システムであって、
前記印刷装置は、原稿搬送手段により搬送された原稿の読取りを行う第１の読取動作と、
前記原稿搬送手段による原稿の搬送を介さずに原稿の読取りを行う第２の読取動作のいずれかの読取動作によって読み取られた原稿の印刷処理を前記印刷物に対して実行可能であって、
前記制御手段は、
前記第２の印刷物が、前記第１の読取動作によって読み取られた原稿の印刷処理によるものである場合に、前記積載手段が前記第２の印刷物を前記第１の印刷物と特定量分ずれた状態で前記第１の印刷物の上に積載することを禁止し、
前記第２の印刷物が、前記第２の読取動作によって読み取られた原稿の印刷処理によるものである場合に、前記積載手段が前記第２の印刷物を前記第１の印刷物と特定量分ずれた状態で前記第１の印刷物の上に積載することを許可することを特徴とする印刷システム。
【請求項１１】
請求項１から請求項１０の何れかに記載の印刷システムであって、
前記制御手段は、前記積載手段が前記第２の印刷物を前記第１の印刷物と特定量分ずれた状態で前記第１の印刷物の上に積載することを禁止する場合に、前記第２の印刷物を前記第１の印刷物とずれた状態にする処理をおこなわずに、前記第２の印刷物を前記第１の印刷物の上に積載することを特徴とする印刷システム。
【請求項１２】
請求項１１に記載の印刷システムであって、
前記制御手段は、前記第２の印刷物を前記第１の印刷物とずれた状態にする処理をおこなわずに、前記第２の印刷物を前記第１の印刷物の上に積載する場合に、警告をおこなうことを特徴とする印刷システム。
【請求項１３】
請求項１１に記載の印刷システムであって、
前記制御手段は、前記第２の印刷物を前記第１の印刷物とずれた状態にする処理をおこなわずに、前記第２の印刷物を前記第１の印刷物の上に積載する場合に、前記第１の印刷物と、前記第２の印刷物との間に仕切り紙を挿入することを特徴とする印刷システム。
【請求項１４】
請求項１から請求項１３の何れかに記載の印刷システムであって、
前記第１の印刷物と前記第２の印刷物は異なるジョブの印刷物であることを特徴とする印刷システム。
【請求項１５】
印刷装置からの印刷物を、後処理装置の積載手段へ積載可能にした印刷システムのためのジョブ処理方法であって、
前記印刷装置により印刷済みの第１の印刷物が積載された前記後処理装置の前記積載手段へ、第２の印刷物を前記第１の印刷物と特定量分ずれた状態で前記第１の印刷物の上に積載可能にし、
少なくとも、前記後処理装置の種類に関わる情報に基づいて、前記積載手段が前記第２の印刷物を前記第１の印刷物と特定量分ずれた状態で前記第１の印刷物の上に積載することを禁止することを特徴とするジョブ処理方法。
【請求項１６】
印刷装置からの印刷物を、後処理装置の積載手段に積載可能にした印刷システムのためのジョブ処理方法であって、
前記印刷装置により印刷済みの第１の印刷物が積載された前記後処理装置の前記積載手段へ、第２の印刷物を前記第１の印刷物と特定量分ずれた状態で前記第１の印刷物の上に積載可能にし、且つ、
少なくとも、前記第２の印刷物の積載量に関わる情報に基づいて、前記積載手段が前記第２の印刷物を前記第１の印刷物と特定量分ずれた状態で前記第１の印刷物の上に積載することを禁止することを特徴とするジョブ処理方法。
【請求項１７】
請求項１５または請求項１６に記載のジョブ処理方法であって、
少なくとも
前記第２の印刷物の積載量に関わる情報と、
前記後処理装置の種類に関わる情報とに基づいて、前記積載手段が前記第２の印刷物を前記第１の印刷物と特定量分ずれた状態で前記第１の印刷物の上に積載することを禁止することを特徴とするジョブ処理方法。
【請求項１８】
請求項１５から請求項１７のいずれかに記載のジョブ処理方法であって、
前記制御手段は、前記第２の印刷物の積載量が予め決められた第１の積載量より多い場合に、前記積載手段が前記第２の印刷物を前記第１の印刷物と特定量分ずれた状態で前記第１の印刷物の上に積載することを禁止することを特徴とするジョブ処理方法。
【請求項１９】
請求項１５から請求項１８の何れかに記載のジョブ処理方法であって、
少なくとも
前記第１の印刷物の積載量に関わる情報と、
前記第２の印刷物の積載量に関わる情報と、
前記後処理装置の種類に関わる情報とに基づいて、前記積載手段が前記第２の印刷物を前記第１の印刷物と特定量分ずれた状態で前記第１の印刷物の上に積載することを禁止することを特徴とするジョブ処理方法。
【請求項２０】
請求項１５から請求項１９の何れかに記載のジョブ処理方法であって、
前記第１の印刷物の積載量が予め決められた第２の積載量より少ない場合に、前記積載手段が前記第２の印刷物を前記第１の印刷物と特定量分ずれた状態で前記第１の印刷物の上に積載することを許可することを特徴とするジョブ処理方法。
【請求項２１】
請求項１５から請求項２０の何れかに記載のジョブ処理方法であって、
前記積載量は、前記積載手段に積載される１束分の印刷物の枚数または高さのいずれかであることを特徴とするジョブ処理方法。
【請求項２２】
請求項１５から請求項２１の何れかに記載のジョブ処理方法であって、
前記制御手段は、
前記後処理装置が印刷物の搬送を行う台車を着脱可能な後処理装置である場合に、前記積載手段が前記第２の印刷物を前記第１の印刷物と特定量分ずれた状態で前記第１の印刷物の上に積載することを禁止する制御手段とを備えることを特徴とするジョブ処理方法。
【請求項２３】
請求項１５から請求項２２の何れかに記載のジョブ処理方法であって、
第１の印刷物とずれた状態で第２の印刷物を前記積載手段に積載させる場合に、
前記第２の印刷物の上に第３の印刷物を積載することを禁止することを特徴とするジョブ処理方法。
【請求項２４】
請求項１５から請求項２３の何れかに記載のジョブ処理方法であって、
前記印刷装置は、原稿搬送手段により搬送された原稿の読取りを行う第１の読取動作と、
前記原稿搬送手段による原稿の搬送を行わずに原稿の読取りを行う第２の読取動作のいずれかの読取動作によって読み取られた原稿の印刷処理を前記印刷物に対して実行可能であって、
前記制御手段は、
前記第２の印刷物が、前記第１の読取動作によって読み取られた原稿の印刷処理によるものである場合に、前記積載手段が前記第２の印刷物を前記第１の印刷物と特定量分ずれた状態で前記第１の印刷物の上に積載することを禁止し、
前記第２の印刷物が、前記第２の読取動作によって読み取られた原稿の印刷処理によるものである場合に、前記積載手段が前記第２の印刷物を前記第１の印刷物と特定量分ずれた状態で前記第１の印刷物の上に積載することを許可することを特徴とするジョブ処理方法。
【請求項２５】
請求項１５から請求項２４の何れかに記載のジョブ処理方法であって、
前記積載手段が前記第２の印刷物を前記第１の印刷物と特定量分ずれた状態で前記第１の印刷物の上に積載することを禁止する場合に、前記第２の印刷物を前記第１の印刷物とずれた状態にする処理をおこなわずに、前記第２の印刷物を前記第１の印刷物の上に積載することを特徴とするジョブ処理方法。
【請求項２６】
請求項２５に記載のジョブ処理方法であって、
前記第２の印刷物を前記第１の印刷物とずれた状態にする処理をおこなわずに、前記第２の印刷物を前記第１の印刷物の上に積載する場合に、警告をおこなうことを特徴とするジョブ処理方法。
【請求項２７】
請求項２５に記載のジョブ処理方法であって、
前記第２の印刷物を前記第１の印刷物とずれた状態にする処理をおこなわずに、前記第２の印刷物を前記第１の印刷物の上に積載する場合に、前記第１の印刷物と、前記第２の印刷物との間に仕切り紙を挿入することを特徴とするジョブ処理方法。
【請求項２８】
請求項１５から請求項２７の何れかに記載のジョブ処理方法であって、
前記第１の印刷物と前記第２の印刷物は異なるジョブの印刷物であることを特徴とするジョブ処理方法。
【請求項２９】
請求項１５から請求項２８の何れかに記載のジョブ処理方法を、前記印刷システムのコンピュータに実行させるためのコンピュータプログラム。
【請求項３０】
請求項２９に記載のコンピュータプログラムを記憶したコンピュータ読取可能な記憶媒体。
【発明の詳細な説明】
【技術分野】
【０００１】
本発明は、印刷装置からの印刷物を、後処理装置の積載手段へ積載可能にした印刷システム、該印刷システムのためのジョブ処理方法、プログラム及び記憶媒体に関するものである。
【背景技術】
【０００２】
印刷業界では、種々の作業工程を踏んで出版物の発行が行われている。作業工程の例には、原稿の入稿、該原稿へのデザインの付与、レイアウト編集、カンプ（印刷によるプレゼンテーション）、校正（レイアウト修正や色修正）、校正刷り（プルーフ印刷）、版下作成、印刷、後処理加工、発送等がある。
【０００３】
印刷業界では、印刷工程においてオフセット製版印刷機が用いられることが多いため、版下作成工程は不可欠な工程である。しかしながら、版下作成は、一度行うとその修正が容易ではなく、且つ修正を行った場合、コストがかなりかかってしまう。そのため、版下作成にあたっては、事前に入念な校正（レイアウトのチェックや色の確認作業）が必須となってくる。このため、出版物の発行が完了するまでには、ある程度の期間を要することが一般的であった。
【０００４】
また、印刷業界の場合、各作業工程において利用される装置は大掛かりなものが多くコストがかかるうえ、これら各工程における作業には専門知識が必要であるため、熟練者のノウハウが不可欠であった。
【０００５】
このような状況に対し、最近、電子写真方式の印刷装置やインクジェット方式の印刷装置の高速化、高画質化を受けて、上記印刷業界に対抗する、所謂、ＰＯＤ（Ｐｒｉｎｔ  Ｏｎ  Ｄｅｍａｎｄ）システムと呼ばれるものが出現しつつある。
【０００６】
ＰＯＤシステムは、比較的小ロットのジョブを、大掛かりな装置やシステムを用いずに、短納期で取り扱うことができるよう、上記大規模な印刷機、印刷手法に代わって出現してきたものである。
【０００７】
ＰＯＤシステムでは、例えば、デジタル複写機やデジタル複合機等の印刷装置を最大限に活用することで、電子データを用いたデジタルプリントを実現し、プリントサービス等を行うことが可能となっている（特許文献１、２参照）。
【０００８】
このようなＰＯＤシステムの場合、短納期での印刷物の発行が可能であり、また、作業者のノウハウが不要であるというメリットもある。
【０００９】
また、ＰＯＤシステムにおける印刷環境を想定してみると、如何に印刷システムにて生産性を向上させるかが重要であり、且つ、高い生産性を維持しつつ、いかに印刷システムのオペレータが印刷システムを使いやすくするかが重要であることが想定される。
【特許文献１】特開２００４−３１０７４６号公報
【特許文献２】特開２００４−３１０７４７号公報
【発明の開示】
【発明が解決しようとする課題】
【００１０】
既述の如く、例えば事務機メーカが、現在も得意とするオフィス環境から、ＰＯＤ市場という新規市場に本格参入するには、ＰＯＤ市場の状況を想定し、オフィス環境では想定し得ないユースケースやユーザニーズに対処する事が望ましいと考える。換言すると、ＰＯＤ市場へ本格参入する際には、ＰＯＤ環境にも適したデジタルプリンティングシステムの製品実用化に向けての検討を十分にする必要があると考える。しかし、ＰＯＤ環境にも適した印刷システムの製品実用化を目指すことを想定してみると、まだまだ検討の余地が残されていると考え、対処すべき課題や要望が存在すると考える。
【００１１】
例えば、次に述べるような課題が考えられる。
【００１２】
ＰＯＤシステムにおいては、印刷システムが大量の印刷をおこなうことが想定される。印刷システムが大量の印刷をおこなう場合、印刷済みのシートは、例えば、指定された排紙先に、大量に積載されると考えられる。このようなケースを想定して、ＰＯＤシステムにおいては、大量の印刷済みシートを積載可能なシート処理装置（以下、大容量スタッカ）の使用が検討されている。
【００１３】
そして、ＰＯＤ環境はオフィス環境と異なり、製本や断裁、折り等の後処理が重要であるが、これらの各処理もシート処理装置でおこなわれると考えられる。そこで、ＰＯＤ環境においては、印刷装置とシート処理装置の間で、オペレータが印刷装置で印刷されたシートを運搬する必要があるといった場合が考えられる。そのような場合に、ＰＯＤシステムにおいては、大容量スタッカ内に台車を設け、印刷済みシートを該台車上に積載しておき、その後積載した印刷済みシートを、オペレータが該台車とともに運搬する方法が有効であると考えられる。この方法によって、大容量スタッカからのシートの運び出しや、シート処理装置間のシートの運搬をスムーズにすることができると考えられる。
【００１４】
一方、シート処理装置においては、印刷されたシートを排紙する際に、一定の単位ごと（例えばジョブや部ごと）に印刷されたシートの排紙位置を互いに、ずれた状態にする処理をおこなっている。そうすることによって、オペレータにジョブや部ごとのシート束の区切れ目を認識させやすくすることができる。
【００１５】
この処理は大容量スタッカにおいても有効な機能であると考えられるが、前述したように、大容量スタッカの場合には、台車で運搬することも想定されるため、特に積載されたシートの安定性が重要である。なぜならば、運搬中の揺れや、段差による衝撃等のため積載されたシートが崩れてしまうと、散乱したシートを拾い集めるオペレータに負担をかけてしまうためである。
【００１６】
本発明は、上記課題に鑑みてなされたものであり、複数の印刷物をずれた状態で積載することによって積載された印刷物が崩れやすくなることを、防止する、オフィス環境に留まらずＰＯＤ環境にも適応可能な便利な印刷システムを提供することを目的とする。また、該印刷システムのためのジョブ処理方法、該ジョブ処理方法を印刷システムのコンピュータに実行させるためのコンピュータプログラム、該コンピュータプログラムを記憶した記憶媒体を提供することを目的とする。
【００１７】
又、このように様々な状況や利用環境を想定し、様々なユーザからの様々なニーズにも、極力、柔軟に対応出来るようにする仕組みを提供できるようにする。
【課題を解決するための手段】
【００１８】
上記目的の為、本発明における印刷システムは、印刷装置からの印刷物を、後処理装置の積載手段へ積載可能にした印刷システムであって、前記印刷システムは、前記印刷装置により印刷済みの第１の印刷物が積載された前記後処理装置の前記積載手段へ、第２の印刷物を前記第１の印刷物と特定量分ずれた状態で前記第１の印刷物の上に積載可能に構成され、且つ、前記印刷システムは、少なくとも、前記後処理装置の種類に関わる情報に基づいて、前記積載手段が前記第２の印刷物を前記第１の印刷物と特定量分ずれた状態で前記第１の印刷物の上に積載することを禁止する制御手段を備えることを特徴とする。
【００１９】
また、少なくとも、前記第２の印刷物の積載量に関わる情報に基づいて、前記積載手段が前記第２の印刷物を前記第１の印刷物と特定量分ずれた状態で前記第１の印刷物の上に積載することを禁止する制御手段を備えることを特徴とする。
【発明の効果】
【００２０】
発明によれば、従来で想定したような課題に対処できる。又、例えば、オフィス環境に留まらずＰＯＤ環境にも適応可能な使い勝手の良い便利な印刷環境が構築可能となる。又、例えば、極力、高い生産性でもってシステムを動作させたいといったニーズや、極力、オペレータの作業負荷を軽減したいといったニーズ等、ＰＯＤ等の印刷環境における実際の作業現場のニーズにも対処可能となり、特に、以下のような効果を奏する。
【００２１】
例えば、オペレータが積載されたシートを運搬する際に、積載されたシートが荷崩れを起こすおそれを低減することができる。このように、本発明によれば印刷装置によって印刷されたシートを大容量スタッカに大量に積載させる際に起こる課題に対処することができる。
【００２２】
このように、従来で想定したようなＰＯＤ環境で想定されうるユースケースやニーズに対処可能な便利で且つ柔軟な印刷環境が構築可能となり、製品実用化に向けての様々な仕組みが提供可能となる。
【発明を実施するための最良の形態】
【００２３】
以下添付図面を参照して、本発明を好適な実施形態に従って詳細に説明する。
【００２４】
［本印刷システム１０００を含む印刷環境１００００全体のシステム構成の説明］
まず、ここでは、本印刷システム１０００を含むＰＯＤ環境（図１の印刷環境１００００）の現場全体のシステム環境について説明する。このような印刷環境自体も本形態の特徴の１つである。
【００２５】
尚、本形態では、この本印刷システム１０００が適用可能な印刷環境１００００のことを、ＰＯＤ環境に適したものであることから、ＰＯＤシステム１００００と呼ぶことにする。
【００２６】
図１のＰＯＤシステム１００００は、構成要素として、本形態の印刷システム１０００、サーバコンピュータ１０３、クライアントコンピュータ１０４（これを、以下ＰＣと呼ぶ）を具備する。又、紙折り機１０７、断裁機１０９、中綴じ製本機１１０、くるみ製本機１０８、スキャナ１０２等も具備する。このように複数の装置がＰＯＤシステム１００００に用意されている。
【００２７】
本印刷システム１０００は、構成要素として、印刷装置本体１００及びシート処理装置２００を具備する。尚、印刷装置１００の１例として、本形態では、コピー機能及びＰＣプリント機能等複数の機能を具備する複合機で説明するが、ＰＣ機能のみ或いはコピー機能のみの単一機能型の印刷装置であっても、良い。尚、該複合機のことを、以下では、ＭＦＰ（Ｍｕｌｔｉ  Ｆｕｎｃｔｉｏｎ  Ｐｅｒｉｐｈｅｒａｌ）とも呼ぶ。
【００２８】
ここでは、図１の紙折り機１０７、断裁機１０９、中綴じ製本機１１０、くるみ製本機１０８を、本印刷システム１０００が具備するシート処理装置２００と同様に、シート処理装置と定義する。何故なら、本印刷システム１０００が具備する印刷装置１００で印刷されたジョブのシートに対するシート処理を実行可能な装置であるからである。例えば、紙折り機１０７は、印刷装置１００で印刷されたジョブのシートの折処理を実行可能に構成されている。断裁機１０９は、複数枚のシートで構成されるシート束単位で、印刷装置１００で印刷されたシートの断裁処理を、実行可能に構成されている。中綴じ製本機１１０は、印刷装置１００で印刷されたジョブのシートの中綴じ製本処理を実行可能に構成されている。くるみ製本機１０８は、印刷装置１００で印刷されたジョブのシートのくるみ製本処理を実行可能に構成されている。但し、これらのシート処理装置で各種シート処理を実行させるには、印刷装置１００で印刷されたジョブの印刷物を該印刷装置１００の排紙部からオペレータが取出し、且つ、処理対象となるシート処理装置に、その印刷物をセットする作業が必要である。
【００２９】
このように、本印刷システム１０００自身が具備するシート処理装置２００以外のシート処理装置を利用する場合には、印刷装置１００による印刷処理後にオペレータによる介入作業を要する。
【００３０】
一方、本印刷システム１０００のシート処理装置２００を利用して印刷装置１００により印刷されたジョブにて要するシート処理を実行させる場合には、該装置１００による印刷処理の実行後にオペレータによる介入作業は不要である。何故なら、印刷装置１００からシート処理装置２００に対しては、印刷装置１００で印刷されたシートを、直接、供給出来るように構成されているからである。具体的には、印刷装置１００内部のシート搬送路が、シート処理装置２００内部のシート搬送路に、連結可能に構成されている。また、本印刷装置１００とシート処理装置２００は、互いに電気的に接続され、またともにＣＰＵを具備し、データ通信可能に構成されている。
【００３１】
尚、本形態では、本印刷システム１０００が具備する制御部が、これら印刷装置１００とシート処理装置２００を統括的に制御している。この１例として、本例では、図２の印刷装置１００内部のコントローラ部２０５が統括制御を行う。尚、本形態では、これらシート処理装置の事を、後処理装置やポストプレスとも呼ぶ。
【００３２】
図１のＰＯＤシステム１００００における、これら複数の装置のうちの、中綴じ製本機１１０以外の装置は、全て、ネットワーク１０１に接続されており、互いに他装置とデータ通信可能に構成されている。
【００３３】
例えば、ＰＣ１０３、ＰＣ１０４等の外部装置の一例に該当する情報処理装置からネットワーク１０１を介して送信された印刷実行要求とともに送信された印刷データを、印刷装置１００により印刷させる。
【００３４】
又、例えば、ネットワーク通信により他の装置とのデータの送受を実行することで、サーバＰＣ１０３は、本ＰＯＤシステム１００００にて処理すべき全てのジョブの全体を管理する。換言すると、複数の処理工程からなる一連のワークフローの工程全体を統括管理するコンピュータとして機能する。該ＰＣ１０３は、オペレータから受け付けたジョブの指示に基づいて、本ＰＯＤシステム１００００にて仕上げ可能な後処理条件を決定する。且つ、エンドユーザ（この例では印刷の作成依頼をした顧客）の要求通りの後処理（仕上げ処理）工程の指示を行う。この際に、サーバ１０３が、ＪＤＦ（Ｊｏｂ  Ｄｅｆｉｎｉｔｉｏｎ  Ｆｏｒｍａｔ）などの情報交換ツールを用いて、ポストプレス内部でのコマンドやステータスでそれぞれの後処理機器と情報交換している。
【００３５】
以上のような構成要素を具備するＰＯＤシステム１００００において、上記各シート処理装置を、本形態では、３種類に分類して、以下のように、定義している。
【００３６】
［定義１］
以下に列挙の（条件１）と（条件２）の両方を満たす装置に該当するシート処理装置を、「インラインフィニッシャ」と定義する。尚、この定義に該当する装置を、本形態では、インラインタイプのシート処理装置とも呼ぶ。
（条件１）  印刷装置１００から搬送されるシートをオペレータの介入無しに直接的に受容出来るように、紙パス（シート搬送路）が、印刷装置１００と連結されている。
（条件２）  操作指示や状況確認等に要するデータ通信を他装置と出来るように、他装置と電気的に接続されている。具体的には、印刷装置１００とデータ通信可能に電気的に接続されている事、或いは、ネットワーク１０１を介して印刷装置１００以外の装置（例えば、ＰＣ１０３、ＰＣ１０４等）とデータ通信可能に電気的に接続されている事。これら少なくとも何れかの条件を満たすものを、（条件２）に合致するものとする。
【００３７】
即ち、本印刷システム１０００自身が具備するシート処理装置２００は、「インラインフィニッシャ」に該当する。何故なら、上記の如く、シート処理装置２００は、印刷装置１００と紙パスが連結され、且つ、印刷装置１００と電気的に接続されたシート処理装置であるからである。
【００３８】
［定義２］
前述の（条件１）と（条件２）のうちの（条件１）は満たさないが、（条件２）を満たす装置に該当するシート処理装置を、「ニアラインフィニッシャ」と定義する。尚、この定義に該当する装置を、本形態では、ニアラインタイプのシート処理装置とも呼ぶ。
【００３９】
例えば、紙パスも印刷装置１００と接続されておらず、作業者（オペレータ）が印刷物の運搬等の介入作業を要する。しかし、操作指示や状況確認はネットワーク１０１等の通信手段を介して電気的に情報送受可能である。このような条件に合致するシート処理装置を、「ニアラインフィニッシャ」と定義する。
【００４０】
即ち、図１の紙折り機１０７、断裁機１０９、中綴じ製本機１１０、くるみ製本機１０８は、「ニアラインフィニッシャ」に該当する。何故なら、これらのシート処理装置は、印刷装置１００と紙パスが連結されていない。しかし、少なくとも、ネットワーク１０１を介して、ＰＣ１０３やＰＣ１０４等の他装置とデータ通信可能なように電気的に接続されたシート処理装置であるからである。
【００４１】
［定義３］
前項に掲げる（条件１）と（条件２）の何れの条件も満たさない装置に該当するシート処理装置を、「オフラインフィニッシャ」と定義する。尚、この定義に該当する装置を、本形態では、オフラインタイプのシート処理装置とも呼ぶ。
【００４２】
例えば、紙パスも印刷装置１００と接続されておらず、作業者（オペレータ）が印刷物の運搬等の介入作業を要する。しかも、操作指示や状況確認に要する通信ユニットも具備しておらず、他装置とのデータ通信も不可能である。故に、作業者が出力物の運搬、出力物の設定、手作業での操作入力、機器自体が発する状況報告を手作業で行う必要がある。このような条件に合致するシート処理装置を「オフラインフィニッシャ」と定義する。
【００４３】
即ち、図１の中綴じ製本機１１０は「オフラインフィニッシャ」に該当する。何故なら、このシート処理装置は、印刷装置１００と紙パスが連結されていない。しかも、ネットワーク１０１にも接続不可で、他装置とデータ通信不可なシート処理装置であるからである。
【００４４】
以上の如く、３つの種類に分類する各種シート処理装置を具備する本ＰＯＤシステム１００００にて、様々なシート処理を実行可能に構成している。
【００４５】
例えば、断裁処理、中綴じ製本処理、くるみ製本処理、シートの折処理、穴あけ処理、封入処理、帳合処理、等の様々なシート加工処理を、印刷装置１００により印刷処理されたジョブの印刷媒体に対して実行可能に構成している。このように、エンドユーザ（顧客）が望む製本印刷体裁でもってシート加工を実行可能に構成されている。
【００４６】
サーバＰＣ１０３が管理するニアラインフィニッシャやオフラインフィニッシャには、他にも、ステープラ専用装置、穴あけ専用装置、封入機あるいは、帳合機（コレータ）を初めとして様々なものがある。サーバ１０３は、これらのニアラインフィニッシャと予め決められたプロトコルで、逐次ポーリングなどでデバイスの状況やジョブの状況を、ネットワーク１０１経由で把握する。且つ、本ＰＯＤシステム１００００にて処理すべき多数のジョブの各ジョブの実行状況（進捗状況）を管理する。
【００４７】
尚、本形態は、上述の複数の記録紙処理をそれぞれ別々のシート処理装置により実行可能にする構成でも、複数種類の記録紙処理を１台のシート処理装置が実行可能にする構成でも良い。又、複数のシート処理装置のうちのいずれかのシート処理装置を本印刷システム１０００に具備させる構成でも良い。
【００４８】
ここで、本形態の更なる着目点について説明しておく。
【００４９】
図１の印刷システム１０００は、印刷装置１００と、該印刷装置１００に着脱可能なインラインタイプのシート処理装置２００を具備している。つまり、このシート処理装置２００は、印刷装置１００で印刷がなされたジョブのシートを、直接的に、シート搬送路を介して、受容可能な装置である。且つ、ユーザインタフェース部を介して印刷実行要求と共にユーザが要求したシート処理を、印刷装置１００のプリンタ部２０３により印刷されたジョブのシートに対して実行するシート処理装置である。
【００５０】
本形態のシート処理装置２００は、一連のシート処理装置群２００として、定義することも可能である。また本形態では、シート処理装置２００として、互いに異なる筐体で構成され、且つ独立して使用可能な、複数台のシート処理装置を、印刷装置１００に連結して利用可能に構成されている。この１例として、図１に示す、印刷システム１０００は印刷装置１００と３台のシート処理装置とを具備している構成である。図１の印刷システム１０００は、３台のシート処理装置が印刷装置１００に直列接続されている。本例では、このように複数台のシート処理装置を印刷装置１００に接続された構成をカスケード接続と呼ぶ。これら印刷装置１００にカスケード接続される、一連のシート処理装置群２００に包含される、複数台のシート処理装置は、全て、インラインフィニッシャとして、本形態で取り扱っている。且つ、本システム１０００の制御部の１例に該当する図２のコントローラ２０５が、印刷装置本体１００及びこれら複数台のインラインタイプのシート処理装置を統括的に制御し、以下の実施形態で述べる各種制御を実行する。このような特徴点も具備している。尚、この構成については、図３等を用いて後述する。
【００５１】
［本システム１０００の内部構成（主にソフト構成）］
次に、本印刷システム１０００の内部構成（主に、ソフト構成）について、図２のシステムブロック図でもって説明する。尚、本例では、本印刷システム１０００が具備する図２に示す各ユニットのうちのシート処理装置２００（厳密にいえば、複数台のインラインタイプのシート処理装置で構成可能な一連のシート処理装置群）以外のユニットは全て印刷装置１００内部に具備している。シート処理装置２００は、本印刷装置１００に対して、着脱可能なシート処理装置であり、印刷装置１００のオプションとして提供可能に構成されている。これにより、ＰＯＤシステムにて、ユーザが必要とするインラインフィニッシャを、必要な台数分、提供可能にする等の効果を図っている。
【００５２】
印刷装置１００は、自装置内部に複数の処理対象となるジョブのデータを記憶可能なハードディスク２０９（以下、ＨＤＤとも呼ぶ）等の不揮発性メモリを具備する。且つ、印刷装置１００自身が具備するスキャナ部２０１から受付けたジョブデータを該ＨＤＤを介してプリンタ部２０３で印刷するコピー機能を具備する。且つ、ＰＣ１０３、ＰＣ１０４等の外部装置から通信部の１例に該当する外部Ｉ／Ｆ部２０２ユニットを介して受付けたジョブデータを該ＨＤＤを介してプリンタ部２０３で印刷する印刷機能等を具備する。印刷装置１００は、このような複数の機能を具備したＭＦＰタイプの印刷装置（画像形成装置とも呼ぶ）である。
【００５３】
尚、本形態の印刷装置は、カラープリント可能な印刷装置でも、モノクロプリント可能な印刷装置でも、本形態で述べる各種制御を実行可能であるならば如何なる構成でも良い。
【００５４】
本形態の印刷装置１００は、原稿画像を読み取り、読み取られた画像データを画像処理するスキャナ部２０１を具備する。又、ファクシミリ、ネットワーク接続機器、外部専用装置と画像データなどを送受する外部Ｉ／Ｆ部２０２を具備する。又、スキャナ部２０１及び外部Ｉ／Ｆ部２０２の何れかから受付けた複数の印刷対象となるジョブの画像データを記憶可能なハードディスク２０９を具備する。又、ハードィスク２０９に記憶された印刷対象のジョブのデータの印刷処理を印刷媒体に対して実行するプリンタ部２０３を具備する。又、本印刷装置１００は、本印刷システム１０００が具備するユーザインタフェース部（ＵＩ部ともいう。）の一例に該当する、表示部を有する操作部２０４も、具備する。本印刷システム１０００にて提供しているユーザインタフェース部の別の例としては、例えば、ＰＣ１０３やＰＣ１０４の外部装置の表示部及びキーボードやマウス等がこれに該当する。
【００５５】
本印刷システム１０００が具備する制御部の一例に該当するコントローラ部（制御部、或いは、ＣＰＵとも呼ぶ）２０５は、本印刷システム１０００が具備する各種ユニットの処理や動作等を統括的に制御する。ＲＯＭ２０７には、後述する図３１，２９に示すフローチャートの各種処理等を実行する為のプログラムを含む本形態にて要する各種の制御プログラムが記憶されている。又、ＲＯＭ２０７には、図示しているユーザインタフェース画面（以下、ＵＩ画面と呼ぶ）を含む、操作部２０４の表示部に各種のＵＩ画面を表示させる為の表示制御プログラムも記憶されている。制御部２０５は、ＲＯＭ２０７のプログラムを読出実行することで、本形態にて説明する各種の動作を本印刷装置により実行させる。外部Ｉ／Ｆ２０２を介して外部装置（ＰＣ１０３やＰＣ１０４等）から受信したＰＤＬ（ページ記述言語）コードデータを解釈し、ラスターイメージデータ（ビットマップ画像データ）に展開する動作を実行する為のプログラム等もＲＯＭ２０７に記憶されている。これらは、ソフトウェアによって処理される。
【００５６】
ＲＯＭ２０７は読み出し専用のメモリで、ブートシーケンスやフォント情報等のプログラムや上記のプログラム等各種プログラムが予め記憶されている。ＲＡＭ２０８は読み出し及び書き込み可能なメモリで、スキャナ部２０１や外部Ｉ／Ｆ２０２よりメモリコントローラ２０６を介して送られてきた画像データや、各種プログラムや設定情報を記憶する。
【００５７】
ＨＤＤ（ハードディスク）２０９は、圧縮伸張部２１０によって圧縮された画像データを記憶する大容量の記憶装置である。当該ＨＤＤ２０９に、処理対象となるジョブのプリントデータや、制御に用いるための変数を記憶しておく種々の記憶部等複数のデータを保持するように構成されている。制御部２０５は、スキャナ部２０１や外部Ｉ／Ｆ部２０２等の各種入力ユニットを介して入力された処理対象となるジョブのデータを、該ＨＤＤ２０９を介して、プリンタ部２０３でプリントするように制御する。又、外部Ｉ／Ｆ２０２を介して外部装置へ送信できるようにも制御する。このようにＨＤＤ２０９に格納した処理対象のジョブのデータの各種の出力処理を実行するように制御部２０５により制御する。圧縮伸張部２１０は、ＪＢＩＧやＪＰＥＧ等といった各種圧縮方式によってＲＡＭ２０８、ＨＤＤ２０９に記憶されている画像データ等を圧縮・伸張動作を行う。
【００５８】
以上のような構成のもと、本印刷システムが具備する制御部の１例としての制御部２０５が、図１の説明の如く、インラインタイプのシート処理装置２００の動作も制御する。この説明も含む、本印刷システム１０００のメカ構成について、図３等でもって説明する。
【００５９】
［本システム１０００の装置構成（主にメカ構成）］
次に、本印刷システム１０００の構成（主に、メカ構成）について、図３の装置構成説明図でもって説明する。
【００６０】
尚、上述したように、本印刷システム１０００は、複数台のインラインタイプのシート処理装置を、印刷装置１００にカスケード接続可能に構成している。又、印刷装置１００に接続可能なインラインタイプのシート処理装置は、特定の制限のもと、本形態の効果を向上させるべく、利用環境に合わせ、任意の台数接続できる。
【００６１】
故に、説明をより明瞭化すべく、図２や図３では、シート処理装置２００は、一連のシート処理装置群として、Ｎ台接続可能であるものとしている。且つ、１台目のシート処理装置から順に、シート処理装置２００ａ、２００ｂ、、、、、と示し、Ｎ台目のシート処理装置として、シート処理装置２００ｎと示している。尚、図１〜図３では、説明上、シート処理装置２００の形状が、図のような形状となっているが、しかし、本来の概観は、後述するような構成となっている。
【００６２】
まず、これらインラインタイプのシート処理装置２００によるシート処理を実行する前の工程に該当する印刷装置１００における印刷処理を実行する際の、メカ構成を説明する。主に、図２のコントローラ部（以下制御部又はＣＰＵと呼ぶ）２０５が印刷装置１００に実行させる、プリンタ部２０３の内部からシート処理装置２００の内部へ印刷処理がなされたジョブのシートを供給する時点迄のペーパハンドリング動作等を説明する。
【００６３】
図３に示す符号３０１〜３２２のうち、３０１は、図２のスキャナ部２０１のメカ構成に該当する。３０２〜３２２が、図３のプリンタ部２０３のメカ構成に該当する。尚、本形態では、１ＤタイプのカラーＭＦＰの構成について説明する。尚、４ＤタイプのカラーＭＦＰ、白黒ＭＦＰも、本形態の印刷装置の一例であるが、ここでは説明を割愛する。
【００６４】
図３の自動原稿搬送装置（ＡＤＦ）３０１は、原稿トレイの積載面にセットされた原稿束を１頁目の原稿から、ページ順に、順番に分離して、スキャナ３０２によって原稿を走査するために原稿台ガラス上へ搬送する。スキャナ３０２は、原稿台ガラス上に搬送された原稿の画像を読み取り、ＣＣＤによって画像データに変換する。回転多面鏡（ポリゴンミラー等）３０３は、画像データに応じて変調された、例えばレーザ光などの光線を入射させ、反射ミラーを介して反射走査光として感光ドラム３０４に照射する。感光ドラム３０４上に前記レーザ光によって形成された潜像はトナーによって現像され、転写ドラム３０５上に貼り付けられたシート材に対してトナー像を転写する。この一連の画像形成プロセスをイエロー（Ｙ）、マゼンタ（Ｍ）、シアン（Ｃ）、ブラック（Ｋ）のトナーに対して順次実行することによりフルカラー画像が形成される。４回の画像形成プロセスの後に、フルカラー画像形成された転写ドラム３０５上のシート材は、分離爪３０６によって分離され、定着前搬送器３０７によって定着器３０８へ搬送される。
【００６５】
定着器３０８は、ローラやベルトの組合せによって構成され、ハロゲンヒータなどの熱源を内蔵し、トナー像が転写されたシート材上のトナーを、熱と圧力によって溶解、定着させる。排紙フラッパ３０９は、揺動軸を中心に揺動可能に構成され、シート材の搬送方向を規定する。排紙フラッパ３０９が図中時計回りの方向に揺動しているときには、シート材は真直ぐに搬送され、排紙ローラ３１０によって機外へ排出される。一方、シート材の両面に画像を形成する際には、排紙フラッパ３０９が図中反時計回りの方向に揺動し、シート材は下方向に進路を変更され両面搬送部へと送り込まれる。両面搬送部は、反転フラッパ３１１、反転ローラ３１２、反転ガイド３１３および両面トレイ３１４を具備する。
【００６６】
反転フラッパ３１１は、揺動軸を中心に揺動可能に構成され、シート材の搬送方向を規定する。制御部２０５は、両面印刷ジョブを処理する場合、プリンタ部２０３でシートの第１面にプリント済みのシートを、反転フラッパ３１１を図中反時計回りの方向に揺動させ、反転ローラ３１２を介して、反転ガイド３１３へと送り込むよう制御する。そして、シート材後端が反転ローラ３１２に狭持された状態で反転ローラ３１２を一旦停止させ、引き続き反転フラッパ３１１が図中時計回りの方向に揺動させる。且つ、反転ローラ３１２を逆方向に回転させる。これにより、該シートスイッチバックして搬送させ、シートの後端と先端が入れ替わった状態で、該シートを両面トレイ３１４へと導くよう制御する。
【００６７】
両面トレイ３１４ではシート材を一旦積載し、その後、再給紙ローラ３１５によってシート材は再びレジストローラ３１６へと送り込まれる。このときシート材は、１面目の転写工程とは反対の面が感光ドラムと対向する側になって送られてきている。そして、先述したプロセスと同様にして該シートの第２面に対して２面目の画像を形成させる。そして、シート材の両面に画像が形成され、定着工程を経て排紙ローラ３１０を介して印刷装置本体内部から機外へと該シートを排出させる。制御部２０５は、以上のような一連の両面印刷シーケンスを実行することで、両面印刷対象のジョブのデータのシートの第１面と第２面の各面に対する両面印刷を本印刷装置により実行可能にする。
【００６８】
給紙搬送部は、印刷処理に要するシートを収納する給紙ユニットとしての給紙カセット３１７、３１８（例えば、夫々５００枚のシートを収容可能）、ペーパーデッキ３１９（例えば、５０００枚のシートを収納可能）、手差しトレイ３２０等がある。又、これら給紙ユニットに収納されたシートを給送するユニットとして、給紙ローラ３２１、レジストローラ３１６等がある。給紙カセット３１７、３１８、ペーパーデッキ３１９には、各種のシートサイズで且つ各種のマテリアルのシートを、これらの各給紙ユニット毎に、区別して、セット可能に構成されている。
【００６９】
手差しトレイ３２０も、ＯＨＰシート等の特殊なシートを含む各種の印刷媒体をセット可能に構成されている。給紙カセット３１７、３１８、ペーパーデッキ３１９、手差しトレイ３２０には、それぞれに給紙ローラ３２１が設けられ１枚単位でシートを連続的に給送可能に構成される。例えば、ピックアップローラによって積載されたシート材が順次繰り出され、給紙ローラ３２１に対向して設けられる分離ローラによって重送が防止されてシート材は１枚ずつ搬送ガイドへと送り出される。ここで、分離ローラには搬送方向とは逆方向に回転させる駆動力が図示しないトルクリミッタを介して入力されている。給紙ローラとの間に形成されるニップ部にシート材が１枚だけ進入しているときには、シート材に従動して搬送方向に回転する。
【００７０】
一方、重送が発生している場合には搬送方向とは逆方向に回転することにより重送したシート材が戻され、最上部の１枚だけが送り出されるようになっている。送り出されたシート材は搬送ガイドの間を案内され、複数の搬送ローラによってレジストローラ３１６まで搬送される。このときレジストローラ３１６は停止しており、シート材の先端がレジストローラ３１６対で形成されるニップ部に突き当たり、シート材がループを形成し斜行が補正される。その後、画像形成部において感光ドラム３０４上に形成されるトナー像のタイミングに合わせて、レジストローラ３１６は回転を開始してシート材を搬送する。レジストローラ３１６により送られたシート材は、吸着ローラ３２２によって転写ドラム３０５表面に静電気的に吸着される。定着器３０８から排出されたシート材は、排出ローラ３１０を介して、シート処理装置２００内部のシート搬送路へ導入される。
【００７１】
制御部２０５は、以上のような印刷プロセスを経て、印刷対象となるジョブを処理する。
【００７２】
制御部２０５は、ＵＩ部を介してユーザから受付けた印刷実行要求に基づき、データ発生源からＨＤＤ２０９に記憶させた該ジョブの印刷データの印刷処理を、上記方法でもって、プリンタ部２０３により、実行させる。また、制御部２０５は、印刷処理をし終わったジョブに関する情報を履歴として、ＨＤＤ２０９内に用意したジョブ履歴情報記憶部に記憶しておく。ジョブに関する情報には、例えば、当該ジョブに一意に振られる受付番号やジョブ名、印刷日時や、ページ数、印刷設定、印刷レイアウトなどがある。また、ジョブの印刷時に要したシートの枚数をカウントしておき、保持しておくようにしてもよい。
【００７３】
尚、例えば、印刷実行要求を操作部２０４から受付けたジョブのデータ発生源は、スキャナ部２０１を意味する。又、印刷実行要求をホストコンピュータから受付けたジョブのデータ発生源は、当然ホストコンピュータである。
【００７４】
又、制御部２０５は、処理対象のジョブの印刷データを、先頭ページから順番にＨＤＤ２０９に記憶させ、且つ、先頭ページから順番にＨＤＤ２０９から該ジョブの印刷データを読み出して、シート上に該印刷データの画像を形成させる。このような先頭ページ処理を遂行する。且つ、制御部２０５は、先頭ページから順番に印刷されるシートを、画像面が下向きで、シート処理装置２００内部のシート搬送路へ供給させる。その為に、排紙ローラ３１０によりシート処理装置２００内部へシートを導入する直前で、定着部３０８からのシートの表裏を反転させる為のスイッチバック動作をユニット３０９、３１２等を用いて実行させる。このような、先頭ページ処理に対処する為のペーパハンドリング制御も制御部２０５は実行する。
【００７５】
次に、本印刷システム１０００が印刷装置１００と共に具備するインラインタイプのシート処理装置２００の構成について説明する。
【００７６】
本形態のシステム１０００は、図３に示すが如く、印刷装置１００にカスケード接続可能なインラインタイプのシート処理装置を合計ｎ台としている。この台数は、例えば、可能な限り何台でも設置可能に構成しても良い。しかし、少なくとも、プリンタ部２０３により印刷がなされたシートをオペレータによる介入作業無しに機内のシート処理部へ供給可能な構成のシート処理装置の利用を要する。換言すると、例えば、印刷装置１００が具備する排紙ローラ３０９を経てプリンタ部２０３内部から排出される印刷媒体を機内で搬送可能なシート搬送路（紙パス）を具備するシート処理装置の利用を要する。このような制約事項は遵守するように構成されている。
【００７７】
とはいうものの、本形態の効果を向上させる為の１つの仕組みとして、このような制約事項を遵守した範囲内では、柔軟に本印刷システム１０００を構築可能に構成している。
【００７８】
例えば、インラインタイプのシート処理装置を３台接続したり、５台接続したり、接続数も任意とする。勿論、オフラインタイプのシート処理装置の利用効率を向上させるが故に、インラインタイプのシート処理装置は不要と管理者が判断するようなＰＯＤ環境も想定している。例えば、インラインタイプのシート処理装置を全く利用しない（即ち、０台）場合でも、本形態の印刷装置１００は当然利用可能にする。
【００７９】
又、例えば、複数台のインラインタイプのシート処理装置を印刷装置１００にカスケード接続する場合に、それら複数台のシート処理装置の接続順番も、管理者等の特定ユーザにより、予め決められた制約の範囲内で、任意に、変更、決定可能に構成している。
【００８０】
但し、上記のような仕組みは、ユーザ利便性を向上させるための仕組みであるが故に、必ずしも必須の構成要件としなくても良い。例えば、本印刷システム１０００にて利用可能なインラインタイプのシート処理装置の台数や、それらの装置の接続順序が、一律に規定されているようなシステム構成でも良い。少なくとも、後述する各種ジョブ制御の少なくとも何れかを実行可能に構成されるならば、如何なるシステム構成でも装置構成でもあってもよい。
【００８１】
尚、本印刷システム１０００が、印刷装置１００に対して、如何様なシート処理を実行可能な如何様なインラインタイプのシート処理装置を、如何様に、何台、接続できるのか等は、後述する。
【００８２】
［本システム１０００のＵＩ部の１例に該当する操作部２０４の構成］
図４等を用いて、本システム１０００の印刷装置１００が具備する本システム１０００におけるユーザインタフェース部（以下、ＵＩ部と呼ぶ）の一例に該当する操作部２０４について説明する。
【００８３】
操作部２０４は、ハードキーによるユーザ操作を受付け可能なキー入力部４０２、ソフトキー（表示キー）によるユーザ操作を受付可能な表示ユニットの一例としてのタッチパネル部４０１を、有する。
【００８４】
図５に示すように、キー入力部４０２は、操作部電源スイッチ５０１を具備する。該スイッチ５０１のユーザ操作に応答し、制御部２０５は、スタンバイモード（通常動作状態）とスリープモード（ネットワーク印刷やファクシミリ等に備えて割り込み待ち状態でプログラムを停止して消費電力を抑えている状態）を選択的に切換るよう制御する。制御部２０５は、該スイッチ５０１のユーザ操作を、システム全体の電源供給を行う主電源スイッチ（不図示）がＯＮ状態にて、受付可能に制御する。
【００８５】
スタートキー５０３は、処理対象となるジョブのコピー動作や送信動作等、ユーザにより指示された種類のジョブ処理を印刷装置に開始させる指示をユーザから受付可能にする為のキーである。ストップキー５０２は、受付けたジョブの処理を印刷装置に中断させる指示をユーザから受付可能にする為のキーである。テンキー５０６は、各種設定の置数の設定をユーザにより実行可能にする為のキーである。クリアキー５０７は、キー５０６を介してユーザにより設定された置数等の各種パラメータを解除するためのキーである。リセットキー５０４は、ユーザにより処理対象のジョブに対して設定された各種設定を全て無効にし、且つ、設定値をデフォルト状態に戻す指示をユーザから受付る為のキーである。ユーザモードキー５０５は、ユーザごとのシステム設定画面に移行するためのキーである。
【００８６】
次に、図６は、本印刷システムが提供するユーザインタフェースユニットの一例に相当するタッチパネル部（以下、表示部とも呼ぶ）４０１を説明する図である。該タッチパネル部４０１はＬＣＤ（Ｌｉｑｕｉｄ  Ｃｒｙｓｔａｌ  Ｄｉｓｐｌａｙ：液晶表示部）とその上に貼られた透明電極からなるタッチパネルディスプレイを有す。当該ユニット４０１は、操作者からの各種設定を受付ける機能と操作者に情報を提示する機能を兼ね備える。例えば、ＬＣＤ上の有効表示状態の表示キーに該当する個所がユーザにより押下されたのを検知すると、制御部２０５は、ＲＯＭ２０７に予め記憶された表示制御プログラムに従い、該表示部４０１に該キー操作に応じた操作画面を表示可能に制御する。尚、図６は、本印刷装置の状態がスタンバイモード時（印刷装置により処理すべきジョブが無い状態）に表示部４０１に表示させる初期画面の一例である。
【００８７】
図６に示す表示部４０１上のコピータブ６０１がユーザにより押下された場合、制御部２０５は、本印刷装置が具備するコピー機能の操作画面を表示部４０１に表示させる。送信タブ６０２がユーザにより押下された場合、制御部２０５は、本印刷装置が具備するファックスやＥ−ｍａｉｌ送信などデータ送信（Ｓｅｎｄ）機能の操作画面を表示部４０１に表示させる。ボックスタブ６０３がユーザにより押下された場合、制御部２０５は、本印刷装置が具備するボックス機能の操作画面を表示部４０１に表示させる。
【００８８】
尚、ボックス機能とは、ＨＤＤ２０９に仮想的に予め設けているユーザ毎に区別して利用可能な複数個のデータ記憶ボックス（以下、ボックスと呼ぶ）を利用する機能である。当該機能にて、制御部２０５は、例えば、複数のボックスのうち、ユーザが所望のボックスを該ユーザによりユーザインタフェースユニットを介して選択可能にし、所望の操作をユーザから受付可能に制御する。例えば、制御部２０５は、操作部２０４を介して入力されたユーザからの指示に応答し、該ユーザにより選択されたボックスに対して、本印刷装置のスキャナ２０１から受付けたジョブの文書データを記憶可能にＨＤＤ２０９を制御する。又、外部Ｉ／Ｆ部２０２を介し受付けた外部装置（例えばＰＣ１０３やＰＣ１０４等）からのジョブの文章データ等も該外部装置のユーザインタフェース部を介し指定された該外部装置のユーザ指示に従い、該ユーザが指定したボックスに記憶可能にする。又、制御部２０５は、ボックスに記憶されたジョブのデータを、操作部２０４からのユーザ指示に従い、該ユーザが所望の出力形態で、例えば、プリンタ部２０３により印刷させたり、該ユーザの所望の外部装置に送信可能に外部Ｉ／Ｆ部２０２を制御する。
【００８９】
このよう各種のボックス操作をユーザにより実行可能にすべく、制御部２０５は、該ボックスタブ６０３のユーザ押下に応答し、表示部４０１にボックス機能の操作画面を表示可能に制御する。又、制御部２０５は、図６の表示部４０１の拡張タブ６０４がユーザにより押下された場合、スキャナ設定など拡張機能を設定するため画面を表示部４０１に表示させる。システムモニタキー６１７がユーザ押下された場合、ＭＦＰの状態や状況をユーザに通知する為の表示画面を表示部４０１に表示させる。
【００９０】
色選択設定キー６０５は、カラーコピー、白黒コピー、あるいは自動選択かを予めユーザにより選択可能にするための表示キーである。倍率設定キー６０８は、等倍、拡大、縮小などの倍率設定をユーザにより実行可能にする設定画面を表示部４０１に表示させる為のキーである。
【００９１】
両面キー６１４がユーザにより押下された場合、制御部２０５は、印刷対象となるジョブのプリント処理にて片面印刷か両面印刷のどちらを実行させるかを該ユーザにより設定可能にする画面を表示部４０１に表示させる。又、用紙選択キー６１５のユーザ押下に応答し、制御部２０５は、印刷対象のジョブの印刷処理に要する給紙部やシートサイズやシートタイプ（メディアタイプ）を該ユーザにより設定可能にする画面を表示部４０１に表示させる。キー６１２のユーザ押下に応答し、制御部２０５は、文字モードや写真モードなど原稿画像に適した画像処理モードを該ユーザにより選択可能にする為の画面を表示部４０１に表示させる。又、濃度設定キー６１１をユーザ操作することで、印刷対象となるジョブの出力画像の濃淡を調整可能にする。
【００９２】
又、図６を参照し、制御部２０５は、表示部４０１のステータス表示欄６０６に、スタンバイ状態、ウォームアップ中、プリント中、ジャム、エラー等、本印刷装置にて現在発生中のイベントの動作状態をユーザに確認させる為の表示を実行させる。又、制御部２０５は、処理対象となるジョブの印刷倍率をユーザに確認させる為の情報を、表示欄６０７に、表示させる。又、処理対象となるジョブのシートサイズや給紙モードをユーザに確認させる為の情報を、表示欄６１６に、表示させる。又、処理対象となるジョブの印刷部数をユーザに確認させる為の情報や、プリント動作中にて何枚目を印刷中かをユーザに確認させる為の情報を、表示欄６１０に、表示させる。このように、制御部２０５は、ユーザに通知すべき各種情報を表示部４０１に表示させる。
【００９３】
更に、制御部２０５は、割り込みキー６１３がユーザにより押下された場合、本印刷装置により印刷中のジョブの印刷を停止させ、該ユーザのジョブの印刷を実行可能にする。応用モードキー６１８が押下された場合、ページ連写、表紙・合紙設定、縮小レイアウト、画像移動など様々な画像処理やレイアウトなどの設定を行う画面を表示部４０１に表示させる。
【００９４】
また、制御部２０５は、処理対象となるジョブの為の設定として、本印刷システム１０００が具備するインラインタイプのシート処理装置２００が具備するシート処理部によるシート処理の実行要求をユーザから受付可能にする為の表示をＵＩ部により実行させる。この表示を該ＵＩ部に実行させる為の指示自体をユーザから受付可能にする表示も該ＵＩ部により実行させる。
【００９５】
この１例として、制御部２０５は、表示部４０１に図６の表示キー６０９を表示させる。このシート処理設定キー６０９がユーザ押下されたとする。この場合、制御部２０５は、本システム１０００が具備するインラインタイプのシート処理装置を用いて実行可能なシート処理の選択候補の中からユーザが所望のシート処理をユーザ自身により特定可能にする表示を、表示部４０１に、実行させる。尚、この図７の表示に例示する「シート処理設定キー６０９」のことを、図２６以降で例示では、「フィニッシングキー」とも呼ぶ。即ち、同じ機能ボタンを意味する。故に、後述する説明では、「シート処理」のことを「フィニッシィング」とも呼ぶ。又、「パンチ処理」に関しても、ＰＯＤ環境では、様々なパンチ処理（印刷済みのシートに対する穿孔処理）を行うニーズが想定される。
【００９６】
そこで、図２６以降の例示では、複数種類のパンチ処理に該当する、「２穴パンチ（シートの綴じ辺に該当するシート端部に２箇所穴をあける処理）「多穴パンチ（シートの端部に３０穴等の多数の穴をあける処理）」を例示している。これらの処理は、上記構成に対応すべく、図８〜図１３に示す中綴じ製本機が具備するパンチユニットにより実行可能にするものとする。換言すると、これ以外の装置やユニットを用いて、これらのパンチ処理を実行可能に構成しても良い。但し、上記例示の如く、インラインフィニッシャの定義に該当する装置を本システム１０００にて利用を許可し、これに該当しない装置は本システム１０００での利用を禁ずるよう構成する。
【００９７】
例えば、本例では、キー６０９がユーザにより押下された事に応答し、表示部４０１に図７の表示を実行させる。制御部２０５は、図７の表示を介して、処理対象のジョブにて印刷されたシートに対してインラインシート処理装置２００により実行すべきシート処理の実行要求を受付可能に制御する。
【００９８】
但し、制御部２０５は、図７の表示を介して選択可能なシート処理装置の候補は、本システム１０００が如何なるシート処理装置を具備するのか、その装備状況に応じて、決定する。例えば、図７の表示では、プリンタ部２０３により印刷されたシートに対して以下に列挙する複数種類のシート処理のうちの何れかの種類のシート処理の実行要求をユーザから受付けることを許可している。
（１）  ステイプル処理
（２）  パンチ処理
（３）  折り処理
（４）  シフト排紙処理
（５）  断裁処理
（６）  中綴じ製本処理
（７）  糊付け製本処理の１例に該当するくるみ製本処理
（８）  糊付け製本処理の別例に該当する天糊製本処理
（９）  大量積載処理
図７のＵＩ制御例では、制御部２０５は、これら９種類のシート処理が選択候補となるよう操作部２０４を制御している。この理由は、本印刷システム１０００が具備するインラインタイプのシート処理装置を利用することで、これら９種類のシート処理を選択的に実行可能であるからである。
【００９９】
逆に、本システム１０００にて実行不可能な種類に該当するシート処理は、図７の表示にて選択候補の対象外となるよう、ＵＩ部を制御する。例えば、くるみ製本処理及び天糊製本処理を選択的に実行可能な１台のシート処理装置を本システム１０００が具備していない場合、或いは、故障している場合等は、キー７０７及びキー７０８は選択無効状態となるよう制御する。例えば、制御部２０５は、グレーアウト表示な網掛け表示を実行させる。これにより、当該シート処理の実行要求をユーザから受付けないように制御する。更に、上記９種類の候補以外の異なるシート処理を実行可能なシート処理装置を本システム１０００が具備している場合は、そのシート処理の実行要求をユーザから受付可能にする為の表示キーを、図７の表示にて、有効表示状態にするよう制御する。これにより、当該シート処理の実行要求をユーザから受付ける事を許可する。このような表示制御も、本形態にて、後述するジョブ処理制御と共に実行可能に構成することで、ユーザの誤操作を防止可能にしている。
【０１００】
又、このような制御を実行するうえで、制御部２０５は、如何なるシート処理装置が、シート処理装置２００として、本システム１０００が具備しているかを特定するシステム構成情報を獲得する。又、該シート処理装置２００にてエラーが発生しているか否か等を特定するステータス情報等も、上記制御の際に利用する。これらの情報を、制御部２０５は、例えば、ＵＩ部を介してユーザがマニュアル入力する事で獲得するか、シート処理装置２００が印刷装置１００と接続された際に、装置自身が信号線を介して出力する信号に基いて自動獲得する。このような構成を前提とし、制御部２０５は、当該獲得した情報に基いた表示内容でもって、図７の表示を、表示部４０１に実行させる。
【０１０１】
尚、本システム１０００は、ＰＣ１０３、ＰＣ１０４等の外部装置からも処理対象となるジョブの印刷実行要求、及び、該ジョブにて要するシート処理の実行要求を受付可能に構成している。このように外部装置からジョブを投入する場合は、印刷データの送信元となる該外部装置の表示部に図７の表示と同等機能の表示を実行させるよう制御する。この１例として、本例では、後述するような、プリンタドライバの設定画面を、ＰＣ１０３やＰＣ１０４のコンピュータの表示部に表示させている。但し、このように外部装置のＵＩに表示を実行させる場合には、該装置の制御部が上記制御を実行する。例えば、ＰＣ１０３やＰＣ１０４の表示部に後述するプリンタドライバＵＩ画面を表示させる場合には、制御の主体は、該ＰＣのＣＰＵが実行する。
【０１０２】
［本形態にて制御対象となる本印刷システム１０００の具体的システム構成例］
本形態の特徴点の１例に関連し、本印刷システム１０００が、印刷装置１００に対して、如何様なシート処理を実行可能な如何様なインラインタイプのシート処理装置を、如何様に、何台、接続できるのか等のシステム構成に関し、図８、図９等を用いて説明する。
【０１０３】
本形態は、図１〜図３に示すシステム１０００として、例えば、図８、図９のようなシステム構成を構築可能に構成している。
【０１０４】
図８のシステム構成例は、本システム１０００が、大容量スタッカ、糊付け製本機、中綴じ製本機、合計３台のインラインタイプのシート処理装置を、一連のシート処理装置群２００として、具備している事を意味する。尚且つ、図８の構成例は、本システム１０００が具備する印刷装置１００に対して、大容量スタッカ、糊付け製本機、中綴じ製本機という、接続順序で、接続されている事を意味する。本システム１０００が具備する制御部の１例に該当する制御部２０５は、図８、図９のようなシステム構成からなる本印刷システム１０００を統括的に制御する。
【０１０５】
本例にて、大容量スタッカは、プリンタ部２０３からのシートを、大量枚数（例えば、５０００枚）、積載可能なシート処理装置である。
【０１０６】
又、本例の糊付け製本機は、プリンタ部２０３で印刷された１束分のシートを表紙をつけて製本するにあたりシートの糊付け処理を要するくるみ製本処理を実行可能なシート処理装置である。又、表紙をつけずに糊付け製本するシート処理に該当する天糊製本処理も該糊付け製本機により実行可能である。該糊付け製本機は、少なくともくるみ製本処理を実行可能なシート処理装置であるので、くるみ製本機とも呼ぶ。
【０１０７】
又、中綴じ製本機は、プリンタ部２０３からのシートに対して、ステイプル処理、パンチ処理、断裁処理、シフト排紙、中綴じ製本処理、折り処理、を、選択的に実行可能なシート処理装置である。
【０１０８】
本形態では、制御部２０５が、これらのシート処理装置に関わる各種のシステム構成情報を、各種制御に要する管理情報として、特定のメモリに登録させる。例えば、制御部２０５は、本システム１０００が図８のようなシステム構成である場合、以下に列挙する情報を、ＨＤＤ２０９に登録させておく。
（情報１）  本システム１０００はインラインタイプのシート処理装置を具備している事を制御部２０５により確認可能にする為の装置有無情報。このように、本システム１０００がインラインタイプのシート処理装置を具備しているか否かを制御部により特定可能にする情報がこれに該当する。
（情報２）  本システム１０００は、インラインタイプのシート処理装置２００を３台具備している事を制御部２０５により確認可能にする為のインラインシート処理装置の台数情報。このように、本システム１０００が具備するインラインタイプのシート処理装置の台数を制御部により特定可能にする情報がこれに該当する。
（情報３）  大容量スタッカ、糊付け製本機、中綴じ製本機を、本システム１０００が具備している事を制御部２０５により特定可能にするインラインシート処理装置の種類情報。このように、本システム１０００にて具備するインラインシート処理装置の種類を制御部により確認可能にする情報がこれに該当する。
（情報４）  上記３台のうち、１台は、プリンタ部２０３からのシートの大量積載処理を実行可能な大容量スタッカである事を制御部２０５により確認可能にする情報。うち１台は、プリンタ部２０３からのシートの糊付け製本処理（くるみ製本処理、及び／又は、天糊製本処理）を実行可能な糊付け製本装置ある事を制御部２０５により確認可能にする装置能力情報。うち１台は、プリンタ部２０３からのシートに対して、ステイプル、パンチ、断裁、シフト排紙、中綴じ製本処理、折り処理、が、選択的に実行可能な中綴じ製本装置である事を制御部２０５により確認可能にする情報。換言すると、本システムにて実行可能なシート処理は、ステイプル、パンチ、断裁、シフト排紙、中綴じ製本、折り、くるみ製本、天糊製本、大量積載の、合計９種類である事を制御部２０５により特定可能にする為の情報。このように、本システム１０００のインラインタイプのシート処理装置にて実行可能なシート処理の能力情報を制御部により確認可能にする為の情報が、これに該当する。
（情報５）  上記３台のシート処理装置は、印刷装置１００に対して、大容量スタッカ、糊付け製本機、中綴じ製本機、の順序で、カスケード接続されている事を制御部２０５により確認可能にする為の情報。このように、複数台のインラインフィニッシャが接続されている場合に、これらシート処理装置の本システムにおける接続順序情報が、これに該当する。
【０１０９】
以上の（情報１）〜（情報５）で示すが如くの、各種情報を、制御部２０５が各種制御にて要するシステム構成情報として、ＨＤＤ２０９に登録する。且つ、制御部２０５は、この情報を後述するジョブ制御にて要する判断材料情報として、利用する。
【０１１０】
以上の構成を前提とし、例えば、本印刷システム１０００のシステム構成状況が、図８のようなシステム構成であるとする。このシステム構成にて制御部２０５が、どのような制御を実行するか、以下に例示する。
【０１１１】
例えば、本システム１０００が図８、図９のシステム構成である場合、上記９種類のシート処理を本システムにて全て実行可能である。この事実は、制御部２０５が、上記（情報１）〜（情報５）の判断材料に基づいて、認識する。且つ、当該認識結果に基づいて、制御部２０５が、図７の表示に示す合計９種類のシート処理を全て選択候補にするようＵＩ部を制御する。且つ、該制御部２０５は以下のようなユーザ操作に応答した制御を実行する。
【０１１２】
例えば、制御部２０５がＵＩ部に実行させた図７の表示におけるキー７０１のユーザ押下により、該ＵＩ部を介して処理対象ジョブの為にステイプル処理の実行要求をユーザから受付けたとする。この場合、制御部２０５は、当該要求に応答し、該ジョブにて印刷処理がなされたシートに対するステイプル処理を、図８のシート処理装置２００ｃに該当する中綴じ製本装置により実行させる。
【０１１３】
一方、例えば、制御部２０５がＵＩ部に実行させた図７の表示におけるキー７０２のユーザ押下により、該ＵＩ部を介して処理対象ジョブの為にパンチ処理（シートの穴あけ処理）の実行要求をユーザから受付けたとする。この場合、制御部２０５は、当該要求に応答し、該ジョブにて印刷処理がなされたシートに対するパンチ処理を、図８のシート処理装置２００ｃに該当する中綴じ製本装置により実行させる。
【０１１４】
一方、例えば、制御部２０５がＵＩ部に実行させた図７の表示におけるキー７０３のユーザ押下により、該ＵＩ部を介して処理対象ジョブの為に断裁処理の実行要求をユーザから受付けたとする。この場合、制御部２０５は、当該要求に応答し、該ジョブにて印刷処理がなされたシートの断裁処理を、図８のシート処理装置２００ｃに該当する中綴じ製本装置により実行させる。
【０１１５】
一方、例えば、制御部２０５がＵＩ部に実行させた図７の表示におけるキー７０４のユーザ押下により、該ＵＩ部を介して処理対象ジョブの為に断裁処理の実行要求をユーザから受付けたとする。この場合、制御部２０５は、当該要求に応答し、該ジョブにて印刷処理がなされたシートの断裁処理を、図８のシート処理装置２００ｃに該当する中綴じ製本装置により実行させる。
【０１１６】
一方、例えば、制御部２０５がＵＩ部に実行させた図７の表示におけるキー７０５のユーザ押下により、該ＵＩ部を介して処理対象ジョブの為に中綴じ製本処理の実行要求をユーザから受付けたとする。この場合、制御部２０５は、当該要求に応答し、該ジョブにて印刷処理がなされたシートの中綴じ製本処理を、図８のシート処理装置２００ｃに該当する中綴じ製本装置により実行させる。
【０１１７】
一方、例えば、制御部２０５がＵＩ部に実行させた図７の表示におけるキー７０６のユーザ押下により、該ＵＩ部を介して処理対象ジョブの為に折り処理の実行要求をユーザから受付けたとする。この場合、制御部２０５は、当該要求に応答し、該ジョブにて印刷処理がなされたシートの折り処理（例えば、Ｚ折りと呼ばれるシート処理）を、図８のシート処理装置２００ｃに該当する中綴じ製本装置により実行させる。
【０１１８】
一方、例えば、制御部２０５がＵＩ部に実行させた図７の表示におけるキー７０７のユーザ押下により、該ＵＩ部を介して処理対象ジョブの為にくるみ製本処理の実行要求をユーザから受付けたとする。この場合、制御部２０５は、当該要求に応答し、該ジョブにて印刷処理がなされたシートのくるみ製本処理を、図８のシート処理装置２００ｂに該当する糊付け製本機により実行させる。
【０１１９】
一方、例えば、制御部２０５がＵＩ部に実行させた図７の表示におけるキー７０８のユーザ押下により、該ＵＩ部を介して処理対象ジョブの為に天糊製本処理の実行要求をユーザから受付けたとする。この場合、制御部２０５は、当該要求に応答し、該ジョブにて印刷処理がなされたシートの天糊製本処理を、図８のシート処理装置２００ｂに該当する糊付け製本機により実行させる。
【０１２０】
一方、例えば、制御部２０５がＵＩ部に実行させた図７の表示におけるキー７０９のユーザ押下により、該ＵＩ部を介して処理対象ジョブの為に大量積載処理の実行要求をユーザから受付けたとする。この場合、制御部２０５は、当該要求に応答し、該ジョブにて印刷処理がなされたシートの大量積載処理を、図８のシート処理装置２００ａに該当する大容量スタッカにより実行させる。
【０１２１】
以上の如く、制御部２０５は、本システム１０００が具備するシート処理装置にて実行可能な種類のシート処理に対応する選択候補の中からユーザが所望の種類のシート処理の実行要求を、ＵＩ部を介して、印刷実行要求と共に、受付可能に制御する。且つ、本形態で提供するＵＩ部を介して処理対象となるジョブの印刷実行要求をユーザから受付け事に応答し、該ジョブにて要する印刷処理をプリンタ部２０３により実行させる。且つ、そのプリント処理がなされた該ジョブのシートに対して該ジョブにて要するシート処理を本システム１０００のシート処理装置により実行させる。
【０１２２】
尚且つ、本形態の特徴点の１例として、制御部２０５は、以下のような制御も本システム１０００にて実行する。
【０１２３】
例えば、システム１０００が図８のようなシステム構成であるとする。換言すると、印刷システム１０００が、印刷装置１００→大容量スタッカ→糊付け製本機→中綴じ製本機の順で接続されているとする。この場合のシステム構成内部の状況は、図９に示すような構成になる。
【０１２４】
図９は、印刷システム１０００の構成が図８のシステム構成の場合における印刷システム１０００全体の装置断面図を示している。且つ、図９の装置構成は、図８の装置構成に対応している。
【０１２５】
図９では、システム１０００全体の装置断面図を示している。且つ、図９の装置構成は、図８の装置構成に対応している。
【０１２６】
図９の装置内部構成からも明らかなように、印刷装置１００のプリンタ部２０３で印刷されたシートは、各シート処理装置の内部へと供給可能に構成されている。具体的には、図９に示すが如く、各シート処理装置は、装置内部におけるＡ点、Ｂ点、Ｃ点を介して、シートを搬送可能な、シート搬送路を、夫々、具備する構成である。
【０１２７】
且つ、図９のシート処理装置２００ａや２００ｂ等、各インラインタイプのシート処理装置は、自装置にて実行可能なシート処理が処理対象となるジョブにて必要でなくても、自装置よりも前に接続されている前段の装置からシートを受取る機能を具備する。且つ、該前段装置から受取ったシートを、自装置よりも後ろ接続されている後段の装置へと渡す機能を具備する。
【０１２８】
このように、本形態の印刷システム１０００は、処理対象のジョブにて要するシート処理とは異なるシート処理を実行するシート処理装置が前段の装置から後段の装置へと処理対象となるジョブのシートを搬送する機能を具備する。この構成も、本形態の特徴点の１例である。
【０１２９】
以上が如くのシステム構成を前提とし、例えば、印刷システム１０００が図８、９に示すシステム構成である場合、上記のような方法でＵＩ部を介して印刷実行要求がユーザからなされたジョブに対して、制御部２０５は、以下に例示する制御を実行する。
【０１３０】
例えば、図８、図９のシステム構成にてユーザから印刷実行要求を受付けた処理対象のジョブが、印刷処理を経て大容量スタッカによるシート処理（ｅｘ大量積載処理）を要するジョブであるとする。ここでは、このジョブを「スタッカジョブ」と呼ぶ。
【０１３１】
このスタッカジョブを、図８、図９のシステム構成にて処理する場合、制御部２０５は、印刷装置１００で印刷がなされた該ジョブのシートを、図９のＡ点を通過させて、大容量スタッカによるシート処理を実行させる。且つ、この大容量スタッカによるシート処理（ｅｘ大量積載処理）がなされたスタッカジョブの印刷結果を、他装置（例えば後段の装置）へ搬送させずに、そのまま、図９に示す大容量スタッカ内部の排紙先Ｘにて、保持させる。
【０１３２】
この図９の排紙先Ｘにホールドされたスタッカジョブの印刷物は、この排紙先Ｘの個所から直接、オペレータにより取出可能に構成している。換言すると、わざわざ、図９のシート搬送方向最下流の排紙先Ｚにシートを搬送して、該個所から該スタッカジョブの印刷物を取出すといった、一連の装置動作やオペレータ操作を、不要に構成する。
【０１３３】
以上の、本印刷システム１０００が図８、図９のシステム構成である場合にて制御部２０５により実行する一連の制御が、図９の（ケース１）の制御例に該当する。
【０１３４】
一方、例えば、図８、図９のシステム構成にてユーザから印刷実行要求を受付けた処理対象のジョブが、印刷処理を経て糊付け製本機によるシート処理（ｅｘくるみ製本処理、又は、天糊製本処理）を要するジョブであるとする。ここではこのジョブを「糊付け製本ジョブ」と呼ぶ。
【０１３５】
この糊付け製本ジョブを、図８、図９のシステム構成に処理する場合、制御部２０５は、印刷装置１００で印刷がなされた該ジョブのシートを、図９のＡ点及びＢ点を通過させて、糊付け製本機によるシート処理を実行させる。且つ、この糊付け製本機によるシート処理（ｅｘくるみ製本処理、又は、天糊製本処理）がなされた糊付け製本ジョブの印刷結果を、他装置（例えば後段の装置）へ搬送させずに、そのまま、図９に示す糊付け製本装置内部の排紙先Ｙにて、保持させる。
【０１３６】
この図９の排紙先Ｙにホールドされた糊付け製本ジョブの印刷物は、この排紙先Ｙの個所から直接、オペレータにより取出可能に構成している。換言すると、わざわざ、図９のシート搬送方向最下流の排紙先Ｚにシートを搬送して、該個所から該糊付け製本ジョブの印刷物を取出すといった、一連の装置動作やオペレータ操作を、不要に構成する。
【０１３７】
以上の、本印刷システム１０００が図８、図９のシステム構成である場合にて制御部２０５により実行する一連の制御が、図９の（ケース２）の制御例に該当する。
【０１３８】
更に、一方、例えば図８、図９のシステム構成にてユーザから印刷実行要求を受付けた処理対象のジョブが、印刷処理を経て中綴じ製本処理によるシート処理を要するジョブであるとする。（中綴じ製本処理によるシート処理には、例えば、中綴じ製本、又は、パンチ処理、又は、断裁処理、又は、シフト排紙処理、又は、折り処理がある。）ここでは、このジョブを「中綴じ製本ジョブ」と呼ぶ。
【０１３９】
この中綴じ製本ジョブを、図８、図９のシステム構成に処理する場合、制御部２０５は、印刷装置１００で印刷がなされた該ジョブのシートを、図９のＡ点及びＢ点及びＣ点を通過させて、中綴じ製本機によるシート処理を実行させる。且つ、この中綴じ製本機による上記シート処理がなされた中綴じ製本ジョブの印刷結果を、他装置へ搬送させずに、そのまま、図９に示す中綴じ製本装置の排紙先Ｚにて、保持させる。
【０１４０】
尚、図９の排紙先Ｚは複数の排紙先候補がある。これは、後述の図１６の説明のように、本形態の中綴じ製本機は、複数種類のシート処理を実行可能であり、各シート処理毎に排紙先を異ならせる構成である事に起因する。
【０１４１】
以上の、本印刷システム１０００が図８、図９のシステム構成である場合にて制御部２０５により実行する一連の制御が、図９の（ケース３）の制御例に該当する。
【０１４２】
以上の如く、本形態の制御部の一例に該当する制御部２０５は、ＨＤＤ２０９に記憶された本システム１０００のシステム構成情報に基いたペーパハンドリング制御も、実行する。
【０１４３】
尚、このシステム構成情報に該当する情報は、インラインフィニッシャを具備しているか否かの情報、インラインフィニッシャを具備している場合の、その装置の台数の情報、その装置の能力情報である。又、複数台のインラインフィニッシャを具備する場合には、それらの接続順序情報も、これに該当する。
【０１４４】
図１〜図３、図８、図９等で説明したように、本形態の印刷システム１０００は、印刷装置１００に対して、複数台のインラインタイプのシート処理装置を接続可能に構成している。且つ、図８、９及び後述する図１０、図１１や図１２、図１３を対比参照しても明白なように、これら複数台のインラインタイプのシート処理装置は、それぞれ独立に接続したり、外したり、自由な組合せで、印刷装置１００に対して、取付可能に構成している。また、これら複数台のインラインタイプのシート処理装置の接続順序も、物理的に接続できれば、自由に組み合わせることができる。但し、本形態では、これらのシステムに構成に関し、制約事項も設けている。
【０１４５】
例えば、本システム１０００にてインラインタイプのシート処理装置として利用を許可する装置は、以下の構成要件を具備する装置としている。
【０１４６】
自装置にて実行可能なシート処理を要するジョブのシートに対するシート処理を自装置自身で実行可能であり、且つ、自装置自身によるシート処理を要さないジョブのシートを前段の装置から受け取り後段装置へ渡すシート搬送機能を具備するシート処理装置。例えば、本例では、図８、図９や後述する図１０、図１１のシステム構成で示す、大容量スタッカ及び糊付け製本機が、これに該当する。
【０１４７】
尚且つ、本形態では、上記構成に該当しないシート処理装置も、インラインタイプのシート処理装置として本システム１０００にて利用を許可している。例えば、以下の要件を満たす装置がこれに該当する。
【０１４８】
自装置にて実行可能なシート処理を要するジョブのシートに対するシート処理を自装置自身で実行可能である反面、自装置自身によるシート処理を要さないジョブのシートを前段の装置から受け取り後段の装置へ渡すシート搬送機能を具備しない、シート処理装置。例えば、本例では、図８、図９や後述する図１０、図１１や図１２、図１３のシステム構成で示す、中綴じ製本機が、これに該当する。但し、このような装置に対しては制約事項を設けている。
【０１４９】
例えば、上記の如く、後段装置へのシート搬送機能が無い構成のインラインフィニッシャ（例えば図８、図９の中綴じ製本機）を本印刷システム１０００にて利用する場合には、この装置の利用台数を１台のみとする。但し、これ以外のタイプのインラインフィニッシャを同時に利用することは許可する。
【０１５０】
例えば、図８、図９や後述する図１０、図１１のシステム構成で示すが如く、大容量スタッカや糊付け製本機を、中綴じ製本機と併用して利用することは許可する。但し、このように、複数台のシート処理装置をカスケード接続して利用する場合、上記後段装置へのシート搬送機能を具備しないインラインタイプのシート処理装置は、シート搬送方向最下流に位置するように設置させる。
【０１５１】
例えば、図８、図９や後述する図１０、図１１のシステム構成で示すが如く、中綴じ製本機は、システム１０００にて１番最後に接続するように構成する。換言すると、図８、図９や後述する図１０、図１１のシステム構成とは異なるシステム構成として、大容量スタッカと糊付け製本機との間に上記中綴じ製本機を接続するように本システムにて構成する事は禁止する。
【０１５２】
以上のような制約事項を遵守した範囲内での運用を行うよう本システムが具備する制御部は本システム１０００を統括的に制御する。
【０１５３】
この１例として、例えば、制御部２０５は、上記制約に違反するような接続順序でインラインタイプのシート処理装置が接続された場合には、ＵＩ部に警告表示を実行させる。又、例えば、上述した構成が如く、複数台のシート処理装置の接続順番をＵＩ部を介してユーザ自身により入力させる構成の場合に、制御部２０５は、上記制約に違反するようなユーザ設定は無効にするよう制御する。例えば、不適正な接続の設定を阻止するべくグレーアウト表示や網掛け表示を実行させる。
【０１５４】
以上のような構成を採用することで、本形態のような構成を採用する場合にて、ユーザ誤操作や装置誤動作等の発生を未然防止できる。即ち、本形態で述べている効果が更に向上する。
【０１５５】
このような構成を前提とし、本形態では、上記制約事項を遵守する範囲内において、本システム１０００のシステム構成を柔軟に構築可能に構成する。
【０１５６】
例えば、インラインタイプのシート処理装置の接続順序や接続台数を、上記制約事項を遵守した範囲内で、ＰＯＤシステム１００００のオペレータにより任意に決定変更可能に構成する。且つ、本システム１０００は、当該システム構成状況に応じた制御を実行する。この一例を以下に示す。
【０１５７】
例えば、図８のシステム構成における複数台のインラインタイプのシート処理装置の接続順序を変更したシステム構成の１例として、図１０のようなシステム構成も構築可能に本印刷システム１０００を構成している。
【０１５８】
図１０のシステム構成は、図８のシステム構成と比較して、本システム１０００が具備する複数台のインラインシート処理装置の接続順序が異なる。具体的には、印刷システム１０００が、印刷装置１００→糊付け製本機→大容量スタッカ→中綴じ製本機の順で接続されている。この場合のシステム構成内部の状況は、図１１に示すような構成になる。
【０１５９】
図１１は、印刷システム１０００の構成が図１０のシステム構成の場合における印刷システム１０００全体の装置断面図を示す。且つ、図１１のシステム構成は、図１０のシステム構成の内部構成に対応している。
【０１６０】
図１１のシステム内部構成も、先のシステム構成例と同様に、印刷装置１００のプリンタ部２０３で印刷されたシートを、各シート処理装置内部へ供給可能に構成されている。具体的には、図１１に示すが如く、装置内部におけるＡ点、Ｂ点、Ｃ点を介して、プリンタ部２０３からのシートを搬送可能なシート搬送路を具備する。
【０１６１】
しかも、図１０、図１１のシステム構成も、上記制限事項を遵守したシステム構成となっている。例えば、上述したように、中綴じ製本機は、シート搬送方向最下流になるよう、各シート処理装置を本印刷装置１００にカスケード接続している。
【０１６２】
以上の構成を前提とし、例えば、印刷システム１０００のシステム構成状況が、図１０、図１１に示すシステム構成である場合、上記のような方法でＵＩ部を介して印刷実行要求がユーザからなされたジョブに対し、制御部２０５は、以下に例示する制御を実行する。
【０１６３】
例えば、図１０、図１１のシステム構成にてユーザから印刷実行要求を受付けた処理対象のジョブが、印刷処理を経て大容量スタッカによるシート処理（ｅｘ大量積載処理）を要するジョブであるとする。ここでは、このジョブを「スタッカジョブ」と呼ぶ。
【０１６４】
このスタッカジョブを、図１０、図１１のシステム構成にて処理する場合、制御部２０５は、印刷装置１００で印刷がなされた該ジョブのシートを、図１１のＡ点及びＢ点を通過させて、大容量スタッカによるシート処理を実行させる。且つ、この大容量スタッカによるシート処理（ｅｘ大量積載処理）がなされたスタッカジョブの印刷結果を、他装置（例えば後段の装置）へ搬送させずに、そのまま、図１１に示す大容量スタッカ内部の排紙先Ｙにて、保持させる。
【０１６５】
この図１１の排紙先Ｙにホールドされたスタッカジョブの印刷物は、この排紙先Ｙの個所から直接、オペレータにより取出可能に構成している。これにより、わざわざ、図１１のシート搬送方向最下流の排紙先Ｚにシートを搬送して、該個所から該スタッカジョブの印刷物を取出すといった、一連の装置動作やオペレータ操作を、不要に構成する。
【０１６６】
以上の、本印刷システム１０００が図９のシステム構成である場合にて制御部２０５により実行する一連の制御が、図１１の（ケース１）の制御例に該当する。
【０１６７】
一方、例えば、図１０、図１１のシステム構成にてユーザから印刷実行要求を受付けた処理対象のジョブが、印刷処理を経て糊付け製本機によるシート処理（例えば、くるみ製本処理、又は、天糊製本処理）を要するジョブであるとする。ここではこのジョブを「糊付け製本ジョブ」と呼ぶ。
【０１６８】
この糊付け製本ジョブを、図１０、図１１のシステム構成に処理する場合、制御部２０５は、印刷装置１００で印刷がなされた該ジョブのシートを、図１１のＡ点を通過させて、糊付け製本機によるシート処理を実行させる。且つ、この糊付け製本機によるシート処理（ｅｘくるみ製本処理、又は、天糊製本処理）がなされた糊付け製本ジョブの印刷結果を、他装置（例えば後段の装置）へ搬送させずに、そのまま、図１１に示す糊付け製本装置内部の排紙先Ｘにて、保持させる。
【０１６９】
この図１１の排紙先Ｘにホールドされた糊付け製本ジョブの印刷物は、この排紙先Ｘの個所から直接、オペレータにより取出可能に構成している。これにより、わざわざ、図１１のシート搬送方向最下流の排紙先Ｚにシートを搬送して、該個所から該糊付け製本ジョブの印刷物を取出すといった、一連の装置動作やオペレータ操作を、不要に構成する。
【０１７０】
以上の、本印刷システム１０００が図１０、図１１のシステム構成である場合にて制御部２０５により実行する一連の制御が、図１１の（ケース２）の制御例に該当する。
【０１７１】
更に、一方、例えば、図１０、図１１のシステム構成にてユーザから印刷実行要求を受付けた処理対象のジョブが、印刷処理を経て中綴じ製本処理によるシート処理を要するジョブであるとする。（中綴じ製本処理によるシート処理には、例えば、中綴じ製本、又は、パンチ処理、又は、断裁処理、又は、シフト排紙処理、又は、折り処理がある。）ここでは、このジョブを「中綴じ製本ジョブ」と呼ぶ。
【０１７２】
この中綴じ製本ジョブを、図１０、図１１のシステム構成に処理する場合、制御部２０５は、印刷装置１００で印刷がなされた該ジョブのシートを、図１１のＡ点及びＢ点及びＣ点を通過させて、中綴じ製本機によるシート処理を実行させる。且つ、この中綴じ製本機による上記シート処理がなされた中綴じ製本ジョブの印刷結果を、他装置へ搬送させずに、そのまま、図１１に示す中綴じ製本装置の排紙先Ｚにて、保持させる。
【０１７３】
尚、図１１の排紙先Ｚは複数の排紙先候補がある。これは、後述の図１６の説明のように、本形態の中綴じ製本機は、複数種類のシート処理を実行可能であり、各シート処理毎に排紙先を異ならせる構成である事に起因する。
【０１７４】
以上の、本印刷システム１０００が図１０、図１１のシステム構成である場合にて制御部２０５により実行する一連の制御が、図１１の（ケース３）の制御例に該当する。
【０１７５】
以上の図８、図９、図１０、図１１に例示した如く、本印刷システム１０００は、インラインシート処理装置として利用を許可する複数台のシート処理装置の接続順序を、上記制約事項の範囲内で、柔軟に、組換え変更可能に構成している。このように、本形態で上述する効果を最大限に発揮する為の仕組みを多数盛り込んでいる。
【０１７６】
この観点で、本形態では、図８、図９や図１０、図１１のようなシステム構成以外の構成も、本システム１０００にて、適宜、構築可能に構成している。この一例を以下に説明する。
【０１７７】
例えば、図８、図９や図１０、図１１のシステム構成では、インラインタイプのシート処理装置を３台具備するシステム構成を説明した。本形態では、インラインタイプのシート処理装置の台数を上記のような制約事項を遵守した範囲内で任意にユーザが決定可能に構成している。
【０１７８】
この１例として、図１２のようなシステム構成も構築可能に本印刷システム１０００を構成している。
【０１７９】
図１２のシステム構成は、図８や図１０のシステム構成とはシート処理装置の接続台数が異なる。具体的には、印刷システム１０００が、印刷装置１００→大容量スタッカ→中綴じ製本機の順序で、２台接続されている。この場合のシステム構成内部の状況は、図１３に示すような構成になる。
【０１８０】
図１３は、印刷システム１０００の構成が図１２のシステム構成の場合における印刷システム１０００全体のシステム構成断面図を示す。且つ、図１３の装置構成は、図１２の装置構成に対応している。
【０１８１】
図１３の装置内部構成も、先のシステム構成例と同様に、印刷装置１００のプリンタ部２０３で印刷されたシートを、各シート処理装置内部へ供給可能に構成されている。具体的には、図１３に示すが如く、装置内部におけるＡ点、Ｂ点、を介して、シートを搬送可能な、シート搬送路を、具備する。しかも、上記制限事項を遵守したシステム構成となっている。例えば、上述したように、中綴じ製本機は、シート搬送方向最下流になるよう、各シート処理装置を接続している。
【０１８２】
このような構成を前提とし、例えば、印刷システム１０００のシステム構成状況が、図１２、図１３に示すシステム構成であるとする。このような場合、上記のような方法でＵＩ部を介して印刷実行要求がユーザからなされたジョブに対して、制御部２０５は、以下に例示する制御を実行する。
【０１８３】
例えば、図１２、図１３のシステム構成にてユーザから印刷実行要求を受付けた処理対象のジョブが、印刷処理を経て大容量スタッカによるシート処理（ｅｘ大量積載処理）を要するジョブであるとする。ここでは、このジョブを「スタッカジョブ」と呼ぶ。
【０１８４】
このスタッカジョブを、図１２、図１３のシステム構成にて処理する場合、制御部２０５は、印刷装置１００で印刷がなされた該ジョブのシートを、図１３のＡ点を通過させて、大容量スタッカによるシート処理を実行させる。且つ、この大容量スタッカによるシート処理（ｅｘ大量積載処理）がなされたスタッカジョブの印刷結果を、他装置（例えば後段の装置）へ搬送させずに、そのまま、図１３に示す大容量スタッカ内部の排紙先Ｘにて、保持させる。
【０１８５】
この図１３の排紙先Ｘにホールドされたスタッカジョブの印刷物は、この排紙先Ｘの個所から直接、オペレータにより取出可能に構成している。これにより、わざわざ、図１３のシート搬送方向最下流の排紙先Ｙにシートを搬送して、該個所から該スタッカジョブの印刷物を取出すといった、一連の装置動作やオペレータ操作を、不要に構成する。
【０１８６】
以上の、本印刷システム１０００が図１２、図１３のシステム構成である場合にて制御部２０５により実行する一連の制御が、図１３の（ケース１）の制御例に該当する。
【０１８７】
一方、例えば、図１２、図１３のシステム構成にてユーザから印刷実行要求を受付けた処理対象のジョブが、印刷処理を経て中綴じ製本処理によるシート処理を要するジョブであるとする。（中綴じ製本処理によるシート処理には、例えば、中綴じ製本、又は、パンチ処理、又は、断裁処理、又は、シフト排紙処理、又は、折り処理がある。）ここでは、このジョブを「中綴じ製本ジョブ」と呼ぶ。
【０１８８】
この中綴じ製本ジョブを、図１２、図１３のシステム構成に処理する場合、制御部２０５は、印刷装置１００で印刷がなされた該ジョブのシートを、図１３のＡ点及びＢ点を通過させて、中綴じ製本機によるシート処理を実行させる。且つ、この中綴じ製本機による上記シート処理がなされた中綴じ製本ジョブの印刷結果を、他装置へ搬送させずに、そのまま、図１３に示す中綴じ製本装置の排紙先Ｙにて、保持させる。
【０１８９】
尚、図１３の排紙先Ｙは複数の排紙先候補がある。これは、後述の図１６の説明のように、本形態の中綴じ製本機は、複数種類のシート処理を実行可能であり、各シート処理毎に排紙先を異ならせる構成である事に起因する。
【０１９０】
以上の、本印刷システム１０００が図１２、図１３のシステム構成である場合にて制御部２０５により実行する一連の制御が、図１１の（ケース２）の制御例に該当する。
【０１９１】
但し、制御部２０５は、図１２、図１３のシステム構成の場合は、糊付け製本機が実行可能なシート処理（ｅｘくるみ製本処理ｏｒ天糊製本処理）の実行要求をユーザから受付ける事を禁止する。
【０１９２】
例えば、本印刷システムが図１２、図１３のようなシステム構成状況である場合において、図７の表示をＵＩ部に実行させる際には、表示キー７０７及び表示キー７０８の網掛け表示やグレーアウト表示になるよう制御する。換言すると、該キー７０７、７０８のユーザ操作を無効状態にする。
【０１９３】
以上の如く、本システム１０００が図１２、１０Ｂのようなシステム構成である場合には、制御部２０５は、糊付け製本処理を本システム１０００にて実行する事を禁止する。
【０１９４】
この、本印刷システム１０００が図１０のシステム構成である場合にて制御部２０５により実行する制御が、図１３の（禁則制御）に該当する。
【０１９５】
以上の説明の如く、制御部２０５は、本印刷システム１０００が具備するインラインタイプのシート処理装置の接続台数に応じた各種制御を実行する。換言すると、システム１０００にて実行可能なシート処理の種類に応じた各種制御を実行する。
【０１９６】
以上、図８〜図１３等の説明からも明らかなように、本印刷システム１０００が具備する制御部は、本システム１０００のシステム構成状況（インラインシート処理装置の接続台数や接続順序）毎に対応した各種制御を本システム１０００にて実行する。
【０１９７】
尚、何故、本形態にて本印刷システム１０００にてインラインシート処理装置の接続順序や台数をユーザニーズに対応するよう柔軟に構築変更可能に構成しているか、この理由の１例を述べる。これは、全てユーザメリットを考慮しているからである。
【０１９８】
まず、なぜ、本システム１０００にて利用を許可するインラインタイプのシート処理装置は、各々、独立筐体で且つ印刷装置に対して着脱可能に構成しているかの理由を述べる。
【０１９９】
この理由の１例としては、例えば、本システム１０００の納品先となるＰＯＤ業者として、くるみ製本処理は必要ないが大容量積載処理は行いたい等の要望をもった業者等の存在に配慮した仕組みである。
【０２００】
例えば、本システムの利用環境を想定してみると、上記９種類のシート処理の全てをインラインシート処理装置で実現したい等のニーズが予想される。一方、特定のシート処理のみインラインシート処理装置で実現した等のニーズも可能性としてはある。このように、納品先となる各ＰＯＤ業者毎にニーズも千差万別である事に対処する仕組みを提供する為である。
【０２０１】
又、なぜ、本システム１０００にて利用を許可するインラインタイプのシート処理装置の接続順序を上記制約事項の範囲内で任意に変更、組替えを、可能に構成しているかの理由を述べる。この理由は、なぜ、図８、図９や図１０、図１１に示すが如く、各インラインシート処理装置毎に印刷物をオペレータにより取出可能な排紙先を設けているのかの理由でもある。
【０２０２】
この理由の一例としては、本印刷システム１０００にて要求される複数のシート処理の利用頻度に応じて柔軟にシステムを構築可能にする方が、本システム１０００の利用者の利便性が向上すると考えるからである。
【０２０３】
例えば、図１のＰＯＤシステム１００００を保有するＰＯＤ業者では、顧客より依頼される印刷形態のニーズが、ユーザマニュアルやガイドブック等、くるみ製本処理を要する印刷ジョブが比較的多い傾向にあるとする。このような利用環境の場合、図８、図９のような接続順序でシステム１０００を構築するよりも、図１０、図１１のような接続順序でシステム１０００を構築する方が利便性がある。
【０２０４】
換言すると、印刷装置１００に対して、より近い個所に、糊付け製本機を接続した方が使い勝手が良い。これは、くるみ製本ジョブにて要するくるみ製本処理を実行する為に必要な装置内部におけるシートの搬送距離を短い方が効果的である事に起因する。
【０２０５】
例えば、シート搬送距離がながければ長いほど、そのジョブの最終成果物である印刷物の完成に要する時間が長くなる。又、シート搬送距離が長ければ長いほど、シート搬送動作中における装置内部でのジャム発生率が、高くなる可能性が予想される。このような理由によるものである。
【０２０６】
即ち、くるみ製本ジョブがユーザニーズとして多いようなＰＯＤ業者の場合には、図８、図９のシステム構成よりも図１０、図１１のシステム構成を採用する方が、くるみ製本ジョブの印刷物を作成するうえで必要なシート搬送距離が短くなる。且つ、迅速に印刷物を取出すことが出来る。
【０２０７】
例えば、上記業者とは別のＰＯＤ業者では、シートの大量積載を要するジョブの方が多い傾向にあるとする。この場合には、図１０、図１１のシステム構成よりも図８、図９のシステム構成の方が、スタッカジョブの印刷物を作成するうえで必要なシート搬送距離が短くなる。且つ、迅速に印刷物を取出すことが出来る。
【０２０８】
このように、本形態は、如何に、効率よく、利用環境に適した柔軟なシステム形態で、本印刷システム１０００にて複数のジョブの生産性を向上させるかに着目している。その上で、このような本システム１０００を利用するユーザからの立場にたった利便性を追求した多数の仕組みを提供可能に構成している。
【０２０９】
次に、図８〜図１３で例示した本システム１０００にて具備可能な各種インラインタイプのシート処理装置の内部構成の具体例を、各シート処理装置毎に、個別に例示する。
【０２１０】
［大容量スタッカの内部構成］
図１４は、図８〜図１３に例示した、本形態にて、制御部２０５により制御対象となる、大容量スタッカの内部構成断面図の１例を示す。
【０２１１】
当該大容量スタッカ内部には、印刷装置１００からのシートの搬送経路として、大きく分けて、３つに分かれている。この１例として、図１４に示すが如く、１つは、ストレートパスである。１つは、エスケープパスである。１つは、スタックパスである。このように３つのシート搬送路が内部に設けられている。
【０２１２】
尚、図１４の大容量スタッカ及び後述する図１５の糊付け製本機の各装置が具備するストレートパスは、前段装置から受取ったシートを後段装置へ渡す為の機能を果たすが為に、本例ではインラインシート処理装置におけるスルーパスとも呼ぶ。
【０２１３】
大容量スタッカ内部に具備するストレートパスは、該装置が具備する積載ユニットによるシートの大量積載処理を要さないジョブのシートを後段の装置へ渡す為のシート搬送路である。換言すると、当該シート処理装置自身によるシート処理が要求されていないジョブのシートを、上流の装置から下流の装置へと搬送する為のユニットである。
【０２１４】
又、大容量スタッカ内部に具備するエスケープパスは、スタックせずに、出力したい場合に用いられる。例えば、後続のシート処理装置が接続されていない場合に、出力の確認作業（プルーフプリント）等を行う場合に、スタックトレイからの取出しを簡略化するべく、当該エスケープパスに印刷物を搬送して、該トレイから印刷物を取出可能にする。
【０２１５】
尚、この大容量スタッカ内部のシート搬送路にはシートの搬送状況やジャムを検知するのに要する複数のシート検知センサが設けられている。また、大容量スタッカに積載されたシートが存在するか否かを検知するシート検知センサが設けられている。
【０２１６】
大容量スタッカの不図示のＣＰＵは、これら各センサからのシート検知情報を、制御部２０５とのデータ通信を行う為の信号線（図２に示す、シート処理装置２００と制御部２０５とを電気的接続関係にする信号線）を、介して、制御部２０５に通知する。制御部２０５は、この大容量スタッカからの情報に基き、大容量スタッカ内部のシートの搬送状況やジャム、また積載されたシートの有無を把握する。尚、本印刷システムのシステム構成として、このシート処理装置と印刷装置１００の間に他のシート処理装置がカスケード接続されている場合、そのシート処理装置のＣＰＵを介して、この大容量スタッカのセンサの情報を制御部２０５に通知する構成となっている。このように、インラインフィニッシャ固有の構成を具備する。
【０２１７】
又更に、大容量スタッカ内部に具備するスタックパスは、該装置が具備する積載ユニットによるシートの大量積載処理を要するジョブのシートに対する大量積載処理を、該装置により実行させる為のシート搬送路である。
【０２１８】
例えば、本システム１０００が図８〜図１３に示した大容量スタッカを具備しているとする。このシステム構成状況において、制御部２０５が、例えば図７の表示のキー７０９のキー操作により、処理対象のジョブの為に、当該スタッカにて実行可能なシートの積載処理の実行要求を、ＵＩ部を介してユーザから受付けたとする。この場合、制御部２０５は、この大容量スタッカが具備するスタックパスへシートを搬送するよう制御する。スタックパスへ搬送されたシートはスタックトレイへ排紙する。
【０２１９】
図１４のスタックトレイは、伸縮可能なステイなどの上に載置される積載ユニットである。このスタックトレイとの結合部には、ショックアブソーバ等が付けられている。制御部２０５は、このスタックトレイを用いて、処理対象となるジョブの印刷済みシートの積載処理を該大容量スタッカによって実行させるよう制御する。伸縮可能なステイの下は台車となっており、不図示の取っ手を付けると台車として、上に載せたスタック出力を別のオフラインフィニッシャなどに運べるようになっている。
【０２２０】
スタッカ部の前ドアが閉まっているときは、伸縮可能なステイはスタック出力が積載されやすい上の位置に上昇し、前ドアがオペレータにより開けられる（あるいは、開ける指示がなされる）とスタックトレイは、下降する仕組みになっている。
【０２２１】
また、スタック出力の積み方には、平積みとシフト積みがあって、平積みは、文字通り常に同じ位置に積む。シフト積みは、ある部数単位、ジョブ単位などで奥手前方向にシフトして、出力に区切りを作って、出力を扱いやすいように積む方法である。
【０２２２】
このように、本システム１０００にてインラインタイプのシート処理装置として利用を許可する対象の当該大容量スタッカは、プリンタ部２０３からのシートの積載処理を実行するにあたり、複数種類の積載方法を実行可能に構成されている。制御部２０５は、このような各種動作の制御を装置に対して実行する。
【０２２３】
［糊付け製本装置の内部構成］
図１５は、図８〜図１３に例示した、本形態にて、制御部２０５により制御対象となる、糊付け製本装置の内部構成断面図の１例を示す。
【０２２４】
当該糊付け製本装置内部には、印刷装置１００からのシートの搬送経路として、大きく分けて、３つに分かれている。この１例として、図１５に示すが如く、１つは、ストレートパスである。１つは、本身パスである。１つは、表紙パスである。このように３つのシート搬送路が内部に設けられている。
【０２２５】
図１５の糊付け製本装置内部に具備するストレートパス（スルーパス）は、該装置が具備する糊付け製本ユニットによるシートの糊付け製本処理を要さないジョブのシートを後段の装置へ渡す為の機能を果たすシート搬送路である。換言すると、当該シート処理装置自身によるシート処理が要求されていないジョブのシートを、上流の装置から下流の装置へと搬送する為のユニットである。
【０２２６】
尚、この糊付け製本機内部のシート搬送路にはシートの搬送状況やジャムを検知するのに要する複数のシート検知センサが設けられている。
【０２２７】
糊付け製本機の不図示のＣＰＵは、これら各センサからのシート検知情報を、制御部２０５とのデータ通信を行う為の信号線（図２に示す、シート処理装置２００と制御部２０５とを電気的接続関係にする信号線）を、介して、制御部２０５に通知する。制御部２０５は、この糊付け製本機からの情報に基き、糊付け製本機内部のシートの搬送状況やジャムを把握する。尚、本印刷システムのシステム構成として、このシート処理装置と印刷装置１００の間に他のシート処理装置がカスケード接続されている場合、そのシート処理装置のＣＰＵを介して、この糊付け製本装置のセンサの情報を制御部２０５に通知する構成となっている。このように、インラインフィニッシャ固有の構成を具備する。
【０２２８】
又、図１５の糊付け製本装置内部に具備する本身パスと表紙パスは、くるみ製本印刷物を作成する為のシート搬送路である。
【０２２９】
例えば、本形態では、くるみ製本印刷処理として、本文となる印刷データの印刷処理をプリンタ部２０３で実行させる。且つ、この印刷されたシートをくるみ製本印刷物の１束分の出力物における本文部分として利用可能にする。このように、くるみ製本にて本文（中身）部分に該当する印刷データが印刷された本文部分のシート束を、本例では「本身」と呼ぶ。且つ、この本身を表紙用の１枚のシートでくるむ処理を、くるみ製本処理にて実行する。この表紙としてのシートを、表紙パスを介して搬送する。他方、本身となる、プリンタ部２０３でプリントした印刷用紙は、本身パスへ搬送するよう制御部２０５が各種シートの搬送制御を実行する。
【０２３０】
このような構成のもと、例えば、制御部２０５が、例えば図７の表示のキー７０７のキー操作により、処理対象のジョブの為に、当該糊付け製本機にて実行可能なくるみ製本処理の実行要求を、ＵＩ部を介してユーザから受付けたとする。この場合、制御部２０５は、以下のように当該装置を制御する。
【０２３１】
例えば、プリンタ部２０３で印刷されたシートを、図１５の本身パスを介して、順次スタック部に蓄える。且つ、処理対象となるジョブの１冊分のシートにて要する本文データが印刷されたシートを、全ページ、該スタック部に蓄えたうえで、表紙パスを介して、該ジョブにて要する表紙用のシートを、搬送させる。
【０２３２】
尚、くるみ製本に関し、本形態の特徴点の１つに関連する事項が存在する。例えば、本例にて糊付け製本処理の１例に該当するくるみ製本処理では、１束分のシート束として処理可能なシート処理枚数が、当該糊付け製本処理とは異なる種類のシート処理にて１束分のシート束として処理可能なシート処理枚数よりも、圧倒的に多い。例えば、くるみ製本処理にて１束分の本文用のシート束として最大２００枚まで処理を許容する。一方、ステイプル処理等は、最大２０枚、中綴じ製本では最大１５枚まで、１束分のシート処理として印刷用紙を処理する事を許可する。このように、１束分のシート束としてシート処理を許可する印刷用紙の許容枚数は、糊付け製本処理と、その他のシート処理では、圧倒的に異なる。
【０２３３】
このように、本形態では、制御部２０５により制御対象となるインラインタイプのシート処理装置により、くるみ製本処理という糊付け製本処理を実行可能に構成している。且つ、オフィス環境では要求すらされなかったインラインタイプのシート処理装置により実行可能なフィニッシィングとして全く新規のフィニッシィングを提供可能に構成している。換言すると、ＰＯＤ環境を想定した仕組みの１つであり、且つ、後述する制御に関連する構成である。
【０２３４】
尚、くるみ製本にて、表紙用のシートとして、図１５に示すが如く、糊付け製本装置自身が具備するインサータのインサータトレイから搬送対象となる、表紙用のデータが予め印刷済みのプレプリントシートを利用可能に構成している。又、印刷装置１００自身により表紙用の画像を印刷させたシートも利用可能に構成している。これら何れかのシートを表紙用のシートとして、表紙パスへ搬送させる。そして、スタック部の下方部分にて、当該表紙用のシートの搬送を一時停止させる。
【０２３５】
この動作に並行して、スタック部に積載済みの本文全ページが印刷済みの複数枚のシートで構成される本身に対して、糊付け処理を実行する。例えば、糊付け部は、所定量の糊を本身の下部に塗布して、十分に糊が行き渡ったところで、本身の糊付けされた部分を表紙の中央部にあてがい、包み込むように結合させる。結合に当たっては、本身を下方に押し込むように送り出すため、表紙にくるまれた本身は、ガイドに添って、回転台の上に滑り落ちる。その後、ガイドは、表紙にくるまれた本身を回転台の上に倒すように移動する。
【０２３６】
回転台の上に寝た表紙にくるまれた本身を、幅寄せ部で位置合わせを行って、まず、小口となる部分をカッターで断裁する。次に、回転台を９０度回転して、幅寄せ部で位置合わせを行い、天となる部分を断裁する。更に、１８０度回転して、幅寄せ部で位置合わせを行い、地となる部分を断裁する。
【０２３７】
断裁後は、再度幅寄せ部で奥まで押しやって、出来上がった表紙にくるまれた本身をバスケット部に入れる。
【０２３８】
バスケット部で十分に糊を乾かした後、出来上がったくるみ製本の束を取り出すことができる。
【０２３９】
このように、糊付け製本機は、ＵＩ部を介して印刷実行要求と共に糊付け製本処理の実行要求がユーザからなされた処理対象のジョブのシートに対する糊付け製本処理を実行する糊付けユニットを具備している。
【０２４０】
又、上述したように、本形態にて、インラインタイプのシート処理装置により実行可能に構成した糊付け製本処理は、上記構成に示すが如く、他の種類のシート処理と比較して、処理工程が多く準備すべき前構成も多い。したがって、ステイプルや中綴じ製本のようなオフィス環境にて頻繁に利用されうるシート処理とは全く構成も異なり、要求されたシート処理を完結されるのに要する処理時間も、他のフィニッシィングに比べ、長くなる事が予想される。
【０２４１】
このように、糊付け製本機能１つをとっても分るように、本形態では、例えば、オフィス環境のみ留まらず、ＰＯＤ環境等の全く新しい印刷環境でも充分に通用する、利便性や生産性を追求した仕組みを採用している。換言すると、例えば、くるみ製本機能や大量積載機能等、オフィス環境では全く未対処であった新機能をＰＯＤ環境でも活用可能に構成要件として具備している。又、図８〜図１３に例示するが如く、印刷装置に対して、インラインタイプのシート処理装置を複数台接続可能にしたシステム構成自体についても、上記目的を果たすが為の仕組みである。
【０２４２】
［中綴じ製本装置の内部構成］
図１６は、図８〜図１３に例示した、本形態にて、制御部２０５により制御対象となる、中綴じ製本機の内部構成断面図の１例を示す。
【０２４３】
当該中綴じ製本装置内部には、印刷装置１００からのシートに対してステイプル処理や断裁処理やパンチ処理や折り処理がシフト排紙処理等を選択的に実行可能にするための各種ユニットを具備している。但し、当該中綴じ製本機は、上記制約事項で述べたように、後段装置へのシート搬送機能の役目を果たすスルーパスを具備しない。
【０２４４】
尚、この中綴じ製本機内部のシート搬送路にはシートの搬送状況やジャムを検知するのに要する複数のシート検知センサが設けられている。
【０２４５】
中綴じ製本機の不図示のＣＰＵは、これら各センサからのシート検知情報を、制御部２０５とのデータ通信を行う為の信号線（図２に示す、シート処理装置２００と制御部２０５とを電気的接続関係にする信号線）を、介して、制御部２０５に通知する。制御部２０５は、この中綴じ製本機からの情報に基き、中綴じ製本機内部のシートの搬送状況やジャムを把握する。尚、本印刷システムのシステム構成として、このシート処理装置と印刷装置１００の間に他のシート処理装置がカスケード接続されている場合、そのシート処理装置のＣＰＵを介して、この中綴じ製本装置のセンサの情報を制御部２０５に通知する構成となっている。このように、インラインフィニッシャ固有の構成を具備する。
【０２４６】
又、例えば、図１６に示すが如く、サンプルトレイ、スタックトレイ及び、ブックレットトレイが設けられており、制御部２０５は、ジョブの種類や排出される記録紙の枚数に応じて利用するユニットを切り替えるよう制御する。
【０２４７】
例えば、制御部２０５が、図７の表示のキー７０１のキー操作により、処理対象のジョブの為に、当該中綴じ製本機にて実行可能なステイプル処理の実行要求を、ＵＩ部を介してユーザから受付けたとする。この場合、制御部２０５は、プリンタ部２０３からのシートを、スタックトレイ側へ搬送するよう制御する。尚、この際、記録紙がスタックトレイに排出される前に、記録紙をジョブ毎に中綴じ製本部の内部の処理トレイに順次蓄えておき、該処理トレイ上にてステープラにてバインドして、その上で、スタックトレイへ、該記録紙束を束排出する。このような方法でプリンタ部２０３にて印刷されたシートに対するステイプル処理を当該装置により実行させる。
【０２４８】
その他、紙をＺ字状に折るためのＺ折り機、ファイル用の２つ（または３つ）の穴開けを行うパンチャがあり、ジョブの種類に応じてそれぞれの処理を行う。例えば、出力すべきジョブに対する記録紙処理に関する設定としてユーザにより操作部を介してＺ折り処理設定がなされた場合には、そのジョブの記録紙に対してＺ折り機により折り処理を実行させる。そうした上で、機内を通過させて、スタックトレイ及びサンプルトレイ等の排出トレイに排紙するよう制御する。又、例えば、出力すべきジョブに対する記録紙処理に関する設定としてユーザにより操作部を介してパンチ処理設定がなされた場合には、そのジョブの記録紙に対してパンチャによるパンチ処理を実行させる。そうした上で、機内を通過させて、スタックトレイ及びサンプルトレイ等の排出トレイに排紙するよう制御する。
【０２４９】
又、サドルステッチャ部は、記録紙の中央部分を２ヶ所バインドした後に、記録紙の中央部分をローラに噛ませることにより記録紙を半折りし、パンフレットのようなブックレットを作成する中綴じ製本処理を行う。
【０２５０】
サドルステッチャ部で製本された記録紙は、ブックレットトレイに排出される。当該サドルステッチによる製本処理等の記録紙処理動作の実行可否も、上述の如く、出力すべきジョブに対してユーザにより設定された記録紙処理設定に基づく。
【０２５１】
又、インサータはインサートトレイにセットされた記録紙をプリンタへ通さずにスタックトレイ及びサンプルトレイ等の排出トレイのいずれかに送るためのものである。これによって中綴じ製本部に送り込まれる記録紙（プリンタ部で印刷された記録紙）と記録紙の間にインサータにセットされた記録紙をインサート（中差し）することができる。インサータのインサートトレイにはユーザによりフェイスアップの状態でセットされるものとし、ピックアップローラにより最上部の記録紙から順に給送する。故に、インサータからの記録紙はそのままスタックトレイまたはサンプルトレイへ搬送することによりフェイスダウン状態で排出される。サドルステッチャへ送るときには、一度パンチャ側へ送り込んだ後スイッチバックさせて送り込むことによりフェースの向きを合わせる。
【０２５２】
尚、当該インサータによる記録紙挿入処理等の記録紙処理動作の実行可否も、上述の如く、出力すべきジョブに対してユーザにより設定された記録紙処理設定に基づく。
【０２５３】
又、本形態では、１例として、中綴じ製本装置内部に断裁部（トリマ部）も具備する。この説明を以下に行う。
【０２５４】
中綴じ製本部においてブックレット（中綴じの小冊子）となった出力は、このトリマに入ってくる。その際に、まず、ブックレットの出力は、ローラで予め決められた長さ分だけ紙送りされ、カッタ部にて予め決められた長さだけ切断され、ブックレット内の複数ページ間でばらばらになっていた端部がきれいに揃えられることとなる。そして、ブックレットホールド部に格納される。尚、当該トリマによる断裁処理等の記録紙処理動作の実行可否も、上述の如く、出力すべきジョブに対してユーザにより設定された記録紙処理設定に基づく。
【０２５５】
このように、中綴じ製本機は、ＵＩ部を介して印刷実行要求と共に中綴じ製本処理の実行要求がユーザからなされた処理対象のジョブのシートに対する中綴じ製本処理を実行する中綴じ製本ユニットを具備している。
【０２５６】
尚、例えば、図７の表示のキー７０５によりユーザから中綴じ製本が選択された場合、制御部２０５は、ＵＩ部に図１７の表示を実行させる。当該図１７の表示を介して、制御部２０５は、中綴じ製本の詳細設定をユーザから受付可能に制御する。例えば、ステイプル針を用いて実際にシート中央付近に対する中綴じ処理を実行するか否かを決定可能にする。又、分割製本、中綴じ位置の変更、断裁の有無、あるいは、断裁幅の変更などの設定もユーザから受付け可能にする。
【０２５７】
例えば、制御部２０５がＵＩ部に実行させた図１７の表示を介してユーザにより「中綴じ製本する」と「断裁する」が設定されたとする。この場合、制御部２０５は、中綴じ製本印刷結果として処理対象のジョブが図１８のような印刷体裁になるよう本システム１００の動作制御を行う。図１８の中綴じ製本印刷結果に示すが如く、サドルステッチが打たれて、小口側の断裁がなされる。また、サドルステッチの位置や断裁面の位置を予め設定しておけば、所望の位置に変更することができる。
【０２５８】
又、例えば、図７の表示のキー７０７によりユーザからくるみ製本処理の実行要求がなされた場合、制御部２０５は、くるみ製本印刷結果として、処理対象のジョブが図１９のような印刷体裁になるよう本システム１０００を制御する。図１９の１例に示すが如く、くるみ製本の場合の印刷物は、断裁面Ａ、Ｂ及び、Ｃに関して、それぞれ断裁幅を設定することができる。
【０２５９】
又、本印刷システム１０００は、外部装置の一例に該当する情報処理装置からも処理対象となるジョブの印刷実行要求及びシート処理の実行要求を受付け可能に構成されている。以下、ホストコンピュータから本印刷システム１０００を利用する場合の一例をもって説明する。
【０２６０】
例えば、本実施形態の各種の処理や制御を実行する為のプログラムデータをＷＥＢ等のデータ供給源あるいは特定の記憶媒体からダウンロードしたホストコンピュータ（図１のＰＣ１０３やＰＣ１０４等）にて操作する場合、以下のように制御する。但し、制御の主体はＰＣの制御部である。
【０２６１】
例えば、ユーザからのマウス或いはキーボード操作に応答し、本システム１０００の印刷装置１００を操作する為のプリンタドライバの起動指示がなされたとする。これを受け、該ホストコンピュータのＣＰＵは、当該ホストコンピュータの表示部に、図２０に示す印刷設定画面を表示させる。図２０、２１は、本実施形態にて制御対象となる、ユーザインタフェース画面の一例を示す図である。
【０２６２】
ここで、例えば、当該図２０、２１の操作画面上の仕上げキー１７０１がユーザのマウス操作により押下されたとする。すると、該ホストコンピュータのＣＰＵは、当該印刷設定画面を、図２１のような印刷設定画面に切り換えるよう表示部を制御する。
【０２６３】
そして、該ホストコンピュータのＣＰＵは、図２０、２１の印刷設定画面上のシート処理設定項目１７０１を介し、本システム１０００が具備するインラインタイプのシート処理装置２００により実行させるシート処理の種類をユーザにより選択可能に制御する。
【０２６４】
尚、ここでは、省略するが、該ホストコンピュータを含む外部装置においては、図２０、２１以外の画面として、本実施形態で詳述した各種の表示画面を介して入力可能な指示と同等の指示を入力可能にするための表示画面を表示させるように構成している。換言すると、本形態で述べる各種の処理や制御と同等の処理や制御を外部装置側にて実行可能に構成されている。
【０２６５】
そして、ユーザにより、設定項目１７０１を介して所望のシート処理が選択され、図２０、２１の画面に戻って、ＯＫキーが押下されるとする。
【０２６６】
これを受け、ホストコンピュータのＣＰＵは、当該印刷設定画面を介してユーザにより設定された各種印刷条件を示すコマンドと、プリント部２０３によりプリントさせるべき一連のプリントデータとを、一つのジョブとして関連付ける。ホストコンピュータのＣＰＵは、関連付けたジョブを本システム１０００に対して、ネットワーク１０１を介して送信する。
【０２６７】
そして、該コンピュータからのジョブを、本システム１０００の外部Ｉ／Ｆ部２０２が受信すると、本システムの制御部２０５はこれを受ける。そして、本システムの制御部２０５は、当該ホストコンピュータからのジョブを、該ホストコンピュータにてユーザにより設定された処理要件に基づいて、処理するよう本システム１０００を制御する。
【０２６８】
以上のように構成することで、外部装置等からのジョブでも、本形態で述べる各種の効果を得ることが出来、本システム１０００の利用効率を更に向上させる事ができる。
【０２６９】
本形態の印刷システム１０００が具備する制御部は、以上で説明したような各種構成要件を前提として、後述する各種制御を実行する。
【０２７０】
尚、図１〜図２１を用いた説明した構成は、本実施形態にて述べる全ての実施形態にて共通する構成要件に該当する。換言すると、例えば、本形態にて述べる各種制御は、当該構成を前提とした構成要件に該当する。
【０２７１】
図１〜図２１を用いた上述の如く、本形態の印刷システム１０００は、オフィス環境に留まらず、ＰＯＤ環境にも適した印刷環境を構築可能に構成している。
【０２７２】
例えば、その１例として、オフィス環境では全く想定されえないＰＯＤ環境にて想定されうるユースケースやユーザニーズに対処可能な仕組みを採用している。
【０２７３】
この１例として、例えば、ＰＯＤ環境では顧客から様々な印刷形態をＰＯＤ業者が受注可能に構成している。
【０２７４】
具体例を挙げるならば、例えば、上記の如く、糊付け製本処理や大量積載処理等、オフィス環境ではユーザニーズとして要求されえないフィニッシィングをインラインシート処理装置により実現可能に構成している。換言すると、本形態は、ステイプル等のオフィス環境にて要求されうるニーズ以外のユーザニーズにもＰＯＤ環境を考慮して対処出来るように構成している。
【０２７５】
この１例として、例えば、上記の如く、複数台のインラインシート処理装置を印刷装置１００に対して接続可能にし、且つ、各インラインシート処理装置毎に、独立筐体で且つ独立動作が可能に構成している。且つ、接続するシート処理装置も任意台数とし、本印刷システム１０００にて柔軟にインラインシート処理装置の増設や変更等を可能にシステムを構成している。
【０２７６】
尚、本形態では本印刷システム１０００の利用者の操作性にも充分配慮した設計となっている。この１例として、例えば、本形態では、本印刷システム１０００のシステム構成を、オペレータ自らが手動でＨＤＤ２０９に登録できる構成を説明した。故に、これを用いて例示する。
【０２７７】
例えば、本印刷システム１０００のシステム構成として、図８、図９に示すシステム構成をＰＯＤ業者にて構築したいと望んだとする。この場合、まず、該ＰＯＤ業者のオペレータにより、印刷装置１００と共に購入した図８、図９の３台のシート処理装置を、図８、図９に示す接続順序で、印刷装置に接続してもらう。そのうえで、操作部２０４のユーザモードキー５０５を押下してもらう。この場合に、制御部２０５は、当該キー操作に応答し、表示部４０１に、図２２の表示を実行させる。
【０２７８】
図２２の表示は、本印刷システム１０００のシステム構成情報を、オペレータ自身によりマニュアル入力可能にする為の表示である。制御部２０５は、当該図２２〜１８Ｄの表示を介して、印刷装置１００に接続すべきインラインタイプのシート処理装置の種類をオペレータにより決定可能にする。且つ、制御部２０５は、当該図２２〜１８Ｄの表示を介して、印刷装置１００に接続する複数台のインラインタイプのシート処理装置の接続順序をオペレータにより決定可能にする。
【０２７９】
且つ、制御部２０５は、図２２の表示の各設定項目毎に設けた「詳細設定」キーがオペレータにより押下されたら、不図示の画面を表示させる。この画面で、１台ずつ、本印刷システムにて利用するシート処理装置を特定可能にする。しかも、本形態は、上述したように制約事項を遵守してもらっている故、この情報もガイダンス情報としてオペレータに通知する。例えば、制御部２０５は、図２２に示すが如く、「印刷装置に接続する、シート処理装置の種類と接続順序を登録して下さい。最大５台まで接続できます。但し、中綴じ製本機は接続する装置の１番最後に接続して下さい。」なるガイダンスを通知する。尚、ここでは、インラインシート処理装置の接続台数を最大５台までとしているが、特にこれに限定しなくても良い。
【０２８０】
尚、制御部２０５は、図２２の設定項目の上から順番に、利用するシート処理装置を１台ずつ決定可能に表示部４０１を制御するが、この設定項目の上から順番に設定する設定順序自体が、実際の装置の接続順序として判断する。
【０２８１】
上記構成のもと、例えば、本印刷システム１０００のシステム構成を図８、図９に示すシステム構成にする場合、図２３の表示のように、各シート処理装置の種類と、接続順番を登録してもらう。具体的には、図２３の表示のように、設定項目の上から順番に「大容量スタッカ⇒糊付け製本機⇒中綴じ製本機」となるよう設定してもらう。この設定順序が、図８、図９に示すが如く、実際の接続順序として、制御部２０５が判断する。
【０２８２】
一方、例えば、本印刷システム１０００のシステム構成を図１０、１１に示すシステム構成にする場合、図２４の表示のように、各シート処理装置の種類と、接続順番を登録してもらう。具体的には、図２４の表示のように、設定項目の上から順番に「糊付け製本機⇒大容量スタッカ⇒中綴じ製本機」となるよう設定してもらう。この設定順序が、図１０、１１に示すが如く、実際の接続順序として、制御部２０５が判断する。
【０２８３】
更に一方、例えば、本印刷システム１０００のシステム構成を図１２、１０Ｂに示すシステム構成にする場合、図２５の表示のように、各シート処理装置の種類と、接続順番を登録してもらう。具体的には、図２５の表示のように、設定項目の上から順番に「大容量スタッカ⇒中綴じ製本機」となるよう設定してもらう。この設定順序が、図１２、１０Ｂに示すが如く、実際の接続順序として、制御部２０５が判断する。
【０２８４】
又、図２６に例示する本形態の印刷システム１０００のシステム構成では、図１６に例示した大容量スタッカを２台と中綴じ製本機の１台の計３台のインラインフィニッシャを接続したシステム構成例である。このシステム構成は、同一タイプのインラインフィニッシャとして、大容量スタッカを２台接続したシステム構成である。このように、本形態の印刷システムは、同じ種類のインラインフィニッシャを複数台接続可能に構成している。尚、図２６に例示が如く、同じ種類のインラインフィニッシャを連続してカスケード接続する構成を、本形態では、タンデム接続とも呼ぶ。又、図２６に例示のシステム構成は、本システムの納品先の印刷業者が大量積載を頻繁に行うような状況を想定している。このように、本形態では、大容量スタッカを複数台タンデム接続可能に構成している。
【０２８５】
このように、実際の現場のユースケースを想定した利便性を向上させるＵＩ制御自体も本形態の特徴点の１つに該当する。
【０２８６】
以上の図１〜図２６を用いて上述した如く、本システム１０００は、オフィス環境とはユースケースやユーザニーズも異なるＰＯＤ環境等をも見据えた、様々なユースケースやユーザニーズにも柔軟に対処可能な、製品の実用化に向けての様々な仕組みを具備する。
【０２８７】
しかも、単に、上記のような新規な機能及び新規な構成を具備するに留まらず、本印刷システム１０００の効果を最大限に発揮すべく、以下のような各種制御を、本システム１０００にて実行可能に構成している。
【０２８８】
この１例として、例えば、本印刷システムが具備する制御部は、以下のような制御を本印刷システム１０００にて実行するよう制御している。
【０２８９】
尚、以下の具体的制御を説明する前に、本印刷システム１０００の構成について補足しておく。
【０２９０】
本形態の大容量スタッカ等の各種インラインフィニッシャは、夫々、装置毎に、用紙ジャムを除去したり、プリンタ部２０３で印刷されたジョブの印刷物（印刷媒体とも呼ぶ）を取り出したりする為に、装置筐体前面に開閉動作が可能なドア（前ドア）を具備する。
【０２９１】
又、本形態の大容量スタッカは、例えば図１６の内部構成で例示したように、大量の印刷物を積載可能な装置内部に配設されたスタックトレイ（スタッカ部とも呼ぶ）と装置外（機外上方部）に配設されたエスケープトレイ（サンプルトレイとも呼ぶ）を具備する。制御部２０５は、本形態の大容量スタッカの機内に配設される上記スタックトレイ、及び、機外に配設される上記エスケープトレイの各トレイに対して、本形態に例示が如くの各種判断条件に基づき、処理対象のジョブの印刷物を選択的に供給可能に制御する。又、大容量スタッカ等、中綴じ製本機以外の、本形態のインラインフィニッシャは、自装置の前段に位置する装置から受取った印刷物を、自装置内部のスルーパスを介して、自装置の後段に位置するインラインフィニッシャの装置内部へ搬送する機能も具備する。又、本形態の大容量スタッカは、装置内部のスタックトレイに積載された印刷物のシート積載量に応じて、該トレイが自動的に下降可能に構成されている。又、印刷物の整合処理も可能に構成されている。
【０２９２】
また、図２７の装置概観例に示すが如く、大容量スタッカの前面にはオペレータによる開閉動作が可能な前ドア２００２を具備する。且つ、当該ドア２００２をオープンさせる為の指示をオペレータが入力する為のスイッチ２００１を装置筐体上部に具備している。この大容量スタッカにおける各種動作の制御は、当該大容量スタッカ自身が具備する制御部（不図示）が、主体となり行う。この大容量スタッカの制御部は、スイッチ２００１からのオペレータによる手動入力命令に従い、このドア２００２をオープンさせる。具体的には、当該ドア２００２は閉じている状態の時に不図示の鍵により施錠状態としており、この鍵を開錠させて、ドア２００２をオープンさせる。これにより、大容量スタッカのスタックトレイに積載済みの印刷物をオペレータにより取出可能に構成している。又、スイッチ２００１からの操作だけでなく、印刷装置１００の制御部２０５からの指示により、当該ドア２００１を自動的にオープン可能に制御される。この際は、図２に示す装置内部の信号線を介して、当該ドアオープン信号を、制御部２０５から大容量スタッカの制御部に送信する。又、大容量スタッカのスタックトレイに積載された印刷物をオペレータにより取出作業を行う際に、ドア２００２を開けて、オペレータによる取出作業が行われる。勿論、これらの主体制御も、印刷装置１００が具備する制御部２０５が実行しても良い。
【０２９３】
本形態では、印刷処理がなされたジョブの印刷物を該大容量スタッカからオペレータにより取り出す際、その大容量スタッカが具備するスタックトレイに対し、該ジョブの後に印刷実行要求がなされた後続ジョブのシートが排紙されないように制御する必要がある。この制御は本印刷システム１０００を、制御部２０５が主体となり、おこなっている。
【０２９４】
換言すると、本形態の印刷システム１０００は、シート処理装置におけるオペレータによる印刷処理がなされたジョブの印刷物の取出作業中には、当該シート処理装置内部のシート処理部に対して当該ジョブに後続するジョブのシートが排紙されないよう制御する。
【０２９５】
但し、制御部２０５は、例えば、大容量スタッカが具備するスタックトレイにおける印刷物のオペレータによる取出作業中であっても、例えば以下に例示する動作は実行可能に制御する。
【０２９６】
例えば、制御部２０５は、大容量スタッカのスタックトレイに積載済の印刷物のオペレータによる取出作業中等、大容量スタッカの前ドア２００１を開けた状態でも、次のような制御を行う。制御部２０５は、印刷物の取出作業中等に、その大容量スタッカのエスケープトレイに対して、後続ジョブの印刷物を排紙可能に、システム１０００を制御する。
【０２９７】
又、後続のジョブが大容量スタッカによる大量積載処理が不要なジョブで、且つ、その大容量スタッカの後段に接続されているインラインフィニッシャによるフィニッシングを要するジョブである場合がある。大容量スタッカの前ドア２００１がオープンされたままの状態で、そのような後続のジョブが送られてくると、制御部２０５は、後続ジョブの印刷物を、大容量スタッカ内部のスルーパスを介して、搬送可能に、システム１０００を、制御する。
【０２９８】
このように、制御部２０５は、ドア２００２がオープンされている状態のままでも、上記例示が如くのシステム１０００における動作の実行を許可する。
【０２９９】
以上の各種動作を実行する為に、制御部２０５は、シート処理装置からのオペレータによるシートの取出対象となるジョブの後に印刷実行要求がなされた後続ジョブの印刷動作の開始を禁止したり、許可したりする。換言すると、制御部２０５は、当該後続ジョブの印刷動作の実行可否や印刷タイミングを、制御する。
【０３００】
また、制御部２０５は、例えば、大容量スタッカが具備する図２９や図３０に示す構成によって、以下に例示する束排紙処理や、ジョブ間シフト処理を実行可能に制御する。
【０３０１】
例えば、制御部２０５は、図２９に示す、大容量スタッカ内部の構成を用いて、以下に例示の制御をおこなう。制御部２０５は、印刷対象となるジョブを実行し、プリンタ部２０３で印刷されたジョブのシートを、シート搬送処理により、大容量スタッカ内部のスタックパス２１０１に導入させる。その後、制御部２０５は、印刷されたシートを大容量スタッカ内部の処理トレイ２１０２に一時的にスタックさせる。
【０３０２】
制御部２０５は、そのジョブを実行することで排紙される全てのシートの処理トレイ２１０２へのスタックが完了すると、スタックされたジョブのシート束を大容量スタッカのスタックトレイに排出させる。このように、複数枚のシートからなるシート束単位で排紙をおこなう処理を、束排紙処理と呼ぶ。
【０３０３】
以下では、ある処理対象のジョブの印刷を完了するのに、計４枚のシートを用いる場合の例について説明する。この場合、制御部２０５は、当該ジョブを実行した際に、図３１に示すように、シートＰ１〜Ｐ４の計４枚のシートを処理トレイに排紙させた後に、それらを１束のシート束として大容量スタッカのスタックトレイに排紙させる。
【０３０４】
この制御について、より具体的に説明する。まず制御部２０５は、プリンタ部２０３により、処理対象のジョブのシート束の１枚目のシート（Ｐ１）、２枚目のシート（Ｐ２）、３枚目のシート（Ｐ３）、４枚目のシート（Ｐ４）の順番で印刷させる。そして、制御部２０５は、印刷された各シートをパス２１０１に導入させる。そして、制御部２０５は、そのジョブのシート束のシートＰ１〜Ｐ４を、画像形成面が下向きの状態で、先頭ページから順番に処理トレイ２１０２にスタックさせる。そして、制御部２０５は、当該ジョブの最終紙に相当する４枚目のシートＰ４が処理トレイ２１０２にスタックされた事に応じて、整合ユニット２１０４により、当該ジョブのシート束の端部をきれいに揃える為の整合処理を実行させる。これにより、当該ジョブのシート束に含まれるシートＰ１〜Ｐ４を、ひとまとまりの出力束とする。そして、制御部２０５は、当該整合ユニット２１０４による整合処理を実行させたうえで、当該ジョブのシートＰ１〜Ｐ４を、ひとまとまりの出力束の状態で、そのまま、押し出しユニット２１０３により、大容量スタッカのスタックトレイ上に排出させる。制御部２０５は、以上のような束排紙処理を実行させることができる。
【０３０５】
尚、大容量スタッカのスタックトレイは、上下方向に移動可能に構成されている。又、該スタックトレイは、所定枚数分のシートがスタックされる毎に、下降させ、一方、シートが該スタックトレイからユーザにより除去されれば、上昇させることができる。換言すると、大容量スタッカのスタックパスが具備する排紙口とその大容量スタッカのスタックトレイでのシートの積載面との距離を一定に維持可能に構成している。これにより、排紙されたシートを積載できない高さに大容量スタッカのスタックトレイが位置する不具合を防止するように構成している。また、あまりにも低い位置にスタックトレイが存在する事で、排紙したシートがスタックトレイにて不安定になる等の不具合を防止するように構成している。
【０３０６】
また、図３１の例では、制御部２０５は、あるジョブの印刷物である１束目のシート束の処理トレイ２１０２からスタックトレイへの束排紙処理が完了すると、そのジョブとは異なるジョブの印刷物である２束目のシート束の束排紙処理を開始させる。
【０３０７】
制御部２０５は、２束目のシート束の束排紙処理を実行させる際に、１束目のシート束と、２束目のシート束とを区分けするための処理として、ジョブ間シフト処理を実行させる。言い換えると、制御部２０５は、上記区分け処理として、あるジョブの印刷物である１束目のシート束と、そのジョブとは異なるジョブの印刷物である２束目のシート束の排紙位置とをずれた状態にして、排紙させるように制御する。制御部２０５は、ジョブ間シフト処理を大容量スタッカにおこなわせたうえで、シートを排紙させることによって、オペレータは、排紙されたシートをジョブごとに容易に取り分けることが可能になる。
【０３０８】
では、当該ジョブ間シフト処理について、図２９と同様に大容量スタッカ内部の構成の一部を表す図３０を用いて説明する。
【０３０９】
制御部２０５は、図３０に示す大容量スタッカ内部の構成の一部を用いて、ジョブ間シフト処理をおこなわせる。尚、処理トレイ２１０２は、図３０に示すように大容量スタッカ内部のシート搬送路上に存在する。そこで、図３０では、処理トレイ２１０２が装置内部に存在することを示すため、該ユニット２１０２を点線で示している。
【０３１０】
又、図３０は、ジョブを処理している途中の状況を示している。具体的には、異なるジョブにおいて、制御部２０５が、先行してプリント処理が実行されるジョブ（以下、先行ジョブと呼ぶ）のシート束を、大容量スタッカのスタックトレイにスタックさせた後の状況である。尚且つ、現在、制御部２０５が、先行ジョブに後続するジョブ（以下、後続ジョブと呼ぶ）を実行し、処理トレイ２１０２上に当該後続ジョブのシートをスタックさせている状況を示す。そして、制御部２０５は、該後続ジョブのシートのジョブ間シフト処理を処理トレイ２１０２により実行させている状況である。
【０３１１】
例えば、図３０で示す大容量スタッカのスタックトレイに既にスタック済みのシート束が、図３１に示すシート束のうち１束目のシート束であるとする。この場合、図３０で示す処理トレイ２１０２上にスタックさせているシートは、図３１の２束目のシートに該当する。
【０３１２】
大容量スタッカの処理トレイ２１０２には整合ユニット２１０４が存在する事を図２９で説明したが、整合ユニット２１０４は、２つのユニットで構成されている。これを、図３０にて整合ユニット２１０４ａ、２１０４ｂと表記している。この整合ユニット２１０４ａ、２１０４ｂは、それぞれ、図３０に示すシート搬送方向に対して、垂直方向に移動可能なものであり、且つ、それぞれを独立且つ択一的に動作可能に構成している。
【０３１３】
例えば、制御部２０５は、整合ユニット２１０４ａ、２１０４ｂによって、図３１に示す１束目のシート束を、そのシート束のシート上端部が図３０の第１の整合ポジションを基準に揃うように、処理トレイ２１０２にて整合させる。制御部２０５が、この整合処理がなされた１束目のシート束を、処理トレイ２１０２からスタックトレイに対して束排紙させ、そのまま、スタックトレイの第１の積載位置を基準に、スタックさせたとする。このように１束目のシート束を処理させた場合、制御部２０５は、２束目のシート束を、次のように処理させる。
【０３１４】
まず、制御部２０５は、シート下端部が第２の整合ポジションを基準に揃うように、２束目のシートの整合動作を整合ユニット２１０４に実行させる。例えば、制御部２０５は、整合ユニット２１０４ｂを図３０に示す位置で固定させる。制御部２０５は、この状態を維持させたまま、当該２束目のシート束の下端部が該整合ユニット２１０４ｂに突き当たるように、整合ユニット２１０４ａを整合ユニット２１０４ｂ側に移動させる。これにより、図３０に示すように、制御部２０５は、後続ジョブのシート束の下端部を第２の整合ポジションまでシフトさせる。
【０３１５】
そのうえで、制御部２０５は、処理トレイ２１０２から大容量スタッカのスタックトレイへのシート束の排紙を実行させる。これにより、第２の積載基準位置にシート下端部が揃った状態で、当該２束目のシート束を該スタックトレイにてスタックさせることができる。
【０３１６】
以上のような処理を施すことで、制御部２０５は、１束目のシート束と２束目のシート束とを、シート搬送方向に対して垂直方向に特定量分だけシフトされた状態で、２束目のシート束をスタックトレイにスタックさせる。この特定量を例えば、１０ｍｍとすると、制御部２０５は、１束目のシート束と、２束目のシート束とを１０ｍｍ分ずれた状態で２束目のシート束を１束目のシート束の上に積載することができる。ここでは、制御部２０５はシート上端部が第１の整合ポジションにある１束目のシート束に対し、２束目のシート束のシートの下端部を第２の整合ポジションまでずらすことで、１束目のシート束と２束目のシート束とを１０ｍｍ分ずれた状態にする処理を説明した。だが、２束目のシート束をずらす処理は、これに限るものではない。例えば、制御部２０５は、処理トレイ上にスタックした２束目のシート束を、整合ユニット２１０４ａ、２１０４ｂによって、１束目のシートと５ｍｍ分ずれた状態でスタックするように制御することも可能である。また、制御部２０５は、処理トレイ上にスタックした２束目のシート束を、整合ユニット２１０４ａ、２１０４ｂによって、１束目のシートと３ｍｍ分ずれた状態で積載させることも可能である。
【０３１７】
このように制御部２０５は、先行ジョブのシート束と後続ジョブのシート束とを特定量分（この例では、１０ｍｍ）ずれた状態にせずとも、５ｍｍや３ｍｍずれた状態で積載することで、各シート束を区別可能にしつつ、スタックトレイに積載させることができる。ここでは、制御部２０５が１０ｍｍや、５ｍｍ、３ｍｍ分ずれた状態で積載する例を説明したが、その幅については、これらに限られるものではなく、先行ジョブのシート束と後続ジョブのシート束とが、積載後に区別可能であればよい。
【０３１８】
第２の積載基準位置を基準にスタックされた２束目のシート束の直後に処理すべきジョブのシートに相当する３束目のシート束を処理する場合は、制御部２０５は、１束目のシート束を処理した際と同じ束排紙処理を実行させる。即ち、制御部２０５は、第１の積載基準位置を基準にスタックトレイにシートを積載させるように大容量スタッカを動作させる。
【０３１９】
第１の積載基準位置を基準にスタックされた３束目のシート束の直後に処理すべきグループのシートに相当する４束目のシート束を処理する場合は、２束目のシート束を処理した際と同じ束排紙処理を実行させる。即ち、制御部２０５は、第２の積載基準位置、もしくは、第１の積載基準位置から特定量分だけ、第２の積載基準位置側にずれた位置にシートを積載させるように大容量スタッカを動作させる。
【０３２０】
このように、制御部２０５は、１ジョブ分のシート束を処理する毎に、スタックトレイにおけるシートの積載位置を交互に切りかえるように制御することで、ジョブ間シフト処理をおこなう。
【０３２１】
オペレータは、ジョブ間シフト処理の実行を、そのユーザモード画面から指示可能である。制御部２０５は、オペレータにより図５に示すユーザモードキー５０５が押されたと判断すると、図３２に示すようなユーザモード画面をタッチパネル部４０１に表示させる。図３２に示すジョブ間シフトボタン２３０１は、上述したジョブ間シフト処理をおこなうように設定するためのものであり、デフォルトではオンの状態、つまり、ジョブ間シフト処理をおこなうように設定されている。その後、制御部２０５は、ジョブ間シフトボタン２３０１が押されたことを示す信号を受信した場合に、ジョブ間シフト処理のオン、オフを切りかえる。ジョブ間シフト処理がオンに設定されているとき、制御部２０５は、シートを排紙させる際に、大容量スタッカにより、上述したジョブ間シフト処理を行わせる。ジョブ間シフト処理がオフのとき、制御部２０５は、大容量スタッカにより、シートを排紙させる際に上述したジョブ間シフト処理をおこなわせない。
【０３２２】
制御部２０５は、大容量スタッカにより、ジョブ間シフト処理を全てのシート束に対して行わせることが可能である。これにより、制御部２０５は、先行ジョブのシート束のスタックトレイにおける積載位置と、先行ジョブのシート束の上に積載される後続ジョブのシート束のスタックトレイにおける積載位置とを、特定量分ずれた状態で積載させる事ができる。即ち、制御部２０５が、このようなジョブ間シフト処理をおこなうことによって、オペレータは各ジョブのシート束を容易に取り分けることができるようになる。
【０３２３】
また、図１６に示す中綴じ製本機も、上述したジョブ間シフト処理をおこなうために、当該中綴じ製本機のスタックトレイへの排紙をおこなう排紙口付近に上記のような、ジョブ間シフト処理をおこなうための構成を具備する。そして、制御部２０５は、例えば、ジョブ間シフトボタン２３０１によって、ジョブ間シフト処理をおこなうように設定されている場合、中綴じ製本機のスタックトレイにシートを排紙する際にも、ジョブ間シフト処理をおこなわせることができる。
【０３２４】
このように、制御部２０５は、大容量スタッカ、または、中綴じ製本機において、１ジョブ分のシート束を束排紙するごとに、スタックトレイにおけるシートの積載位置を交互に切りかえるように制御する例について説明した。また、制御部２０５は、１部分のシート束を束排紙するごとに、スタックトレイにおけるシートの積載位置を交互に切りかえるように制御する「部間シフト処理」を行わせることも可能である。これ以降の説明では、「ジョブ間シフト処理」や「部間シフト処理」を総称して「シフト処理」と呼ぶ。
【０３２５】
以上のような構成も、印刷装置に対して紙パスが連結され、且つ、電気的に接続されたインラインフィニッシャ固有の構成である。
【０３２６】
以上のような構成を前提とし、本印刷システム１０００が具備する制御部の一例に該当する制御部２０５は、以下に例示の制御を実行する。尚、以下に例示の制御を説明する前に本印刷システムの前提的な構成要件について更に補足しておく。
【０３２７】
前提として、本システム１０００は、複数のジョブのデータを記憶可能なＨＤＤ２０９内のデータの印刷処理を実行可能なプリンタ部２０３を具備する印刷装置１００を備える。且つ、システム１０００は印刷装置１００と接続可能なプリンタ部２０３で印刷がなされジョブのシート（印刷物又は印刷媒体とも呼ぶ）に対するシート処理（フィニッシング又は後処理とも呼ぶ）を実行可能な１台以上のシート処理装置２００ａ〜ｎを具備する。これらのシート処理装置は、装置毎に、自装置でシート処理を施した印刷物をオペレータにより取出可能に構成している。且つ、本システム１０００は、該印刷装置１００のプリンタ部２０３から、これらのシート処理装置に対して、プリンタ部２０３により印刷がなされたジョブのシートを、選択的に、供給可能に構成している。
【０３２８】
例えば、本印刷システム１０００が図１２、図１３に示すシステム構成で、処理対象のジョブが大量積載処理を要するジョブである場合に、制御部２０５は、印刷済みシートを大容量スタッカ２００ａへ供給する。そして、制御部２０５は、供給したシートを図１３の排紙先Ｘに示す大容量スタッカのスタックトレイに排紙させる。一方、制御部２０５は処理対象のジョブが中綴じ製本処理によるシート処理（中綴じ製本又はパンチ又は断裁又はシフト又は折り）を要するジョブである場合に、印刷済みシートを中綴じ製本機２００ｂへ供給する。そして、制御部２０５は、供給したシートを図１３の排紙先Ｙに示す中綴じ製本機のスタックトレイに排紙させる。
【０３２９】
ここで制御部２０５は、例えば、大容量スタッカのスタックトレイや中綴じ製本機のスタックトレイにシートを排紙させる際に、排紙させるシートを、ジョブごとに、先に排紙したシート束に対し、位置を特定量分ずれた状態で排紙させる。言い換えると、制御部２０５は、例えば、大容量スタッカのスタックトレイや中綴じ製本機のスタックトレイにシートを排紙させる際に、ジョブ間シフト処理をおこなわせることができる。
【０３３０】
制御部２０５は、ジョブ間シフト処理をおこなってシートを積載させる積載パターンには、シートの積載量によって、複数の積載パターンが存在する。以下に、制御部２０５が、積載させるシートの積載パターンのうち、いくつかの積載パターンでシートを積載させる場合について、図３３に図示し、説明する。
【０３３１】
（積載パターン１）
制御部２０５は、図３３（ａ）に示す、例えば、大容量スタッカのスタックトレイ、もしくは中綴じ製本機のスタックトレイに、図３３（ｂ）に示すような、２００枚のシートからなるシート束２４００ａを積載させる。その後、制御部２０５は、図３３（ｃ）に示すように、３００枚のシートからなるシート束２４００ｂを、シート束２４００ａの上に、シート束２４００ａのシートの排紙位置とは、ずれた状態で積載させる。
【０３３２】
（積載パターン２）
制御部２０５は、図３４（ａ）に示す、例えば、大容量スタッカのスタックトレイ、もしくは中綴じ製本機のスタックトレイに、図３４（ｂ）に示すような、２００枚のシートからなるシート束２４０１ａを積載させる。その後、制御部２０５は、図３４（ｃ）に示すように、２５００枚のシートからなるシート束２４０１ｂを、シート束２４０１ａの上に、シート束２４０１ａのシートの排紙位置とは、ずれた状態で積載させる。
【０３３３】
（積載パターン３）
制御部２０５は、図３５（ａ）に示す、例えば、大容量スタッカのスタックトレイ、もしくは中綴じ製本機のスタックトレイに、図３５（ｂ）に示すような、１５００枚のシートからなるシート束２４０２ａを積載させる。その後、制御部２０５は、図３５（ｃ）に示すように、３００枚のシートからなるシート束２４０２ｂを、シート束２４０２ａの上に、シート束２４０２ａのシートの排紙位置とは、ずれた状態で積載させる。
【０３３４】
（積載パターン４）
制御部２０５は、図３６（ａ）に示す、例えば、大容量スタッカのスタックトレイ、もしくは中綴じ製本機のスタックトレイに、図３６（ｂ）に示すような、１５００枚のシートからなるシート束２４０３ａを積載させる。その後、制御部２０５は、図３６（ｃ）に示すように、３０００枚のシートからなるシート束２４０３ｂを、シート束２４０３ａの上に、シート束２４０３ａのシートの排紙位置とは、ずれた状態で積載させる。
【０３３５】
尚、図２４の２４００ａ〜２４０３ａおよび２４００ｂ〜２４０３ｂは、それぞれ少なくとも１枚以上のシートからなるシート束を表している。図中の２４００ａ〜２４０３ａで表されたシート束は、それぞれ２４００ｂ〜２４０３ｂで表されたシート束に先行して積載されるシート束を表しており、それぞれのシート束は１ジョブ分のシート束を表している。
【０３３６】
このように、制御部２０５は、例えば、中綴じ製本機のスタックトレイや、大容量スタッカのスタックトレイにシートを排紙する際に、以上のような、ジョブ間シフト処理を大容量スタッカにおこなわせる。それによって、オペレータは、ジョブごとにシート束を容易に取り分けることができるように構成された印刷システムを提供することができる。
【０３３７】
なお、中綴じ製本機のスタックトレイにシート束を積載する場合には、上記のような積載パターン１〜４のいずれの積載パターンでシートを積載させても、積載されたシートが多少の振動で崩れてしまう可能性は低い。その理由は、制御部２０５が、図１３に示す排紙先Ｙのスタックトレイに、そのスタックトレイに積載可能な枚数の範囲内でシート束を積載させる場合に、積載後のシートが安定性を失わない程度のシフト幅でシフトを行わせるためである。
【０３３８】
一方、図１３に示す大容量スタッカも、図２９、図３０で示した機構を具備している。そのため、制御部２０５は、図１３に示す大容量スタッカが有する排紙先Ｘにおいても、図２９、図３０に示した機構を用いて、シフト処理を行わせることが可能である。
【０３３９】
ただし、図１３の排紙先Ｘに示す大容量スタッカのスタックトレイに示す大容量スタッカのスタックトレイついては、次の点で、図１３の排紙先Ｙに示す中綴じ製本機のスタックトレイとは異なる。
【０３４０】
制御部２０５は、シートを排紙先Ｘに排紙させる場合に、当該シートを大容量スタッカが具備する台車上に設けられたスタックトレイに積載させる。そして、大容量スタッカは、図２８に示すように、台車上のスタックトレイに積載されたシートを、その台車によって運搬可能に構成されている。
【０３４１】
そこで、大容量スタッカのスタックトレイに積載されたシートの場合、オペレータが台車を用いてそのシートを運搬するケースが想定される。その場合、台車上のスタックトレイに積載されたシートは、運搬中の揺れや衝撃等の影響を受けることが考えられる。従って、大容量スタッカ上のスタックトレイにシートを積載する場合、積載の仕方（積載パターン）によっては、台車で運搬する際の揺れや衝撃により、スタックトレイ上に積載されたシートが崩れてしまいやすくなる場合があると考えられる。
【０３４２】
例えば図３３（ｃ）、図３４（ｃ）、図３５（ｃ）、図３６（ｃ）に示す積載パターンのうち図３４（ｃ）、図３６（ｃ）に示す積載パターンの場合、台車で運搬する際の揺れや衝撃により積載されたシートが崩れやすくなると考えられる。
【０３４３】
このように、排紙先Ｙに示す中綴じ製本機のスタックトレイにシートを積載する場合には問題のない積載パターンがある。しかし、その積載パターンと同じ積載パターンで、排紙先Ｘに示す大容量スタッカのスタックトレイにシートを積載すると、台車で運搬する際の揺れや衝撃で、積載されたシートが崩れやすくなるという問題が発生する。
【０３４４】
そこで、本形態の制御部の一例である制御部２０５は、以上のようなＰＯＤ市場を見据えたシステム構成である印刷システム１０００で、以下に例示する制御を実行する。それによって、オペレータが、スタックトレイ上に積載されたシートを、台車を用いて運搬する際に、積載されたシートが不安定な状態になる可能性を低減することができる。
【０３４５】
尚、上述したように印刷システム１０００の構成は、インラインフィニッシャの接続の仕方によって、様々な構成が存在する。それらの構成のうち、本形態では、印刷システム１０００が図１２あるいは図１３に示すように、印刷装置１００に、大容量スタッカ、中綴じ製本機の、２台のインラインタイプのシート処理装置を接続した構成を例にとって説明する。
【０３４６】
本形態の制御部の一例である制御部２０５は、例えば、前述したジョブ間シフトボタン２３０１によって、ジョブ間シフト処理をおこなうように設定されている場合に、次のような制御をおこなう。
【０３４７】
制御部２０５は、ＨＤＤ２０９に格納してある図３７に示すような管理テーブルに基づいて、シートの排紙に関する制御を行う。
【０３４８】
例えば、制御部２０５は、図３７の制約事項１に示す最大積載許容枚数に基づき、排紙先の最大許容枚数を超えないように制御する。
【０３４９】
例えば、処理すべきジョブの排紙先として、中綴じ製本機が排紙先として指定されている場合、制御部２０５は、次の制御を行う。制御部２０５は、当該ジョブに対して、そのジョブを実行した際に排紙されるシートを中綴じ製本機のスタックトレイに積載すると、中綴じ製本機のスタックトレイの最大積載許容枚数を超えるか否か、図３７の中綴じ製本機の制約事項１の欄を参照して判定する。
【０３５０】
ここで、制御部２０５は、中綴じ製本機の最大積載許容枚数が４０００枚であるという情報を取得し、処理すべきジョブのシート束を積載させた場合に、中綴じ製本機のスタックトレイに積載されるシートが４０００枚を超えるか否かを判定する。制御部２０５は、積載されるシートが４０００枚以下だと判定すれば、オペレータに指定された通り、中綴じ製本機のスタックトレイに該ジョブのシートを排紙させる。一方、制御部２０５は、積載されるシートが４０００枚を超えると判定すれば、該ジョブのシートの排紙先を、該中綴じ製本機のスタックトレイとは別の排紙先に切りかえる。
【０３５１】
シートの排紙先が大容量スタッカの場合には、制御部２０５は、大容量スタッカの最大積載許容枚数が５０００枚であるという情報を取得する。そして、制御部２０５は、これから排紙するジョブのシートを排紙した結果、大容量スタッカのスタックトレイに積載されるシートが５０００枚を超えるか否かを判定する。制御部２０５は、積載されるシートが５０００枚以下であると判定した場合に、オペレータに指示された通り、大容量スタッカのスタックトレイに該ジョブのシートを排紙させる。一方、積載されるシートが５０００枚を超えると判定した場合には、制御部２０５は、該ジョブのシートの出力先を、該大容量スタッカのスタックトレイとは別の出力先に切りかえる。
【０３５２】
また、制御部２０５は、図３７の管理テーブルの制限事項２に基づいて、積載されるシートが不安定な状態になるのを未然に防ぐための制御をおこなう。
【０３５３】
図３８は、本発明に係る印刷システムで、積載されるシートが不安定な状態になるのを未然に防ぐための制御の一例を示すフローチャートである。
【０３５４】
制御部２０５は、電源投入後、もしくは、印刷実行要求がなされたジョブを印刷装置１００が受け付けた場合に、図３８のフローチャートに示す制御を開始する。
【０３５５】
まず、図３８のステップＳ２９０１において、制御部２０５は、処理すべきジョブが存在するか否かを判定する。処理すべきジョブとは、印刷要求がなされ、ＨＤＤ２０９内に格納された実行待ちのジョブのことをいう。電源投入後、制御部２０５は、印刷要求がなされたジョブがＨＤＤ２０９内に存在するか否かを判定し、存在すればステップＳ２９０２に進む。
【０３５６】
一方、制御部２０５は、印刷要求がなされたジョブがＨＤＤ２０９内に存在しない場合は、処理すべきジョブが存在しないと判定し、ステップＳ２９０１の処理を繰り返す。その後、印刷実行要求がなされたジョブを受け付けた場合に、制御部２０５は、処理すべきジョブが存在すると判定し、ステップＳ２９０２に進む。具体的には、ステップＳ２９０１において、制御部２０５は、ユーザから印刷実行要求を受付けたか否かを、例えば、操作部２０４のスタートキー５０３に対するユーザの操作に基づき判断する。又、例えば、図２０、図２１で例示したように、本形態のＵＩ部の別の例に該当する外部装置の操作部を介してユーザから印刷実行要求を受付けたか否かを、制御部２０５が判定する。
【０３５７】
尚、制御部２０５は、印刷実行要求がなされ、スキャナ部２０１または外部Ｉ／Ｆ部２０２を介して入力された処理対象となるジョブの印刷データを、全て、ＨＤＤ２０９に記憶させ、且つ、ＨＤＤ２０９から読み出してプリンタ部２０３により印刷させる。
【０３５８】
又、制御部２０５は、そのジョブの処理条件データも受付け、該印刷データに対応付けてＨＤＤ２０９に記憶させる。この処理条件データには、印刷時のページ数や印刷倍率や印刷レイアウト、用紙の種類、用紙サイズ、片面／両面印刷設定等に関する情報が含まれる。且つ、当該ジョブにて印刷対象となるシートに対して、いかなる種類のシート処理を実行させるのかを特定する為のシート処理の種類に関する情報および印刷対象となるシートの排紙先情報も、当該処理条件データの中に含まれている。
【０３５９】
なお、制御部２０５が、印刷対象となるシートの排紙先情報を設定する方法について、以下に説明する。印刷システム１０００が、図８、図９に示すようなシステム構成の場合、シートの排紙先には、例えば、以下に示すものがある。図８、図９に示す印刷システム１０００は、大容量スタッカと、糊付け製本機と、中綴じ製本機を具備する。そこで、印刷システムの排紙先には、図１４に示す大容量スタッカのエスケープトレイやスタックトレイ、図１５に示すくるみ製本機のバスケット、図１６に示す中綴じ製本機のサンプルトレイ、スタックトレイ、ブックレットトレイ等がある。
【０３６０】
これらの排紙先候補の中から、制御部２０５は、処理対象となるジョブに対して設定されたシート処理の種類をもとに、当該ジョブを実行して排紙されるシートの排紙先を決定する。例えば、処理対象となるジョブに対して、オペレータから、タッチパネル４０１を介してステイプル処理をおこなうように指定された場合、制御部２０５は、中綴じ製本機のスタックトレイを、シートの排紙先とする。また、例えば、処理対象となるジョブに対して、大量積載処理をおこなうように指定された場合、制御部２０５は、大容量スタッカのスタックトレイを、シートの排紙先とする。また、例えば、処理対象となるジョブに対して、中綴じ製本処理をおこなうように指定された場合、制御部２０５は、中綴じ製本機のスタックトレイをシートの排紙先とする。
【０３６１】
このように、制御部２０５は、処理対象となるジョブに対してオペレータにより設定されたシート処理の種類をもとに、当該ジョブを実行して排紙されるシートの排紙先を決定する。そして、制御部２０５は、決定した排紙先に関する情報を、処理条件データとして、受付けたジョブの印刷データに対応付けて、ＨＤＤ２０９内に格納しておく。
【０３６２】
ステップＳ２９０１の処理は、印刷要求がなされたジョブを受付けるまで繰り返される。そして、印刷要求がなされたジョブを印刷装置１００が受付けた場合は、制御部２０５は、図３８のステップＳ２９０１からステップＳ２９０２へ処理を移行する。
【０３６３】
ステップＳ２９０２において、制御部２０５は、処理すべきジョブの排紙先がシート束をずれた状態で積載するための機構を具備する排紙先であるか否かを判定する。具体的には、制御部２０５は、ＨＤＤ２０９に記憶された処理条件データのうち、処理すべきジョブの排紙先情報を参照して判定する。制御部２０５は、排紙先情報が、例えば、中綴じ製本機のスタックトレイ、または、大容量スタッカのスタックトレイであると判定した場合に、処理すべきジョブの排紙先が、シート束をずれた状態で積載するための機構を具備する排紙先であると判定する。
【０３６４】
制御部２０５は、判定の結果、当該機構を具備した排紙先ではないと判定した場合には、ステップＳ２９１４に進み、指定された排紙先に、処理すべきジョブのシート束をずれた状態にするための処理を行うことなく積載させる。当該機構を具備しない排紙先には、例えば、図１４に示した大容量スタッカのエスケープトレイや、図１６に示したサンプルトレイがある。
【０３６５】
一方、ステップＳ２９０２において、制御部２０５は、処理すべきジョブの排紙先が、シート束をずれた状態で積載するための機構を具備すると判定した場合には、ステップＳ２９０３に進む。
【０３６６】
ステップＳ２９０３で、制御部２０５は、処理すべきジョブの排紙先に指定されている排紙先と同じ排紙先のジョブ（先行ジョブ）が存在するか否かを判定する。本形態における（先行ジョブ）とは、例えば、以下の（先行ジョブ１）及び（先行ジョブ２）に示す２通りの状態のジョブのことを示すものとする。
（先行ジョブ１）
ＨＤＤ２０９に記憶されており、処理すべきジョブよりも先に実行される予定の、実行待ち状態のジョブ。
（先行ジョブ２）
すでに実行済みのジョブであり、且つ、当該ジョブのシート束が大容量スタッカに積載されている状態のジョブ。
【０３６７】
（先行ジョブ１）の有無の判定と（先行ジョブ２）の有無の判定は、それぞれ判定の方法が異なるので、分けて説明する。
【０３６８】
先に、制御部２０５が（先行ジョブ１）に示す状態の先行ジョブがあるか否かを判定する場合の判定の方法について説明する。
【０３６９】
まず、制御部２０５は、処理すべきジョブのシートの排紙先情報を当該処理すべきジョブの印刷データに対応付けられて記憶されている処理条件データから取得する。また、制御部２０５は、先行ジョブのシートの排紙先情報を、当該先行ジョブの印刷データに対応付けて記憶されている処理条件データから取得する。そして、制御部２０５は、各排紙先情報から、処理すべきジョブのシートの排紙先と、先行ジョブ１のシートの排紙先とを比較し、処理すべきジョブのシートの排紙先と、同じ排紙先のジョブがあるか否かを判定する。制御部２０５は、同じ排紙先のジョブがあると判定した場合に、先行ジョブが存在すると判定する。
【０３７０】
次に、制御部２０５が（先行ジョブ２）に示す状態の先行ジョブがあるか否かを判定する場合の判定の方法について説明する。
【０３７１】
まず、制御部２０５は、処理すべきジョブのシートの排紙先情報を処理条件データから取得する。そして、制御部２０５は、当該処理すべきジョブの排紙先に、排紙済みのシートが存在するか否かを、例えば、当該排紙先に設けられたシートの有無検知センサによって検知する。
【０３７２】
シートの有無検知センサは、該処理すべきジョブの排紙先と同じ排紙先に、シートが存在することを検知すると、その旨を通知する信号を制御部２０５に送信する。制御部２０５は、その信号を受信して、該処理すべきジョブと同じ排紙先に、排紙済みのシートが存在することを検知する。その場合に、制御部２０５は、処理すべきジョブの排紙先情報で指定されている排紙先と同じ排紙先のジョブ、いわゆる先行ジョブが存在すると判定する。
【０３７３】
ステップＳ２９０３において、制御部２０５は、以上のような、（先行ジョブ１）の有無の判定と、（先行ジョブ２）の有無の判定を行い、（先行ジョブ１）も（先行ジョブ２）も存在しないと判定した場合に、先行ジョブが存在しないと判定する。その場合に、ステップＳ２９１３に処理を進める。
【０３７４】
ステップＳ２９１３において、制御部２０５は、処理すべきジョブの印刷物の端部が積載基準位置に揃うように積載するように制御する。例えば、処理すべきジョブの排紙先が、大容量スタッカのスタックトレイの場合、制御部２０５は、図３０に示す積載基準位置（例えば、第１の積載基準位置）に揃えて積載させるように制御する。その後、制御部２０５は、ステップＳ２９０９に処理を進める。
【０３７５】
一方、ステップＳ２９０３において、制御部２０５は、（先行ジョブ１）または（先行ジョブ２）が存在すると判定した場合に、先行ジョブがあると判定し、ステップＳ２９０４に処理を進める。なお、ステップＳ２９０４からＳ２９１２の処理の説明では、先行ジョブに対して、処理すべきジョブのことを「後続ジョブ」と呼ぶ。
【０３７６】
ステップＳ２９０４において、制御部２０５は、印刷システム１０００の設定として、例えば、ジョブ間シフトボタン２３０１によって、処理すべきジョブに対して、ジョブ間シフト処理を行わせるように指示されているか否かを判定する。
【０３７７】
制御部２０５は、ジョブ間シフト処理を実行するように指示されていないと判定した場合には、ステップＳ２９１２に進み、後続ジョブのシート束と先行ジョブのシート束とをずらさずに積載するように制御する。言い換えると、制御部２０５は、ステップＳ３０１１において、先行ジョブのシート束と後続ジョブのシート束とをずれた状態で積載することを禁止する。その後、制御部２０５は、ステップＳ２９０９に処理を進める。
【０３７８】
一方、ステップＳ２９０４において、制御部２０５は、印刷システム１０００の設定として、ジョブ間シフト処理を実行するように指示されていると判定した場合には、ステップＳ２９０５に処理を進め、後続ジョブの排紙先が大容量スタッカか否かを判定する。
【０３７９】
ステップＳ２９０５において、制御部２０５は、後続ジョブの処理条件データから、後続ジョブの排紙先情報を取得し、後続ジョブの排紙先が大容量スタッカではないと判定した場合には、ステップＳ２９１１に進む。
【０３８０】
ステップＳ２９１１において、制御部２０５は、排紙先情報で指定されている排紙先に、後続ジョブのシート束を先行ジョブのシート束と特定量分（以降、特定量を１０ｍｍとする）ずれた状態で積載させるように制御する。例えば、制御部２０５は、後続ジョブのシートの排紙先が中綴じ製本機の場合に、図３７に示す管理テーブルの中綴じ製本機の制約事項を参照し、その制約事項に従った制御をおこなう。具体的に、制御部２０５は、管理テーブルの制約事項１に従って、先行ジョブのシート束の上に、後続ジョブのシート束を積載した結果、排紙先の最大積載許容枚数を超えるか否かを判定する。そして、制御部２０５は、最大積載許容枚数の範囲内であると判定した場合に、管理テーブルの制約事項２に従って、次の制御をおこなう。制御部２０５は、中綴じ製本機のスタックトレイに、シート束の積載量によらずに、後続ジョブのシート束と先行ジョブのシート束とを特定量分ずれた状態で積載させるよう制御する。その後、制御部２０５は、ステップＳ２９０９に処理を進める。
【０３８１】
一方、制御部２０５はステップＳ２９０５で、後続ジョブの排紙先が大容量スタッカだと判定した場合にステップＳ２９０６に処理を進める。
【０３８２】
ステップＳ２９０６において、制御部２０５は、例えば、各ジョブのシート束に含まれるシートの枚数や、シート束の高さに基づき後続ジョブのシート束と先行ジョブのシート束とを特定量分ずれた状態で積載することを許可するか禁止するかの判定をおこなう。制御部２０５は、当該判定を管理テーブルの大容量スタッカの制限事項２に従って行うが、その手順については、後に詳述する。ステップＳ３００６において、制御部２０５は判定を行った後、ステップＳ２９０７に処理を進める。
【０３８３】
ステップＳ２９０７では、ステップＳ２９０６における判定の結果、後続ジョブのシート束と先行ジョブのシート束とを特定量分ずれた状態で積載することを許可すると判定した場合は、ステップＳ２９１０に進む。そして、制御部２０５は、後続ジョブのシート束と先行ジョブのシート束とを特定量分ずれた状態で積載するように制御する。
【０３８４】
一方、ステップＳ２９０６における判定の結果、後続ジョブのシート束と先行ジョブのシート束とを特定量分ずれた状態で積載することを禁止する必要があると判定した場合には、ステップＳ２９０８に進む。
【０３８５】
ステップＳ２９０８では、制御部２０５は、後続ジョブのシート束と先行ジョブのシート束とを特定量分ずれた状態で積載することを禁止する。この場合、制御部２０５は、後続ジョブのシート束と先行ジョブのシート束とをずらさずに、後続ジョブのシート束を先行ジョブのシート束の上に積載することは許可する。また、制御部２０５は、特定量よりも小さい量（例えば、５ｍｍ）だけ、後続ジョブのシート束と先行ジョブのシート束とをずれた状態で積載するように制御することを許可するようにしてもよい。このように、制御部２０５は、特定量より小さい量だけずれた状態でシート束を積載することで、荷崩れの危険性を抑制しつつ、積載後に先行ジョブのシート束と後続ジョブのシート束とを区別しやすくすることができる。そして、制御部２０５は、ステップＳ２９０９に処理を進める。
【０３８６】
制御部２０５は、ステップＳ２９０９において、処理すべきジョブが他にも存在するか否かを判定する。処理すべきジョブが他に存在しない場合には、処理を終了する。一方、ステップＳ２９０９において、ＨＤＤ２０９内に格納された処理すべきジョブが他にも存在すると判定した場合には、ステップＳ２９０２に戻って処理を繰り返す。
【０３８７】
なお、処理を終了した後、新しくジョブを受け付けた場合に、制御部２０５は、再び、フローチャートの制御を開始する。
【０３８８】
次に、ステップＳ２９０６で、制御部２０５が図３７に示す管理テーブルを参照し、後続ジョブのシート束と先行ジョブのシート束とを特定量分ずれた状態で積載することを禁止する必要があるか否かを判定する判定処理について図３９、図４０を用いて説明する。
【０３８９】
尚、制御部２０５は、当該判定をおこなう際に、例えば、シート束の枚数を基準に判定する場合と、シート束の高さを基準に判定する場合がある。
【０３９０】
＜枚数を基準に判定する場合＞
まず、制御部２０５が、先行ジョブのシート束の枚数、及び、後続ジョブのシート束の枚数を基準に判定する場合について、図３９のフローチャートを用いて説明する。
【０３９１】
ステップＳ３００１において、制御部２０５は、まず、先行ジョブのシート束の枚数を算出するために、先行ジョブの情報を取得する。
【０３９２】
前述したように、先行ジョブにはＨＤＤ２０９に記憶されている実行待ち状態のジョブ（先行ジョブ１）と、すでに実行され、且つ、そのシート束が大容量スタッカに積載されている状態のジョブ（先行ジョブ２）とがある。
【０３９３】
先行ジョブの状態の違いによって、先行ジョブの情報の取得方法や、取得可能な先行ジョブの情報の種類は異なる。そこで、先行ジョブの情報の取得方法、及び、取得可能な先行ジョブの情報の種類について、先行ジョブの状態別に説明する。
【０３９４】
＜先行ジョブがＨＤＤ２０９に記憶されている実行待ち状態のジョブ（先行ジョブ１）である場合＞
（先行ジョブの情報取得方法１）
先行ジョブがＨＤＤ２０９に記憶されている実行待ち状態のジョブである場合には、そのジョブの印刷データに対応付けてＨＤＤ２０９に記憶された処理条件データを参照することで、制御部２０５は先行ジョブの情報を取得することができる。
【０３９５】
この方法で制御部２０５が取得できる情報には、該先行ジョブのページ数や印刷倍率、印刷レイアウト、用紙の種類、用紙のサイズ、片面／両面印刷設定等に関する情報、シート処理の種類に関する情報、シートの排紙先に関する情報等がある。
【０３９６】
＜先行ジョブが、すでに実行済みで、且つ、その先行ジョブのシート束が大容量スタッカ内に積載されている状態のジョブ（先行ジョブ２）である場合＞
（先行ジョブの情報取得方法２）
制御部２０５は、当該先行ジョブを実行する際、前述した処理条件データに含まれる内容を、ＨＤＤ２０９内のジョブ履歴情報記憶部に、当該先行ジョブに対応付けて記憶しておく。
【０３９７】
そして、当該先行ジョブのシート束に関する情報が必要になった時に、制御部２０５は、そのＨＤＤ２０９のジョブ履歴情報記憶部を参照することで、その先行ジョブの処理条件データに含まれる情報のうち、必要な情報を取得することができる。ジョブ履歴情報記憶部に記憶させておく情報は、そのジョブの処理条件データの全てであってもよいし、一部であってもよい。
【０３９８】
（先行ジョブの情報取得方法３）
制御部２０５は、先行ジョブの印刷を実行する際に、印刷に要したシートの枚数を不図示のカウンタによってカウントし、ＨＤＤ２０９の印刷枚数情報記憶部にカウントした枚数を格納しておく。その後、制御部２０５は、カウントした値をＨＤＤ２０９の印刷枚数情報記憶部を参照することにより、当該先行ジョブを実行することにより排紙されたシートの枚数情報を取得することができる。
【０３９９】
なお、カウンタはソフトウェアのカウンタ、ハードウェアのカウンタを問わず、排紙したシートの枚数をカウントできるものであればよい。
【０４００】
ここで、先行ジョブのシート束の情報取得方法２、３について、説明を補足しておく。印刷枚数情報記憶部やジョブ履歴情報記憶部に記憶された情報は、制御部２０５が、大容量スタッカ内に積載されているシート束の枚数や高さといった情報を把握するためのものである。従って、大容量スタッカから取り除かれ、すでにその大容量スタッカ内に存在しないシート束に関する情報は、大容量スタッカ内に積載されているシート束の情報と区別しておく必要がある。ここでは、区別する方法の一例として、大容量スタッカから取り除かれたシート束に関する情報を削除する方法について説明する。
【０４０１】
制御部２０５は、例えば、スタッカ内の紙のシート検知センサや大容量スタッカの前ドアの開閉センサを用いて、シート束が大容量スタッカから取り除かれたと判定し、当該シート束に関する情報を削除する。
【０４０２】
オペレータは、大容量スタッカに積載された紙を取り出す際に、大容量スタッカの前ドアを開けて、大容量スタッカ内に積載されているシートを取り出した後、大容量スタッカの前ドアを閉める。制御部２０５は、この手順を考慮した制御をおこなうことで、効率良く、大容量スタッカから取り除かれたシート束の情報を削除することができる。
【０４０３】
では、その具体的な制御について説明する。ＨＤＤ２０９内に大容量スタッカ内に積載されたシートが存在するか否かを示すフラグを用意しておく。制御部２０５は、例えば、印刷システム１０００の電源投入時に、シート検知センサにシートがあるか否かを問い合わせるための信号を送信し、シート検知センサから大容量スタッカ内に積載されたシートが存在するかを示す信号を受信する。制御部２０５は、積載されたシートが存在する信号を受信した場合には、フラグをオンの状態にし、積載されたシートが存在しない信号を受信した場合には、フラグをオフの状態にしておく。そして、制御部２０５は、大容量スタッカ内にシートの排紙処理をおこなった場合に、当該フラグをオンの状態にする。その後、制御部２０５は、大容量スタッカの前ドアの開閉センサから、扉が閉められたことを示す信号が送られてきた場合に、シート検知センサにシートがあるか否かを問い合わせるための信号を送信する。そして、その返信として、シート検知センサから大容量スタッカ内に積載されたシートが存在するかを示す信号を受信する。その信号により、制御部２０５は、大容量スタッカ内に積載されたシートが存在しないと判定した場合に、大容量スタッカ内のシートが取り除かれたと判定し、フラグをオフの状態にする。制御部２０５は、フラグをオフの状態にしたときに、前述した記憶部の内容を削除する。
【０４０４】
このような制御によって、制御部２０５は、紙を取り出す際に、オペレータが実際におこなう動作にあわせた制御をすることができる。また、シート検知センサは、大容量スタッカの前ドアが閉められ、制御部２０５から要求があったタイミングでのみ、シートがあるか否かを示す信号を送信すればよいので、シート検知センサと制御部２０５との間において不要なトラフィックを発生させずに済む。
【０４０５】
ステップＳ３００１において、以上に説明したような方法のいずれかによって、制御部２０５は、大容量スタッカ内に積載されている先行ジョブのシート束の情報を取得することができる。その後、ステップＳ３００２に処理を移行する。
【０４０６】
（後続ジョブの情報取得方法）
ステップＳ３００２において、制御部２０５は、後続ジョブの情報を取得する。制御部２０５は、後続ジョブの情報を、後続ジョブを受付けた際に、ＨＤＤ２０９に当該後続ジョブの印刷データに対応付けて記憶した処理条件データを参照して取得する。この方法で制御部２０５が取得できる情報には、該後続ジョブのページ数や印刷倍率や印刷レイアウトや用紙サイズや片面／両面印刷設定等に関する情報、シート処理の種類に関する情報、シートの排紙先に関する情報等がある。
【０４０７】
ステップＳ３００２で後続ジョブのシート束の情報を取得したら、ステップＳ３００３に処理を移行する。
【０４０８】
（先行ジョブのシート束に含まれるシートの枚数の算出方法）
ステップＳ３００３において、制御部２０５は、前述した（先行ジョブの情報取得方法１〜２）に説明した方法によって取得した情報に基づいて、先行ジョブのシート束に含まれるシートの枚数を算出する。その方法について説明する。
【０４０９】
制御部２０５は、先行ジョブのシート束に含まれるシートの枚数を、ステップＳ３００１で取得可能な情報のうち、ページ数、印刷レイアウト、片面／両面印刷設定に関する情報を用いて計算する。
【０４１０】
例えば、ページ数が１０００ページで、２ｉｎ１印刷が設定されている場合、制御部２０５は、１０００ページ÷２（２ｉｎ１印刷のため）で、５００枚のシートが排紙されると計算する。また、ページ数が２０００ページで両面印刷が設定されている場合には、制御部２０５は、２０００ページ÷２（両面印刷のため）で、１０００枚のシートが排紙されると計算する。つまり、制御部２０５は、そのジョブの総ページ数を、シート１枚あたりに印刷するページ数で割ることで、当該ジョブを実行したときに排紙される１シート束に含まれるシートの枚数を得ることができる。
【０４１１】
また、この方法とは別に、制御部２０５は、先行ジョブが既に実行され、そのジョブのシート束が大容量スタッカに積載済みの場合には、（先行ジョブの情報取得方法３）によって、上記計算をせずとも、先行ジョブのシート束の枚数を取得できる。
【０４１２】
ステップＳ３００３において、制御部２０５は、上記に例示されたような方法で、先行ジョブのシート束に含まれるシートの枚数を取得すると、ステップＳ３００４に処理を進める。
【０４１３】
（後続ジョブのシート束に含まれるシートの枚数の算出）
ステップＳ３００４において、制御部２０５は、後続ジョブのシート束に含まれるシートの枚数を算出する。ステップＳ３００４において、制御部２０５は、（後続ジョブの情報取得方法）で取得した情報に基づき、前述した先行ジョブのシート束に含まれるシートの枚数を算出する方法と同じ手順で、後続ジョブのシート束に含まれるシートの枚数を算出する。
【０４１４】
その後、ステップＳ３００３、Ｓ３００４で算出した各ジョブのシートの枚数をもとに、制御部２０５は、後続ジョブのシート束と先行ジョブのシート束とを特定量分ずれた状態で積載することを禁止する必要があるか否かを判定する。制御部２０５は、図３７の管理テーブルに基づいて、ステップＳ３００５〜Ｓ３０１３に示すように判定をおこなう。
【０４１５】
具体的に、制御部２０５は、ＨＤＤ２０９内に格納された図３７に示す管理テーブルに示す制約事項２に基づき、後続ジョブのシート束と先行ジョブのシート束とを特定量分ずれた状態で積載することを禁止する必要があるか否かを判定する。なお、この管理テーブルで用いている条件値は、一例にすぎず、ここで示した値に限られるものではない。また、これらの値は、製造時に予め設定してＲＯＭ２０７に格納しておき、制御部２０５が必要に応じて参照するようにしてもよいし、後にオペレータによって設定、変更できるようにしてもよい。
【０４１６】
ステップＳ３００５〜Ｓ３０１３に示す処理の流れを説明する前に、管理テーブルに設定された条件について説明する。制御部２０５が、ステップＳ２９０６において、後続ジョブのシート束と先行ジョブのシート束とを特定量分（例えば、１０ｍｍ）ずれた状態で積載することを禁止する必要があると判定するのは、例えば、次に示す場合である。
【０４１７】
まず、制御部２０５が、先行ジョブのシート束に含まれるシートの枚数が３００枚未満であり、後続ジョブのシート束に含まれるシートの枚数が１０００枚以上だと判定した場合である。この場合は、土台となる先行ジョブのシート束の枚数が、少なく、その上に積載されるシートの枚数が多い。そのため、重心の位置が高い状態になり、台車でそのシートを運搬している際に運搬途中の揺れや衝撃の影響を受けやすい。言い換えると、積載されたシートが崩れやすい状態である。例えば、図３４（ｃ）に示す積載パターンがそれに該当する。
【０４１８】
ただし、例外として、土台となる先行ジョブのシート束に含まれるシートが１枚や２枚のときのように、極端に少ない場合（枚数Ｓ１枚未満の場合）には、先行ジョブの上に積載される後続ジョブは揺れる余地が少ない。その場合、先行ジョブのシート束は無視することができる。ここでは、制御部２０５は、先行ジョブのシート束に含まれるシートの枚数が１０枚未満であると判定した場合に、先行ジョブのシート束を無視するように、管理テーブルを設定している。
【０４１９】
よって、制御部２０５は、このような場合にまで、先行ジョブのシート束の排紙位置に対して、後続ジョブのシート束を特定量分（１０ｍｍ）ずれた状態で積載することを禁止する必要は無い。つまり、制御部２０５は、先行ジョブの１シート束に含まれるシートの枚数が１０枚以上３００枚未満で、後続ジョブのシート束に含まれるシートの枚数が１０００枚以上であると判定した場合に、次の制御をおこなう。制御部２０５は、後続ジョブのシート束と先行ジョブのシート束とを１０ｍｍずれた状態で積載する事を許可する。
【０４２０】
また、先行ジョブのシート束に含まれるシートの枚数が３００枚以上であっても、その上に積載される後続ジョブのシート束に含まれるシートの枚数が２０００枚以上の場合に、制御部２０５は次の制御を行う。制御部２０５は、後続ジョブのシート束と先行ジョブのシート束とをずれた状態で積載することを禁止する必要があると判定する。図３６（ｃ）に示す積載パターンがこれに該当し、積載されたシートの重心の位置が高い状態を示している。
【０４２１】
このような管理テーブルに示す条件値に基づいて、制御部２０５は、ステップＳ３００５〜Ｓ３０１３に示す制御をおこなう。ここでは、枚数に関する条件値に基づいて制御を行う例を説明するが、先行ジョブのシート束に含まれるシートの枚数の条件値をＳ１、Ｓ２とし、後続ジョブのシート束に含まれるシートの枚数の条件値をＴ１、Ｔ２として説明する。以下の説明では、例として、Ｓ１が１０枚、Ｓ２が３００枚、Ｔ１が１０００枚、Ｔ２が２０００枚の場合について説明するが、Ｓ１、Ｓ２、Ｔ１、Ｔ２の値はこれに限らない。但し、Ｓ１はＳ２よりも小さい値であるとする。
【０４２２】
まず制御部２０５は、ステップＳ３００５において、管理テーブルに基づいて、先行ジョブのシート束に含まれるシートの枚数がＳ１枚（１０枚）未満であるか否かを判定する。シートの枚数がＳ１枚（１０枚）未満であると判定した場合には、ステップＳ３０１３に移り、制御部２０５は、後続ジョブのシート束と先行ジョブのシート束とを特定量分（例えば１０ｍｍ）ずれた状態で積載することを許可する。
【０４２３】
一方、ステップＳ３００５で先行ジョブのシート束に含まれるシートの枚数がＳ１枚（１０枚）以上であると判定した場合には、ステップＳ３００５に移り、先行ジョブのシート束に含まれるシートの枚数はＳ２枚（３００枚）未満であるか判定する。先行ジョブのシート束に含まれるシートの枚数が、Ｓ２枚（３００枚）未満であると判定した場合には、ステップＳ３００７に移る。
【０４２４】
ステップＳ３００７では、制御部２０５は、管理テーブルに基づいて、後続ジョブのシート束に含まれるシートの枚数がＴ１枚（１０００枚）以上であるかどうかを判定し、Ｔ１枚（１０００枚）以上であると判定した場合は、次の制御を行う。制御部２０５は、Ｓ３００８にて、後続ジョブのシート束と先行ジョブのシート束とを特定量分（１０ｍｍ）ずれた状態で積載する事を禁止する必要があると判定する。
【０４２５】
一方、後続ジョブのシート束に含まれるシートの枚数が、Ｔ１枚（１０００枚）未満であると判定した場合にはステップＳ３１０９にて、後続ジョブのシート束と先行ジョブのシート束とを特定量分（１０ｍｍ）ずれた状態で積載する事を許可する。一方、ステップＳ３００６において、先行ジョブのシート束に含まれるシートの枚数がＳ２枚（３００枚）以上であると判定した場合には、ステップＳ３０１０に移る。
【０４２６】
ステップＳ３０１０において、制御部２０５は、後続のジョブのシート束に含まれるシートの枚数がＴ２枚（２０００枚）以上であるか判定する。Ｔ２枚（２０００枚）以上である場合には、ステップＳ３０１１にて、後続ジョブのシート束と先行ジョブのシート束とを特定量分（１０ｍｍ）ずれた状態で積載する事を禁止する必要があると判定する。
【０４２７】
一方、制御部２０５は、Ｔ２枚（２０００枚）未満であると判定した場合には、ステップＳ３０１２にて後続ジョブのシート束と先行ジョブのシート束とを特定量分（１０ｍｍ）ずれた状態で積載する事を許可する。
【０４２８】
以上のように、制御部２０５が状況に応じて、後続ジョブのシート束と先行ジョブのシート束とを特定量分（１０ｍｍ）ずれた状態で積載する事を許可するか禁止するかを判定する。それによって、積載されたシートが不安定になることを未然に防止することができる。
【０４２９】
また、この制御とは別に、制御部２０５は、先行ジョブのシート束に含まれるシートの枚数と後続ジョブのシート束に含まれるシートの枚数の割合をもとにして、ジョブ間シフト処理を許可するか禁止するかを決定することも可能である。例えば、制御部２０５は、後続ジョブのシート束の枚数を先行ジョブのシート束の枚数で割り、割った値が予め定められた条件値以上の場合には、後続ジョブのシート束と先行ジョブのシート束とをずれた状態で積載することを禁止する必要があると判定してもよい。
【０４３０】
＜高さを基準に判定する場合＞
次に、図３８に示すステップＳ２９０６において、制御部２０５が、先行ジョブのシート束の高さ、及び、後続ジョブのシート束の高さを基準に、判定を行う場合について、図４１のフローチャートを用いて説明する。
【０４３１】
まず、制御部２０５は、図４１のステップＳ３２０１、ステップＳ３２０２において、図３９のステップＳ３００１、Ｓ３００２で述べた方法と、同じ方法で、先行ジョブの情報と、後続ジョブの情報を取得する。その後、ステップＳ３２０３に処理を進める。
【０４３２】
ステップＳ３２０３において、まず、制御部２０５は、ステップＳ３２０１で取得した先行ジョブの情報から、前述した方法で、先行ジョブのシート束に含まれるシートの枚数を求める。そして、制御部２０５は、当該先行ジョブのシートの枚数と、シート１枚あたりのシートの厚さとの積をとることで、先行ジョブのシート束の高さを求める。
【０４３３】
シート１枚あたりのシートの厚さは、用紙の種類に対応づけて予めＨＤＤ２０９に記憶しておき、制御部２０５は、印刷に要する用紙の種類を処理条件データから取得し、その用紙の種類に対応したシートの厚さを参照することで、取得することができる。
【０４３４】
シートの高さを算出する方法について、例をあげて説明する。例えば、通常のコピー用紙の厚さを０．１ｍｍとして、予めＨＤＤ２０９に記憶させておき、制御部２０５は、該コピー用紙に５００枚の印刷シートを積載する場合に、その高さは０．１ｍｍ×５００枚で５０ｍｍであると算出する。ステップＳ３２０３において、制御部２０５は、このようにして、先行ジョブのシート束の高さを算出したら、ステップＳ３２０４に処理を進める。
【０４３５】
ステップＳ３２０４において、制御部２０５は、後続ジョブのシート束の高さを、先行ジョブのシート束の高さを算出した方法と、同様の方法によって算出し、ステップＳ３２０５に処理を進める。
【０４３６】
なお、ステップＳ３２０３において、（先行ジョブの情報取得方法１〜３）に示す方法で取得した情報から、シート束の高さを算出する方法を説明したが、制御部２０５は、次の方法でも、先行ジョブの高さに関する情報を取得することが可能である。
【０４３７】
（先行ジョブの高さ取得方法）
先行ジョブが既に実行済みのジョブである場合に、制御部２０５は、大容量スタッカ内に設けられた不図示の高さ検知センサによって、大容量スタッカに積載された先行ジョブのシート束の高さを取得することができる。高さ検知センサは、大容量スタッカの内部に積載されているシートの高さを検知し、制御部２０５に、検知した高さに関する情報を送信する。この場合、制御部２０５は、高さ検知センサからの信号を受信して、大容量スタッカに積載された先行ジョブのシート束の高さを取得することができるので、上記計算をしなくてもよい。
【０４３８】
以上のようにして得た各シート束の高さをもとに、制御部２０５は、図４１に示すステップＳ３２０５〜Ｓ３２１３の処理で、後続ジョブのシート束と先行ジョブのシート束とをずれた状態で積載することを禁止する必要があるかを判定する。制御部２０５は、当該判定を図４０に示す管理テーブルに基づいておこなう。
【０４３９】
尚、この管理テーブルに示す高さの条件値は、製造時に予め設定した値をＲＯＭ２０７に格納しておき、制御部２０５がそれらを必要に応じて参照するようにしてもよいし、後にオペレータによって設定、変更できるようにしてもよい。
【０４４０】
ステップＳ３００５〜Ｓ３０１３に示す処理の流れを説明する前に、管理テーブルに設定された条件について説明する。
【０４４１】
まず、制御部２０５が、ステップＳ２９０６において、後続ジョブのシート束と先行ジョブのシート束とを特定量分ずれた状態で積載することを禁止する必要があると判定するのは、次のような場合である。それは、制御部２０５が、先行ジョブのシート束の高さが３０ｍｍ未満であり、後続ジョブのシート束の高さが１００ｍｍ以上だと判定した場合である。例えば、図３４（ｃ）に示す積載パターンがそれに該当する。
【０４４２】
ただし、例外として、先行ジョブのシート束の高さが、極端に低い場合、例えば１ｍｍ未満の場合）には、先行ジョブのシート束の高さは無視することができる。よって、制御部２０５は、このような場合にまで、後続ジョブのシート束と先行ジョブのシート束とを特定量分（１０ｍｍ）ずれた状態で積載することを禁止する必要は無い。
【０４４３】
つまり、制御部２０５は、先行ジョブのシート束の高さが１ｍｍ以上３０ｍｍ未満で、後続ジョブのシート束の高さが１００ｍｍ以上であると判定した場合に、次の制御を行う。制御部２０５は、後続ジョブのシート束と先行ジョブのシート束とを特定量分（１０ｍｍ）ずれた状態で積載することを禁止する。
【０４４４】
また、制御部２０５は、先行ジョブのシート束の高さが３０ｍｍ以上でも、その上に積載される後続ジョブのシート束の高さが２００ｍｍ以上の場合、例えば図３６（ｃ）に示す積載パターンの場合も、次の制御を行う。制御部２０５は、後続ジョブのシート束と先行ジョブのシート束とを特定量分（１０ｍｍ）ずれた状態で積載することを禁止する。
【０４４５】
制御部２０５は、図４１に示すフローチャートに従って当該判定をおこなう。尚、ここでは、シート束の高さに関する条件値に基づいて制御を行う例を説明するが、先行ジョブのシート束の高さの条件値をＬ１、Ｌ２とし、後続ジョブのシート束の高さの条件値をＭ１、Ｍ２として説明する。以下の説明では、例として、Ｌ１が１ｍｍ、Ｌ２が３０ｍｍ、Ｍ１が１００ｍｍ、Ｍ２が２００ｍｍの場合について説明するが、Ｌ１、Ｌ２、Ｍ１、Ｍ２の値はこれに限らない。但し、Ｌ１はＬ２よりも小さい値であるとする。
【０４４６】
まず制御部２０５は、ステップＳ３２０５において、先行ジョブのシート束の高さがＬ１（１ｍｍ）未満であるか判定する。Ｌ１（１ｍｍ）未満であると判定した場合には、ステップＳ３２１３に移り、後続ジョブのシート束と先行ジョブのシート束とを特定量分（１０ｍｍ）ずれた状態で積載することを禁止する必要はないと判定する。
【０４４７】
一方、制御部２０５は、ステップＳ３２０１でＬ１（１ｍｍ）以上と判定した場合には、ステップＳ３２０６に移り、先行ジョブのシート束の高さはＬ２（３０ｍｍ）未満であるか判定する。Ｌ２（３０ｍｍ）未満であると判定した場合には、ステップＳ３２０７に移る。
【０４４８】
ステップＳ３２０７において、制御部２０５は、後続ジョブのシート束の高さがＭ１（１００ｍｍ）以上であるかどうかを判定し、Ｍ１（１００ｍｍ）以上であると判定した場合に、ステップＳ３２０８に処理を進める。ステップＳ３２０８において、制御部２０５は後続ジョブのシート束と先行ジョブのシート束とを特定量分（１０ｍｍ）ずれた状態で積載することを禁止する必要があると判定する。
【０４４９】
後続ジョブのシート束の高さがＭ１（１００ｍｍ）未満であると判定した場合にはステップＳ３２０９にて、後続ジョブのシート束と先行ジョブのシート束とを特定量分（１０ｍｍ）ずれた状態で積載することを許可する。
【０４５０】
一方、ステップＳ３２０６において、先行ジョブのシート束の高さがＬ２（３０ｍｍ）以上であると判定した場合には、ステップＳ３２１０に移る。ステップＳ３２１０では、制御部２０５は、後続ジョブのシート束の高さがＭ２（２００ｍｍ）以上であるか判定する。その結果、Ｍ２（２００ｍｍ）以上であると判定した場合には、制御部２０５は、ステップＳ３２１１にて、後続ジョブのシート束と先行ジョブのシート束とを特定量分（１０ｍｍ）ずれた状態で積載することを禁止する必要があると判定する。また、Ｍ２（２００ｍｍ）未満であると判定した場合には、制御部２０５は、ステップＳ３２１２にて、後続ジョブのシート束と先行ジョブのシート束とを特定量分（１０ｍｍ）ずれた状態で積載することを許可する。
【０４５１】
以上のような制御によって、制御部２０５が状況に応じて、後続ジョブのシート束と先行ジョブのシート束とを特定量分ずれた状態で積載することを禁止する必要があるか否か判定することで、積載されたシートが不安定になることを未然に防止することができる。尚、制御部２０５は、後続ジョブのシート束と先行ジョブのシート束とをずれた状態で積載することを許可した後続ジョブについては、そのジョブを実行する際に後続ジョブのシート束と先行ジョブのシート束とを特定量分ずれた状態で積載するための制御を行う。
【０４５２】
また、この制御とは別に、制御部２０５は、先行ジョブのシート束の高さと後続ジョブのシート束の高さの割合をもとにして、ジョブ間シフト処理を禁止することが必要であるか否かを判定することも可能である。例えば、制御部２０５は、後続ジョブのシート束の高さを先行ジョブのシート束の高さで割り、割った値が、予め定められた条件値以上の場合に、後続ジョブのシート束と先行ジョブのシート束とをずれた状態で積載することを禁止する必要があると判定してもよい。
【０４５３】
＜具体例＞
以上説明した動作のうち、シートの枚数を基準にして後続ジョブのシート束と、先行ジョブのシート束とをずれた状態で積載することを禁止する方法を、以下に具体例を用いて説明する。
【０４５４】
制御部２０５は、印刷要求を受けたジョブを、当該ジョブの実行を完了するまで、例えば、表示部４０１に図４２に示すようなジョブリストとして表示させる。
【０４５５】
制御部２０５は、ジョブＡを受付けると、ジョブＡの印刷データをＨＤＤ２０９に格納する。また、ジョブＡを受付ける際に、ジョブＡの処理条件データも受付け、処理条件データをジョブＡに対応付けてＨＤＤ２０９に格納する。
【０４５６】
そこで、制御部２０５は、受付けたジョブ名（ジョブＡ）と、ジョブＡに対応付けられてＨＤＤ２０９に記憶されている処理条件データの一部（ジョブ名や、用紙サイズ、ページ数など）を、ジョブリストに表示させる。
【０４５７】
制御部２０５は、ジョブＡと同様に、ジョブＢ、ジョブＣを受付けた後、図４２に示すジョブリストを表示部４０１に表示させる。
【０４５８】
制御部２０５は、ジョブＡ、ジョブＢ、ジョブＣについて、それぞれ図３８に示すフローチャートの制御をおこなう。換言すると、制御部２０５は、ジョブＡを受付けた場合に、図３８のステップＳ２９０１で印刷要求がなされたジョブを受付けたと判定し、後続ジョブのシート束と先行ジョブのシート束とをずれた状態で積載することを禁止するか否か判定する判定処理を開始する。
【０４５９】
まず、制御部２０５がジョブＡを受付けたときの処理について説明する。なお、このとき大容量スタッカには、シートが積載されていない状態であるものとして説明をおこなう。
【０４６０】
まず制御部２０５は、図３８のフローチャートに示すステップＳ２９０１で、印刷要求がなされたジョブＡを受付けたと判断し、ステップＳ２９０２に処理を進める。
【０４６１】
ステップＳ２９０２において、制御部２０５は、ジョブＡの排紙先にシート束をずれた状態で積載させる機構があるか否か判定する。まず、制御部２０５は、ジョブＡの排紙先をジョブＡの印刷データに対応付けて記憶された処理条件データを参照することで取得する。ジョブＡは、中綴じ製本処理を行うように指示されたジョブであり、中綴じ製本機のスタックトレイを排紙先とするため、制御部２０５は、ジョブＡの排紙先にシート束をずれた状態で積載させる機構があると判定し、ステップＳ２９０３に処理を進める。
【０４６２】
その後、ステップＳ２９０３において、制御部２０５は、ジョブＡの排紙先と同じ排紙先のジョブ（先行ジョブ）が存在するか否かを判定する。ジョブＡと同じ排紙先のジョブは存在しないので、ステップＳ２９１３に処理を進める。ステップＳ２９１３において、制御部２０５は、処理すべきジョブのシート束の端部が、例えば図３０に示す第１の積載基準位置に揃うように積載させるように制御し、ステップＳ２９０９に処理を進める。また、ＨＤＤ２０９の中に、ジョブＡよりも先に実行予定の印刷ジョブが存在しないので、印刷装置１００はジョブＡの印刷処理の実行を開始する。このとき、印刷された１枚目のシートは、図３０に示す第１の積載基準位置に排紙される。
【０４６３】
次に、ステップＳ２９０９において、制御部２０５は、他にも処理すべきジョブが存在するか否かを判定する。ここで、制御部２０５は、ジョブＢを受付けている場合に、ステップＳ２９０２に処理を進め、ジョブＢを対象に次の処理を行う。
【０４６４】
ステップＳ２９０２において、制御部２０５は、ジョブＢの排紙先に、シート束をずれた状態で積載させる機構があるか否か判定する。まず、制御部２０５は、ジョブＢの排紙先情報を、ジョブＢの印刷データに対応付けて記憶された処理条件データを参照することで取得する。ジョブＢは大量積載処理を行うように指示されたジョブであり、大容量スタッカのスタックトレイを排紙先とするため、制御部２０５は、ジョブＢの排紙先にシート束をずれた状態で積載させる機構があると判定し、ステップＳ２９０３に処理を進める。
【０４６５】
その後、ステップＳ２９０３において、制御部２０５は、ジョブＢの排紙先と同じ排紙先のジョブ（先行ジョブ）が存在するか否かを判定する。ここで、制御部２０５は、ジョブＡの排紙先を、ジョブＡの印刷データに対応付けて記憶されている処理条件データを参照し、当該ジョブＡの排紙先が、ジョブＢの排紙先である大容量スタッカのスタックトレイか否か判定する。ジョブＡの排紙先は、中綴じ製本機のスタックトレイであるので、制御部２０５は、ジョブＢと同じ排紙先のジョブは存在しないと判定し、ステップＳ２９１３に処理を進める。
【０４６６】
ステップＳ２９１３において、制御部２０５は、処理すべきジョブのシート束の端部が積載基準位置に揃うように積載させるように制御し、ステップＳ２９０９に処理を進める。尚、ジョブＢの頁数は８００頁あり、表示はしていないが、両面印刷設定および４ｉｎ１印刷設定がなされているものとする。
【０４６７】
次に、ステップＳ２９０９において、制御部２０５は、他にも処理すべきジョブが存在するか否かを判定する。ここで、制御部２０５は、ジョブＣを受付けている場合に、ステップＳ２９０２に処理を進める，ジョブＣを対象に次の処理を行う。
【０４６８】
ステップＳ２９０２において、制御部２０５は、ジョブＣの排紙先にシート束をずれた状態で積載させる機構があるか否か判定する。まず、制御部２０５は、ジョブＣの排紙先をジョブＣの印刷データに対応付けて記憶された処理条件データを参照することで取得する。ジョブＣは、中綴じ製本処理を行うように指示されたジョブであり、中綴じ製本機のスタックトレイを排紙先とするため、制御部２０５は、ジョブＣの排紙先にシート束をずれた状態で積載させる機構があると判定し、ステップＳ２９０３に処理を進める。
【０４６９】
その後、ステップＳ２９０３において、制御部２０５は、ジョブＣの排紙先と同じ排紙先のジョブ（先行ジョブ）が存在するか否かを判定する。制御部２０５は、ジョブＣの排紙先をジョブＣの処理条件データを参照することによって取得し、ジョブＡ、ジョブＢの排紙先と比較する。その結果、制御部２０５は、ジョブＣの排紙先である中綴じ製本機のスタックトレイと同じスタックトレイを排紙先とするジョブＡが存在すると判定し、ステップＳ２９０４に処理を進める。
【０４７０】
ステップＳ２９０４において、制御部２０５は、ジョブＣに対して、後続ジョブのシート束と先行ジョブのシート束とをずれた状態で積載するジョブ間シフト処理をおこなうように指定されているか否かを判定する。当該ジョブ間シフト処理の指示は、図３２に示すジョブ間シフトボタン２１３によっておこなわれる。ここでは、ジョブ間シフトボタン２３０１によってジョブ間シフト処理をおこなうように設定されているとする。この場合、制御部２０５は、ジョブ間シフト処理をするように指示されていると判定し、ステップＳ２９０５に処理を進める。
【０４７１】
ステップＳ２９０５において、制御部２０５は、ジョブＣの排紙先は大容量スタッカか否かを判定する。制御部２０５は、ジョブＣの印刷データに対応付けて記憶されている処理条件データを参照し、ジョブＣの排紙先情報を取得する。ジョブＣの排紙先は、中綴じ製本機のスタックトレイであるので、制御部２０５は、ステップＳ２９１１に処理を進める。
【０４７２】
ステップＳ２９１１において、制御部２０５は、後続ジョブのシート束と先行ジョブのシート束とを特定量分ずれた状態で積載させるように制御し、ステップＳ２９０９に処理を進める。
【０４７３】
他に処理すべきジョブは存在しないので、制御部２０５は、図３８のフローチャートに示す処理を終了する。
【０４７４】
このような状態のときに、制御部２０５は、ジョブＤを受付けたとする。制御部２０５は、ここで、ジョブＤを受付けた制御部２０５は、図３８のフローチャートに示すステップＳ２９０１において、印刷要求がなされたジョブＤを受付けたと判断し、ステップＳ２９０２に処理を進める。
【０４７５】
ステップＳ２９０２において、制御部２０５は、ジョブＤの排紙先にシート束をずれた状態で積載させる機構があるか否か判定する。まず、制御部２０５は、ジョブＤの排紙先をジョブＤの印刷データに対応付けて記憶された処理条件データを参照することで取得する。ジョブＤは、大量積載処理を行うように指示されたジョブであり、大容量スタッカのスタックトレイを排紙先とするため、制御部２０５は、ジョブＤの排紙先にシート束をずれた状態で積載させる機構があると判定し、ステップＳ２９０３に処理を進める。
【０４７６】
ステップＳ２９０３において、制御部２０５は、ジョブＤの排紙先と同じ排紙先のジョブが存在するか否か判定する。ジョブＤの排紙先は大容量スタッカのスタックトレイであり、同じ大容量スタッカのスタックトレイを排紙先とするジョブがあるか否かを判定する。制御部２０５は、ジョブＡからジョブＣの排紙先に関する情報を取得し、大容量スタッカのスタックトレイを排紙先とするジョブＢがあると判定し、ステップＳ２９０４に処理を進める。
【０４７７】
次に、ステップＳ２９０４において、制御部２０５は、ジョブＤに対して、後続ジョブのシート束と先行ジョブのシート束とをずれた状態で積載するジョブ間シフト処理をおこなうように指定されているか否かを判定する。ここでは、ジョブ間シフトボタン２３０１によってジョブ間シフト処理をおこなうように設定されているとする。この場合、制御部２０５は、ジョブ間シフト処理をするように指示されていると判定し、ステップＳ２９０５に処理を進める。
【０４７８】
ステップＳ２９０５において、制御部２０５は、ジョブＤの排紙先は大容量スタッカか否かを判定する。制御部２０５は、ジョブＤの印刷データに対応付けて記憶されている処理条件データを参照し、ジョブＤの排紙先情報を取得する。ジョブＤの排紙先は、大容量スタッカのスタックトレイであるので、制御部２０５は、ステップＳ２９０６に処理を進める。
【０４７９】
ステップＳ２９０６において、制御部２０５は、ジョブＤのシート束とジョブＢのシート束とを特定量分ずれた状態で積載することを禁止する必要があるか否かを判定する。その具体的な処理については、図３９、もしくは、図４１に示すフローチャートによって示される。ここでは、図３９のフローチャートに従って処理を行う例について説明する。
【０４８０】
図３９のステップＳ３００１において、制御部２０５は、先行ジョブであるジョブＢの情報を取得する。具体的に、制御部２０５は、ジョブＢの処理条件データから、ジョブＢのページ数と印刷設定とを取得する。この例では、まず制御部２０５は、ＨＤＤにジョブＢに対応付けて記憶されている処理条件データから、ジョブＢの印刷データは８００頁分あり、両面印刷で、４ｉｎ１印刷するように設定されているという情報を取得し、ステップＳ３００２に処理を進める。
【０４８１】
ステップＳ３００２において、制御部２０５は、ジョブＤの情報を取得する。ここでも、ジョブＢの情報を取得したのと同様に、ジョブＤのページ数と印刷設定とを取得し、ステップＳ３００３に処理を進める。
【０４８２】
ステップＳ３００３において、制御部２０５は、ステップＳ３００１で取得したジョブＢの情報から、８００頁÷２（両面印刷）÷４（４ｉｎ１）＝１００枚というように、ジョブＢのシート束に含まれるシートの枚数を算出する。そして、制御部２０５は、算出した値を、ＨＤＤ２０９中の先行ジョブの枚数格納領域に記憶しておく。そして、ステップＳ３００４に処理を進める。
【０４８３】
ステップＳ３００４において、制御部２０５は、ステップＳ３００２で取得したジョブＤの情報から、ジョブＤのシート束に含まれるシートの枚数を計算する。ジョブＤは５０００頁あり、片面印刷で、２ｉｎ１印刷するように設定されている場合、制御部２０５は、それらの情報をステップＳ３００２で取得しておく。そして、制御部２０５は、取得した情報から５０００頁÷２（２ｉｎ１）＝２５００枚とジョブＤのシート束に含まれるシートの枚数を計算する。そして、制御部２０５は、その値をＨＤＤ２０９中の後続ジョブの枚数格納領域に記憶しておく。
【０４８４】
次にステップＳ３００５以降で、制御部２０５は、ジョブＢやジョブＤのシート束に含まれるシートの枚数に基づき、後続ジョブ（ジョブＤ）のシート束と先行ジョブ（ジョブＢ）のシート束とをずれた状態で積載することを禁止する必要があるか否か判定する。
【０４８５】
尚、この例では、制御部２０５は、図３７の管理テーブルに定められた条件値に基づいて、判定する。
【０４８６】
まず、ステップＳ３００５において、制御部２０５は、先行ジョブの枚数格納領域に格納されたジョブＢのシート束に含まれるシートの枚数とＳ１（１０枚）とを比較する。ジョブＢのシート束に含まれるシートの枚数は１００枚で、Ｓ２（１０枚）未満ではないので、ステップＳ３００６に進む。次に、ステップＳ３００６において、制御部２０５は、ジョブＢのシート束に含まれるシートの枚数がＴ１（３００枚）未満かどうかを判定する。ジョブＢのシート束に含まれるシートの枚数１００枚は、Ｔ２（３００枚）未満であるので、ステップＳ３００７に進む。
【０４８７】
ステップＳ３００７において、制御部２０５は、ジョブＤのシート束に含まれるシートの枚数がＴ１（１０００枚）以上かどうか判定する。ジョブＤのシート束は２５００枚であり、Ｔ１（１０００枚）以上であるので、ステップＳ３００８に進む。
【０４８８】
ステップＳ３００８において、制御部２０５は、後続ジョブ（ジョブＤ）のシート束と先行ジョブ（ジョブＢ）のシート束とをずれた状態で積載することを禁止する必要があると判定する。
【０４８９】
そして、制御部２０５は、図３９を用いて説明した、後続ジョブ（ジョブＤ）のシート束と先行ジョブ（ジョブＢ）のシート束とを特定量分ずれた状態で積載することを許可するか禁止するかの判定を行う処理を終了し、ステップＳ２９０７に処理をすすめる。
【０４９０】
ステップＳ２９０７において、制御部２０５は、後続ジョブ（ジョブＤ）のシート束と先行ジョブ（ジョブＢ）のシート束とを特定量分ずれた状態で積載することを禁止する必要があると判定し、ステップＳ２９０８に処理を進める。
【０４９１】
ステップＳ２９０８において、制御部２０５は、後続ジョブ（ジョブＤ）のシート束と先行ジョブ（ジョブＢ）のシート束とを特定量分ずれた状態で積載することを禁止する。そして、制御部２０５は、ステップＳ２９０９に処理を進める。
【０４９２】
ステップＳ２９０９において、制御部２０５は、処理すべきジョブは、存在しないと判定し、終了する。
【０４９３】
以上のような制御によって、後続ジョブのシート束と先行ジョブのシート束とをずれた状態で積載させると、積載されたシート束が不安定になる状態を、制御部２０５は、種々の条件値によって判断することができる。それによって、制御部２０５は、大容量スタッカに積載されたシートが不安定になることを未然に防ぐように制御することができる。
【０４９４】
また、制御部２０５は、後続ジョブのシート束と先行ジョブのシート束とをずれた状態で積載することを禁止する必要があると判定した場合に、当該後続ジョブの処理条件データに、ずれた状態で積載することを禁止する旨の情報を加えておく。そして、制御部２０５は、その後続ジョブを実行する場合に、以下の（制御１）〜（制御３）に述べるような制御を代わりにおこなうことができる。
【０４９５】
（制御１）
制御部２０５は、先行ジョブのシート束の排紙位置に対して、後続ジョブのシート束をずらさずに、積載させる。
【０４９６】
また、その際に、制御部２０５によって、その先行ジョブのシート束と、後続ジョブのシート束の間に仕切り紙を入れるように制御する。それによって、後続ジョブと先行ジョブとをずらさずとも、両ジョブの区切れ目を明確にすることができる。
【０４９７】
なお、仕切り紙のサイズは、その仕切り紙の、前後のシートのサイズよりも大きいサイズのものを選択することで、仕切り紙を前後のシートと比較して、見分けやすくすることができる。また、先行ジョブのシート束と、後続ジョブのシート束の間に仕切り紙を入れないように設定することも可能である。
【０４９８】
（制御２）
制御部２０５は、後続ジョブの実行時に、表示部４０１に図４４に示すような表示をさせ、オペレータに後続ジョブのシート束に対して、ジョブ間シフト処理をせずに排紙をおこなうように指示するためのメッセージを表示させる。それとともに、制御部２０５は、ジョブ間シフト処理をせずに排紙する指示をおこなうためのボタンを表示させる。
【０４９９】
例えば、ここで、オペレータによって、図４４に示す「はい」ボタンが押された場合、制御部２０５は、「はい」ボタンが押されたことを表示部４０１のタッチパネルから送られてくる信号によって認識する。そして、当該信号を受信した制御部２０５は、後続ジョブのシート束に対してジョブ間シフト処理をおこなわずに積載させる。言い換えると、制御部２０５は、後続ジョブのシート束と先行ジョブのシート束とを極力ずれない状態で積載させる。その際にも、（制御１）と同様、制御部２０５によって、先行ジョブのシート束と後続ジョブのシート束の間に仕切り紙を入れることによって後続ジョブと先行ジョブとをずらさずとも、両ジョブの区切れ目を明確にすることができる。
【０５００】
一方、オペレータによって、「いいえ」ボタンが押された場合、制御部２０５は、「いいえ」ボタンが押されたことを表示部４０１のタッチパネルから送られてくる信号によって認識する。そして、当該信号を受信した制御部２０５は、後続ジョブのシート束に対してジョブ間シフト処理をおこなわせ、積載させる。言い換えると、当該信号を受信した制御部２０５は、後続ジョブのシート束と先行ジョブのシート束とをずれた状態で積載するように制御する。例えば、台車での運搬距離が短く、シートの運搬中に荷崩れする可能性が低い場合に、オペレータは「いいえ」ボタンを選択することによって、後続ジョブのシート束と先行ジョブのシート束とをずれた状態で積載させることができる。このような構成によって、印刷システム１０００は、オペレータの意思を尊重したシフト処理をおこなうことができる。
【０５０１】
（制御３）
制御部２０５は、表示部４０１に図４５に示すような表示をさせ、オペレータに大容量スタッカ中に積載されているシートを取り除くように促す。その後、制御部２０５は、当該シートが大容量スタッカからシートが取り除かれたと判定した場合に、後続ジョブのシートの排紙を開始する。
【０５０２】
ここで、制御部２０５が大容量スタッカからシートが取り除かれたと判定する方法には、例えば、前述したような、不図示の大容量スタッカに設けられたシート検知センサを用いたものや、大容量スタッカの前ドアの開閉センサによるものがある。また、制御部２０５は、表示部４０１に大容量スタッカからシートを取り除いた後にＯＫボタンを押すように促すメッセージを表示させる。その後、制御部２０５は、ＯＫボタンが押下されたことを通知する信号をタッチパネル４０１から受信した時に、シートが取り除かれたと判定する方法もある。
【０５０３】
その際に、ＯＫボタンが押下されたにもかかわらず、例えば、シート検知センサから、シートが有る旨の信号を受け取った場合は、後続ジョブのシートの排紙を開始せず、表示部４０１に再度、図３８に示すような表示を行うとよい。
【０５０４】
以上のような制御をおこなうことによって、制御部２０５は、大容量スタッカに積載されるシートの安定性を維持することができる。
【０５０５】
＜後続ジョブがコピージョブの場合＞
以上のような制御では、これから排紙しようとするシート束の積載位置を、当該シート束の１枚目を排紙する時点までに、これから排紙するシート束の枚数、あるいは高さに基づいて制御部２０５が決定しておく必要がある。
【０５０６】
ただ、後続ジョブが複数ページの原稿からなるコピージョブで、当該複数ページ分の読取りが完了していない場合に、制御部２０５は当該コピージョブの印刷を完了する為に何枚のシートを要するか、１枚目の印刷済みシートの排紙時点でわからない場合がある。もちろん、コピージョブなので、クライアントＰＣから処理条件データを受信することも考えづらく、制御部２０５は、処理条件データから当該ジョブのページ数を参照することもできない。このような状況は、以下に示す複数の条件を同時に満たす場合に起こる。
【０５０７】
（条件１）
複数ページあるコピー原稿の読取りが完了していないこと。
【０５０８】
複数ページあるコピー原稿の読取りの完了を制御部２０５が判断する方法には、次のようなものがある。オペレータは、例えば、コピー原稿の連続読取りモードを利用することで、複数ページある原稿を１つのジョブとして読み込ませることができる。制御部２０５は、不図示の「連続読取ボタン」が押された後で、且つ、連続読取を完了した際に押される不図示の「完了」ボタンが押されるまでを連続読取りモードとし、その間に読み取った原稿を１つのジョブのデータとする。そこで、制御部２０５は、原稿の読取りの完了を、不図示の「完了」ボタンが押されたことを検知することによって判断する。従って、制御部２０５は、原稿の連続読取りモード中であって、「完了」ボタンが押されていない場合には、複数ページあるコピー原稿の読取りが完了していないと判断する。
【０５０９】
また、オペレータは、複数ページある原稿の読み取りを印刷システムが有する自動原稿搬送装置（ＡＤＦ）３０１を用いて行うことができる。自動原稿搬送装置（ＡＤＦ）３０１は、原稿トレイの積載面にセットされた原稿束を１頁目の原稿から、ページ順に、順番に分離して、スキャナ３０２によって原稿走査するために原稿台ガラス上へ搬送する。そして、原稿トレイの積載面にセットされた原稿束がなくなったと判定した場合に、原稿読取りが完了したと判断する。従って、制御部２０５は、自動原稿搬送装置（ＡＤＦ）３０１による原稿搬送動作中で、且つ、原稿トレイにコピー原稿が残っていると判定した場合に、複数ページあるコピー原稿の読取りが完了していないと判断する。
【０５１０】
（条件２）
受付けたコピージョブを実行可能な状況である。例えば、ＨＤＤ２０９内に、当該コピージョブの前に実行中、あるいは、実行待ちの先行ジョブが存在しない場合、先行ジョブの実行が完了し受付けたジョブを実行可能になった場合がある。
【０５１１】
以上のような（条件１）、（条件２）を同時に満たす場合に、制御部２０５は、当該コピージョブの実行を開始できる状況において、当該コピージョブの印刷に何枚のシートを要するのか把握できない。そのため、制御部２０５は、このような場合に、枚数や高さ等の積載量に基づいたシート排紙処理を禁止する必要があるか否かを決定することは難しかった。
【０５１２】
制御部２０５は、全ての原稿の読取りが完了するまで、印刷ジョブの１枚目の印刷の開始を待てば、コピージョブの印刷に何枚のシートを要するか認識することができる。しかし、その場合、１枚目のシートを排紙するまでに要する時間、ＦＣＯＴ（ファーストコピーオンタイム）が遅くなり、生産性が悪化する。
【０５１３】
そこで、制御部２０５が、以下に説明する制御をおこなうことによって、このような問題を解決し、ＦＣＯＴやジョブ全体の生産性の向上を図ることができる。
【０５１４】
まず、制御部２０５は、表示部４０１に図４６に示すようなジョブリストを表示させている場合を例にして説明する。先行ジョブであるジョブＡは、大量積載処理を要求されているジョブであり、制御部２０５によって、実行中のジョブである。また、それと並行して、制御部２０５は、後続ジョブであるジョブＢの原稿読取りをおこなっている。ジョブＢはコピージョブであり、まだ制御部２０５は、コピー原稿の全ページ分の読取り完了を検知していない場合を想定する。
【０５１５】
この場合、先行ジョブＡの実行を完了する前に後続ジョブＢの複数ページの原稿のうち、全ページの読取りが完了した場合、制御部２０５は、ジョブＢの総ページ数を把握でき、総ページ数をもとに、印刷に要する枚数を取得することができる。しかし、ジョブＡの実行が完了したときに、ジョブＢの読取りが完了していない場合には、制御部２０５は、ジョブＢの総ページ数が分からず、印刷に要する枚数を把握することができない。
【０５１６】
この場合、制御部２０５が、次のような制御をすることが有効である。
【０５１７】
例えば、ユーザはコピー原稿の枚数が多い場合に、圧板を使ってコピー原稿を読み込ませるよりも、ＡＤＦ３０１を用いてコピー原稿を読み込ませることが多い。従って、コピー原稿がＡＤＦを介して行われている場合には、コピー原稿の枚数は多いと推測できる。逆に、コピー原稿が圧板を使って行われている場合には、コピー原稿の枚数は少ないと推測できる。
【０５１８】
従って、制御部２０５は、ジョブＢのコピーがＡＤＦ３０１でおこなわれている旨の信号を受信した場合、ジョブＡとジョブＢとをずれた状態で積載することを禁止する必要があると判定し、当該ジョブＢの印刷の実行を開始する。この場合に、制御部２０５は、ジョブＢを実行した際に排紙する１枚目のシートの排紙位置を、ジョブＡのシート束の積載位置と同じ位置に排紙することを決定して排紙させる。
【０５１９】
一方、制御部２０５は、不図示の圧板使用検知センサからの信号を受信し、ジョブＢが圧板によってコピーが行われていると判定した場合、当該ジョブＢの総ページ数は少ないと推測することができる。よって、制御部２０５は、圧版によってコピーがおこなわれている旨の信号を受信した場合に、ジョブＡとジョブＢとをずれた状態で積載することを禁止する必要はないと判定し、当該ジョブＢの印刷の実行を開始する。この場合に、制御部２０５は、ジョブＢを実行した際に排紙する１枚目のシートの排紙位置を、ジョブＡのシート束の積載位置と特定量分ずれた位置に決定して排紙させる。
【０５２０】
以上の制御によって、後続ジョブがコピージョブであっても、全てのコピー原稿の読取りを終えるのを待つことなく、ジョブ間シフト処理の許可あるいは禁止を決定し、そのコピージョブの実行を開始することができる。それによって、最初のページが出力されるまでに要する時間を短くすることができ、ジョブ全体の生産性も向上させることができる。
【０５２１】
＜排紙先が変わったときのシフト排紙制御＞
また、制御部２０５が、ジョブのシートの排紙先を変更する場合がある。
【０５２２】
例えば、あるジョブのシートを排紙した場合に当該ジョブの排紙先の積載許容枚数を超えると制御部２０５が印刷処理の開始前に判定した場合や、排紙しているジョブのシートの排紙先が当該ジョブの印刷途中で満載になった場合がある。また、表示部４０１から受付けたオペレータの排紙先変更指示によるものなどがある。
【０５２３】
ここでは、図２６に例示する本形態の印刷システム１０００のシステム構成を例にとって説明する。図２６に示すのは、図１６に例示した大容量スタッカを２台と中綴じ製本機の１台の計３台のインラインフィニッシャを接続したシステム構成例である。
【０５２４】
図２６に示すシステム構成において、制御部２０５は、大容量スタッカ２００ａのスタックトレイに排紙をおこなっているとする。このとき、例えば、制御部２０５は、不図示のカウンタによって、当該大容量スタッカに積載済みのシートの枚数をカウントしておく。その後、制御部２０５は、既に大容量スタッカに積載済みのシートの枚数と、これから排紙しようとするシート束の枚数との和を計算し、その和が大容量スタッカの積載許容枚数を超えると判定した場合に、そのジョブのシート束の排紙先を別の排紙先に変更する。
【０５２５】
変更後の排紙先の候補として、もう１台の大容量スタッカ２００ｂと、中綴じ製本機２００ｃのスタックトレイのいずれかを新たな排紙先として選択する。
【０５２６】
その際に、制御部２０５は、新たな排紙先として、もう１台の大容量スタッカ２００ｂを選択した場合には、処理すべきジョブのシート束を、その前に積載されたシート束と同じ位置に積載させる。
【０５２７】
一方、制御部２０５が、新たな排紙先として、中綴じ製本機２００ｃのスタックトレイを選択した場合には、処理すべきジョブのシート束と、その前に積載されたシート束とを特定量分ずれた状態で積載させる。
【０５２８】
なお、このような設定は、ユーザが予め排紙先ごとに予め決めておくようにしてもよい。
【０５２９】
以上のような制御によって、排紙先ごとに、ジョブ間シフト処理をおこなうか行わないかを設定しておき、排紙先が複数ある場合にも、排紙先に合わせたジョブ間シフト処理をおこなうことができる。
【０５３０】
＜３つ目以降のジョブのシート束を積載する場合の制御＞
積載されたシートが存在しない排紙先に排紙する、２つのジョブのシート束間でおこなうジョブ間シフト処理の制御については、上記のように説明した。
【０５３１】
ここでは、３つ目以降のジョブのシート束について、ジョブ間シフト処理の許可／禁止を決定する制御部２０５の制御について説明する。なお、３つ目以降の各ジョブに関しては、３つ目のジョブに対する制御と同じ制御をすることで、同じ効果が得られるため、３つ目のジョブに対して行う制御を例にとって説明をおこなう。
【０５３２】
３つ目のジョブのシート束を、それ以前にスタッカに積載されるシート束の上に積載することで、積載されたシートが台車での運搬中に不安定になる積載パターンを、図４７（ａ）、（ｂ）に示す。これらは、３つ目のジョブのシート束（受付けたジョブのシート束）の積載量が多く、且つ、当該３つ目のジョブのシート束を、互いにずれた状態で積載された複数の先行ジョブのシート束の上に積載する場合である。
【０５３３】
このような状態でシートが積載されるのを未然に防ぐために、３つ目のシート束を排紙するときに制御部２０５がおこなう制御について、図３８および図４８のフローチャートを用いて説明する。
【０５３４】
まず、制御部２０５は、図３８のフローチャートに示す制御をおこなう。図３８に示すフローチャートにおいて、制御部２０５が、３つ目のジョブに対して行う制御のうち、２つ目までのジョブと異なる制御は、ステップＳ２９０６である。そこで、制御部２０５が、ステップＳ２９０６で行う処理について、図４８を用いて説明する。
【０５３５】
尚、制御部２０５は、処理すべきジョブが３つ目のジョブであることを、例えば、ＨＤＤ２０９内に、排紙先ごとに用意されたジョブカウンタの値によって認識する。当該ジョブカウンタの値は、排紙先に設けられたシートの有無検知センサによって、当該排紙先にシートが積載されていないと判定した場合に初期化される。換言すると、０に設定される。その後、制御部２０５は、処理すべきジョブを実行する際に、指定された排紙先に当該ジョブのシートを排紙し、そして、当該ジョブのシートの排紙が完了した場合に、その排紙先に対応するジョブカウンタの値を１増やす。その後、図３８のステップＳ３８０１において、処理すべきジョブが存在し、ジョブカウンタの値が２である（処理すべきジョブの排紙先に既に２つのジョブ分のシート束がある）と判定した場合に、制御部２０５は、３つ目のジョブに対しておこなう制御をする。
【０５３６】
まず、図４８のステップＳ３９０１で、制御部２０５は、先行ジョブの情報を取得するが、先行ジョブは複数あるので、それら複数の先行ジョブの情報を取得する。これら、先行ジョブに対して、処理すべきジョブを後続ジョブと呼ぶものとする。ここでは、３つ目のジョブを後続ジョブと呼ぶものとする。そして、ステップＳ３９０２に処理を進める。
【０５３７】
ステップＳ３９０２において、制御部２０５は、後続ジョブの情報を取得し、ステップＳ３９０３に処理を進める。
【０５３８】
ステップＳ３９０３において、制御部２０５は、ステップＳ３９０１で取得した先行ジョブの情報をもとに、複数の先行ジョブそれぞれのシート束に含まれるシートの枚数を算出し、当該複数の先行ジョブのシート束に含まれるシートの枚数の総和を算出する。
【０５３９】
ステップＳ３９０４において、制御部３０６は、ステップＳ３９０２で取得した後続ジョブの情報をもとに、後続ジョブの枚数情報を算出する。
【０５４０】
そして、制御部２０５は、ステップＳ３９０５において、後続ジョブのシート束に含まれるシートの枚数が、Ｒ枚（例えば、５００枚）以上であるか否か判定する。Ｒ枚以上でない場合には、ステップＳ３８０８に移り、先行ジョブのシート束と後続ジョブのシート束とを特定量分ずれた状態で積載することを許可する。この場合、後続ジョブのシート束に含まれるシートの枚数が少ない場合、積載されたシートが台車での運搬中の揺れや衝撃によって、荷崩れを起こす可能性が低いためである。言い換えると、後続ジョブのシート束と先行ジョブのシート束とを極力ずれた状態で積載するようにするための処理である。一方、後続ジョブのシート束に含まれるシートの枚数がＲ枚以上である場合は、ステップＳ３９０６に処理を進める。
【０５４１】
ステップＳ３９０６にて、制御部２０５は、複数ある先行ジョブのシート束のうち、他のジョブとずれた状態で積載されたシート束があるか否かの判定を行う。
【０５４２】
ここでの判定の仕方について説明する。ＨＤＤ２０９内に、シフト排紙フラグを用意しておき、初期状態（大容量スタッカにシートが存在しない状態）でシフト排紙フラグをオフに設定しておく。その後、制御部２０５がジョブに対して、例えば、図３８のステップＳ２９１０のように、後続ジョブを先行ジョブに対してずれた状態で積載するように制御し、排紙をおこなった場合に、ＨＤＤ２０９のシフト排紙フラグをオンにしておく。また、ステップＳ２９０８において、特定量よりも小さい量（例えば、５ｍｍ）だけ、後続ジョブのシート束と先行ジョブのシート束とをずれた状態で積載するように制御し、排紙を行った場合にも、制御部２０５は、ＨＤＤ２０９のシフト排紙フラグをオンにする。
【０５４３】
そして制御部２０５は、図４８のステップＳ３９０６において、ＨＤＤ２０９内の当該シフト排紙フラグがオンになっていると判定した場合に、先行ジョブのシート束が互いにずれた状態で積載されていると判定する。なお、制御部２０５は、大容量スタッカからシートが取り除かれたと判定した場合に、ＨＤＤ２０９中のシフト排紙フラグをオフにする。大容量スタッカからシートが取り除かれたと判定する方法は、前述したとおりである。
【０５４４】
そして、制御部２０５は、先行ジョブのシート束が互いにずれた状態で積載されると判定した場合に、図４５に示すような警告を、タッチパネル４０１上に表示し、先行のシート束を大容量スタッカから除去するようにオペレータに促す。
【０５４５】
一方、ステップＳ３９０６において、制御部２０５は、複数の先行ジョブのシート束が互いにずれた状態で積載されていないと判定した場合には、Ａに処理を移行する。そして、受付けた３つ目のジョブのシート束を後続のジョブのシート束、それ以前に実行される複数のジョブ分の平積みされたシート束を先行ジョブのシート束として、制御部２０５は、図３９のフローチャートに示すステップＳ３００５に処理を進める。ステップＳ３００５以降の処理は、図３９で説明したとおりであるので説明を省略する。
【０５４６】
このような制御によって、３つ目以降のジョブのシート束に対しても、制御部２０５は、積載されたシートが不安定になるのを未然に防ぐことができる。
【０５４７】
＜複数部数印刷するように指示されたジョブの部間シフト＞
また、本システム１０００において、例えば、図６に示すようなコピーの設定画面の表示中に、オペレータは、図５に示すテンキー５０６を用いて、読み取った原稿の印刷部数を設定することができる。また、図５３に示す部間シフトボタン２１３によって部間シフト処理をおこなうように指定されている場合を想定する。その場合、制御部２０５は、複数部数印刷をおこなうように指定されたコピージョブを受付けると、排紙するシートを１部ごとにずれた状態で積載させる。また、しかし、この場合も、大容量スタッカのスタックトレイに各部のシート束を互いにずれた状態で積載すると、積載されたシートが不安定になる場合がある。
【０５４８】
シートの積載パターンには、１部あたりのシートの枚数によって、複数の積載パターンが存在するが、その中のいくつかの積載パターンについて、図４９、図５０に示し、以下で説明する。
【０５４９】
（積載パターン５）
制御部２０５は、図４９（ａ）に示す、例えば、大容量スタッカのスタックトレイに図４９（ｂ）に示すような、３００枚のシートからなる、１部目のシート束４０００ａを積載させる。その後、制御部２０５は、図４９（ｃ）に示すような、３００枚のシートからなる２部目のシート束４０００ｂを、シート束４０００ａの上に、シート束４０００ａのシートの排紙位置とはずれた状態で積載させる。
【０５５０】
（積載パターン６）
制御部２０５は、図５０（ａ）に示す、例えば、大容量スタッカのスタックトレイに図５０（ｂ）に示すような、２０００枚のシートからなる、１部目のシート束４００１ａを積載させる。その後、制御部２０５は、図５０（ｃ）に示すような、２０００枚のシートからなる２部目のシート束４００１ｂを、シート束４００１ａの上に、シート束４００１ａのシートの排紙位置とはずれた状態で積載させる。
【０５５１】
尚、図４９、図５０の４０００ａ〜４００１ａおよび４０００ｂ〜４００１ｂは、それぞれ少なくとも１枚以上のシートからなるシート束を表している。図中の４０００ａ〜４００１ａで表されたシート束は、それぞれ４０００ｂ〜４００１ｂで表されたシート束に先行して積載されるシート束を表しており、それぞれのシート束は１部分のシート束を表している。
【０５５２】
制御部２０５は、図４９（ｃ）、図５０（ｃ）のうち、図５０（ｃ）に示す積載パターンで大容量スタッカのスタックトレイにシートを積載させると、台車で運搬する際に、積載されたシート束が不安定になる。換言すると、図５０（ｃ）に示す積載パターンは、図４９（ｃ）に示す積載パターンに比べて、台車での運搬中の揺れや、段差による衝撃によって積載されたシートが崩れやすい。
【０５５３】
そこで、本形態の制御部の一例である制御部２０５は、積載されたシートを台車で運搬する際に、積載されたシートが崩れやすい状態になることを未然に防止するために、以下のような制御を実行する。
【０５５４】
尚、印刷システム１０００の構成は、インラインフィニッシャの接続の仕方によって、様々な構成が存在する。ここでは、それらの構成のうち、印刷システム１０００が図１２あるいは図１３に示すように、印刷装置１００に、大容量スタッカ、中綴じ製本機の、２台のインラインタイプのシート処理装置を接続した構成を例にとって説明する。
【０５５５】
印刷システム１０００がこのような構成の場合、タッチパネル４０１上に示された図６のＵＩ上のシート処理設定ボタン６０９がオペレータによって押下されると、制御部２０５は、例えば、図５３に示すようなＵＩをタッチパネル４０１に表示させる。図５３に示すようなＵＩにおいて、制御部２０５は、排紙先として中綴じ製本機２１１とスタッカ２１２（大容量スタッカ）の２種類の排紙先のうち、いずれかの排紙先をオペレータに対して選択可能にしている。
【０５５６】
図５３は、オペレータによって、排紙先に中綴じ製本機２１１が選択された場合に、制御部２０５が、タッチパネルに表示させる画面の一例である。このとき、制御部２０５は、部間シフト処理を行うか否かを選択する部間シフトボタン２１３を表示部４０１に表示させる。デフォルトでは、部間シフト処理をおこなうように設定されている。そして、当該部間シフトボタン２１３がオペレータによって押下されるごとに、制御部２０５は、部間シフトボタン２１３が押下されたことを通知する信号をタッチパネル４０１から受信し、部間シフト処理を実行する、しないを切りかえる。
【０５５７】
また、制御部２０５は、オペレータの指示によって、中綴じ製本機２１１ではなく、スタッカ２１２が選択された場合に、図５４に示すような表示をタッチパネル４０１に表示させる。この図５４に示すように、制御部２０５は、中綴じ製本機が排紙先として指定された場合に選択可能にしていた部間シフトボタン２１３を、大容量スタッカが排紙先として指定された場合に設定不可能に表示部４０１に対して制御を行っている。
【０５５８】
このように、制御部２０５は、排紙先にスタッカ２１２が指定された場合に、オペレータに部間シフトボタン２１３を選択できないようにし、排紙するシートに対する部間シフト処理を禁止する。以上の制御により、制御部２０５は、大容量スタッカへ排紙する際に、部間シフト処理を行わないようにすることができる。
【０５５９】
制御部２０５は、部間シフト処理を禁止した場合、部間シフト処理をおこなう代わりに、例えば、部間シフト処理をおこなわずにシートを積載させるとよい。それによって、台車上に積載されたシートは部間シフト処理をおこなわずに積載されているため、部間シフト処理を行った場合に比べ、積載されたシートの安定性を保ち、積載されたシートが崩れる可能性を低減することができる。
【０５６０】
次に、本発明における実施の形態の、別の例について説明する。この例では、オペレータの指示によって排紙先として、スタッカ２１２が選択された場合でも、制御部２０５は、部間シフトボタン２１３を選択可能にした図５５のような表示を表示部４０１に行わせる。そして、オペレータが部間シフトボタン２１３によって部間シフト処理を行うように指示した場合であっても、制御部２０５が状況に応じて、部間シフト処理を禁止することで、積載されたシートが不安定になることを未然に防止する例について説明する。具体的に、制御部２０５がおこなう制御について、フローチャート図５１を用いて説明する。
【０５６１】
まず、図５１のステップＳ４１０１において、制御部２０５は、処理すべきジョブが存在するか否かを判定する。処理すべきジョブとは、印刷要求がなされ、ＨＤＤ２０９内に格納された実行待ちのジョブのことをいう。電源投入後、制御部２０５は、印刷要求がなされたジョブがＨＤＤ２０９内に存在するか否かを判定し、存在すればステップＳ４１０２に進む。
【０５６２】
一方、制御部２０５は、印刷要求がなされたジョブがＨＤＤ２０９内に存在しない場合は、処理すべきジョブが存在しないと判定し、ステップＳ４１０１の処理を繰り返す。この場合、その後に、印刷実行要求がなされたジョブを受付けた場合に、制御部２０５は、処理すべきジョブが存在すると判定し、ステップＳ４１０２に進む。具体的には、ステップＳ４１０１において、制御部２０５は、本形態のＵＩ部の一例である操作部２０４を介してユーザから印刷実行要求を受付けたか否かを、操作部２０４のスタートキー５０３に対するユーザの操作に基づき判断する。又、例えば、図２０、図２１で例示したように、本形態のＵＩ部の、別の例に該当する外部装置の操作部を介してユーザから印刷実行要求を受付けたか否かを、制御部２０５が判定する。
【０５６３】
尚、制御部２０５は、印刷実行要求がなされ、スキャナ部２０１または外部Ｉ／Ｆ部２０２を介して入力された処理対象となるジョブの印刷データを、全て、ＨＤＤ２０９に記憶させ、且つ、ＨＤＤ２０９から読み出してプリンタ部２０３により印刷させる。
【０５６４】
又、制御部２０５は、ジョブを受付ける際に、そのジョブの処理条件データも受付け、該印刷データに対応付けてＨＤＤ２０９に記憶させる。この処理条件データには、印刷時のページ数や印刷部数、印刷倍率、印刷レイアウト、用紙の種類、用紙サイズ、片面／両面印刷設定等に関する情報が含まれる。且つ、当該ジョブにて印刷対象となるシートに対していかなる種類のシート処理を実行させるのかを特定する為のシート処理の種類に関する情報および印刷対象となるシートの排紙先情報も、当該処理条件データの中に含まれている。なお、制御部２０５が、印刷対象となるシートの排紙先情報を設定する方法については、前述したとおりである。
【０５６５】
ステップＳ４１０１の処理は、印刷要求がなされたジョブを受付けるまで繰り返される。そして、印刷要求がなされたジョブを印刷装置１００が受付けた場合は、制御部２０５は、図５１のステップＳ４１０１からステップＳ４１０２へ処理を移行する。
【０５６６】
ステップＳ４１０２において、処理すべきジョブの排紙先がシート束をずれた状態で積載するための機構を具備する排紙先であるか否かを判定する。具体的には、制御部２０５は、ＨＤＤ２０９に記憶された処理条件データのうち、処理すべきジョブの排紙先情報を参照して判定する。制御部２０５は、排紙先情報が、例えば、中綴じ製本機のスタックトレイ、または、大容量スタッカのスタックトレイであると判定した場合に、処理すべきジョブの排紙先が、シート束をずれた状態で積載するための機構を具備する排紙先であると判定する。
【０５６７】
制御部２０５は、判定の結果、当該機構を具備した排紙先ではないと判定した場合には、ステップＳ４０１４に進み、指定された排紙先に、処理すべきジョブのシート束をずれた状態にするための処理を行うことなく積載させるように制御する。
【０５６８】
一方、ステップＳ４１０２において、制御部２０５は、処理すべきジョブの排紙先が、シート束をずれた状態で積載するための機構を具備すると判定した場合には、ステップＳ４１０３に進む。
【０５６９】
ステップＳ４１０３において、制御部２０５は、処理すべきジョブが複数部数印刷するように指定されたジョブか否かを判定する。例えば、制御部２０５は、処理すべきジョブの印刷データに対応付けられた処理条件データを参照することによって、当該ジョブが複数部数印刷するように指定されているか否かを判定する。複数部数印刷するように指定されていなければ、ステップＳ４１１３に進み、処理すべきジョブの印刷物の端部が積載基準位置に揃うように積載させるように制御する。例えば、処理すべきジョブの排紙先が、大容量スタッカのスタックトレイの場合、図３０に示す積載基準位置（例えば、第１の積載基準位置）に揃えて積載させるように制御する。
【０５７０】
一方、制御部２０５は、処理すべきジョブが、複数部数印刷するように指定されたジョブであると判定した場合には、ステップＳ４１０４に進む。
【０５７１】
ステップＳ４１０４において、制御部２０５は、印刷システム１０００の設定として、例えば部間シフトボタン２１３によって部間シフト処理を実行するように指示されているか否かを判定する。
【０５７２】
部間シフト処理を実行するように指示されていないと判定した場合には、ステップＳ４１１２に進み、制御部２０５は、処理すべきジョブの各部のシート束を互いにずらさずに積載させるように制御する。言い換えると、制御部２０５は、ステップＳ４１１２において、各部のシート束をずれた状態で積載することを禁止する。
【０５７３】
一方、ステップＳ４１０４において、制御部２０５は、印刷システム１０００の設定として、部間シフト処理を実行するように指示されていると判定した場合には、ステップＳ４１０５に進む。
【０５７４】
ステップＳ４１０５において、制御部２０５は、処理すべきジョブの排紙先が大容量スタッカか否かを判定する。
【０５７５】
ステップＳ４１０５において、制御部２０５は、処理すべきジョブの処理条件データから、当該ジョブの排紙先の情報を取得し、当該ジョブの排紙先が大容量スタッカではないと判定した場合には、ステップＳ４１１１に進む。
【０５７６】
ステップＳ４１１１では、処理すべきジョブの各部のシート束を互いに特定量分（以降、特定量を１０ｍｍとする）ずれた状態で積載させるように制御する。一方、制御部２０５はステップＳ４１０５において、処理すべきジョブの排紙先が大容量スタッカだと判定した場合にステップＳ４１０６に進む。
【０５７７】
ステップＳ４１０６において、制御部２０５は、処理すべきジョブの情報を取得する。処理すべきジョブはＨＤＤ２０９に記憶されており、実行待ちの状態であるので、次の方法によって、処理すべきジョブの情報を取得することができる。制御部２０５は、処理すべきジョブの印刷データに対応付けてＨＤＤ２０９に記憶された処理条件データを参照することで、当該処理すべきジョブの情報を取得することができる。
【０５７８】
この方法で制御部２０５が取得できる情報には、先行ジョブの１部あたりのページ数や印刷部数、印刷倍率、印刷レイアウト、用紙の種類、用紙のサイズ、片面／両面印刷設定に関する情報、シート処理の種類に関する情報、シートの排紙先に関する情報等がある。
【０５７９】
ステップＳ４１０７において、制御部２０５は、ステップＳ４１０６で取得した、処理すべきジョブの情報から、当該処理すべきジョブの１部のシート束に含まれるシートの枚数を算出する。
【０５８０】
制御部２０５は、処理すべきジョブの１部のシート束に含まれるシートの枚数を、ステップＳ４１０７で取得可能な情報のうち、１部あたりのページ数、印刷レイアウト、片面／両面印刷設定に関する情報を用いて計算する。
【０５８１】
例えば、１部あたりのページ数が１０００ページで、２ｉｎ１印刷が設定されている場合、制御部２０５は、１０００ページ÷２（２ｉｎ１印刷のため）で、処理すべきジョブ１部あたり５００枚のシートが排紙されると計算する。また、１部あたりのページ数が２０００ページで両面印刷が設定されている場合には、制御部２０５は、２０００ページ÷２（両面印刷のため）で、処理すべきジョブ１部あたり１０００枚のシートが排紙されると計算する。つまり、制御部２０５は、そのジョブの１部あたりのページ数を、シート１枚あたりに印刷するページ数で割ることで、当該ジョブを実行したときに排紙される、処理すべきジョブの１部のシート束に含まれるシートの枚数を得ることができる。ステップＳ４１０７において、制御部２０５は、処理すべきジョブの１部のシート束に含まれるシートの枚数を算出したら、ステップＳ４１０８に処理を進める。
【０５８２】
ステップＳ４１０８において、制御部２０５は、処理すべきジョブの１部のシート束に含まれるシートの枚数が、条件値Ｍ枚（例えば、５００枚）以上であるか否か判定する。
【０５８３】
Ｍ枚以上であると判定した場合は、ステップＳ４１０９に処理を進め、制御部２０５は、処理すべきジョブの各部のシート束を互いに特定量分ずれた状態で積載する事を禁止する。この場合、制御部２０５は、例えば、各部のシート束を互いにずらさずに積載するように制御する。また、制御部２０５は、表示部４０１に、例えば図４４に示すような表示をさせ、シート束を互いにずれた状態で積載するか否かをオペレータに確認するような構成にしてもよい。例えば、制御部２０５は、図４４に示す「はい」ボタンが押されたことを、表示部４０１からの信号によって認識すると、後続ジョブのシート束と先行ジョブのシート束の排紙位置とをずれた状態にせずに積載する。その際に、制御部２０５は、先行ジョブのシート束と、後続ジョブのシート束の間に仕切り紙を入れることによって、後続ジョブと先行ジョブとをずれた状態にせずとも、両ジョブの区切れ目を明確にすることができる。
【０５８４】
一方、制御部２０５は、「いいえ」ボタンが押されたことを認識すると、後続ジョブのシート束と先行ジョブのシート束とをずれた状態で積載するように制御する。例えば、台車での運搬距離が短く荷崩れする可能性が低い場合に、オペレータは「いいえ」ボタンを選択することによって、荷崩れする可能性があっても、処理すべきジョブの各部のシート束をずれた状態で積載させることができる。このような構成によって、印刷システム１０００は、オペレータの意思を尊重した部間シフト処理をおこなうことができる。
【０５８５】
一方、Ｍ枚未満であると判定した場合は、ステップＳ４１１０に処理を進め、処理すべきジョブの各部のシート束を互いに特定量分ずれた状態で積載させるように制御する。
【０５８６】
このような制御をおこなうことで、同一ジョブにおいて、オペレータからの指示によって、シートを部ごとにずれた状態で積載する場合であっても、台車での運搬中に積載されたシートが崩れる可能性を低減することができる。
【０５８７】
＜メディアタイプの違いによる制御＞
印刷システム１０００において、オペレータは、例えば、図６に示す用紙選択キー６１５を押下することで、印刷対象のジョブの印刷処理に要するシートの種類（メディアタイプ）を設定することが可能である。制御部２０５は、オペレータによる用紙選択キー６１５の押下に応答し、印刷対象のジョブの印刷処理に要するシートサイズやシートの種類（メディアタイプ）を該ユーザにより設定可能にする画面を表示部４０１に表示させる。そして、制御部２０５は、その中からオペレータによって選択された種類のシートに印刷をおこなわせ、当該シートを指定された排紙先に排紙させる。
【０５８８】
だが、シートの種類（例えば、普通紙やコート紙、光沢紙）によって、そのシートの表面の摩擦係数は異なる。そのため、摩擦係数が小さいシートを積載した場合、積載されたシートが、摩擦係数が大きいシートを積載した場合と比較して、崩れやすくなるという課題が生じる。
【０５８９】
そこで、制御部２０５は、それらのシートの種類を考慮した、以下のような制御をおこなうことができる。例えば、制御部２０５は、処理すべきジョブを実行する際に、図５２に示す管理テーブルに基づき、以下の制御をおこなう。
【０５９０】
制御部２０５は、当該ジョブの印刷に要するシートの種類（メディアタイプ）を、当該ジョブを受付ける際に同時に受付けた処理条件データから特定する。そして、制御部２０５は、図５２に示す管理テーブルを参照し、特定したシートの種類に応じて、当該ジョブのシート束と先行ジョブのシート束とを、ずれた状態で積載することを許可するか禁止するかを決定する。言い換えると、制御部２０５は、ジョブ間シフト処理をおこなうことを許可するか禁止するかを決定する。
【０５９１】
例えば、制御部２０５は、処理対象のジョブの印刷に要するシートとして、摩擦係数の大きい光沢紙が指定されている場合には、当該処理対象のジョブのシート束と先行ジョブのシート束とをずれた状態で積載することを許可する。また、例えば、処理対象のジョブの印刷に要するシートとして、摩擦係数の小さい普通紙が指定されている場合には、制御部２０５は、当該処理対象のジョブのシート束と先行ジョブのシート束とをずれた状態で積載することを禁止する。
【０５９２】
尚、ここでは、制御部２０５が、ジョブ間シフト処理をおこなうことを、シートの種類を考慮して、許可するか禁止するか決定する場合について説明した。だが、これに限るものではなく、制御部２０５は、シートの種類を考慮して、部間シフト処理をおこなうことを許可するか禁止するかを決定してもよい。
【０５９３】
このような制御を行うことで、制御部２０５は、シートの種類を考慮したジョブ間シフト処理、あるいは、部間シフト処理の実行の許可／禁止を制御することが可能となり、積載されたシートが台車での運搬中に崩れる可能性を低減することができる。
【０５９４】
以上のように、本形態では、できるだけシフト排紙を行うことにより、予め決められた単位ごとの切れ目を明確にし、オペレータの作業の負担を軽減するとともに、種々の状況を想定して積載されたシートが崩れやすくなるような排紙を行わないようにした。これにより、積載されたシートが崩れてしまうことにより、それを拾い集めるなどといった更なるオペレータの作業の負担を未然に防ぐことができる。
【０５９５】
以上の本形態で既述の制御で特に重要な構成の１例を以下に順番に例示する。
【０５９６】
まず、本形態の印刷システム１０００は、積載手段を具備する後処理装置の出力先に、印刷装置１００により印刷された印刷物を、積載可能に構成されている。
【０５９７】
上記構成を前提に、例えば、制御部２０５は、次のように構成されている。制御部２０５は、印刷装置により印刷済みの先行ジョブのシート束が積載された後処理装置の積載手段へ、後続ジョブのシート束を先行ジョブのシート束と特定量分ずれた状態で先行ジョブのシート束の上に積載可能にする。
【０５９８】
そして、上記構成を大前提とし、制御部２０５は、少なくとも、後処理装置の種類に関わる情報に基づいて、後続ジョブのシート束を先行ジョブのシート束とを特定量分ずれた状態で先行ジョブのシート束の上に積載することを禁止する。
【０５９９】
このように、本形態は、以上に例示が如くの制御を実行可能に構成している。
【０６００】
また、制御部２０５は、少なくとも、後続ジョブのシート束の積載量に関する情報に基づいて、積載手段により積載対象の後続ジョブのシート束を先行ジョブのシート束と特定量分ずれた状態で先行ジョブのシート束の上に積載することを禁止する。
【０６０１】
このように、本形態は、以上に例示が如くの制御を実行可能に構成している。
【０６０２】
尚、積載量に関する情報は、例えば、処理条件データに含まれる情報のことであり、その例として、ページ数、印刷部数、印刷設定、印刷レイアウト、用紙の種類、用紙の厚さなどの情報がある。以下の説明中の積載量に関する情報についても同様である。
【０６０３】
また、積載量は、例えば、シート束に含まれるシートの枚数であってもよいし、シート束の高さであってもよい。ここでは、積載量の一例として、シートの枚数や高さを例示したが、これに限らず、重さや容量など、予め定めておいた条件値と比較できるものであればよい。以下の説明中の積載量についても同様である。
【０６０４】
また、制御部は２０５は、少なくとも、後続ジョブのシート束の積載量に関する情報と、後続ジョブのシート束の積載に要する後処理装置の種類に関わる情報に基づいて、次に示す制御を行う。制御部２０５は、それらの情報に基づいて、積載手段により積載対象の後続ジョブのシート束を先行ジョブのシート束と特定量分ずれた状態で先行ジョブのシート束の上に積載することを禁止する。
【０６０５】
このように、本形態は、以上に例示が如くの制御を実行可能に構成している。
【０６０６】
また、制御部２０５は、後続ジョブのシート束の積載量が条件値Ｔ１（あるいはＭ１）以上の場合に、積載手段により積載対象の後続ジョブのシート束を先行ジョブのシート束と特定量分ずれた状態で先行ジョブのシート束の上に積載することを禁止する。
【０６０７】
このように、本形態は、以上に例示が如くの制御を実行可能に構成している。
【０６０８】
しかも、制御部２０５は、少なくとも、先行ジョブのシート束の積載量に関する情報と、後続ジョブのシート束の積載量に関する情報と、後続ジョブのシート束の積載に要する後処理装置の種類に関わる情報に基づいて、次の制御をおこなう。制御部２０５は、積載手段により積載対象の後続ジョブのシート束を先行ジョブのシート束と特定量分ずれた状態で先行ジョブのシート束の上に積載することを禁止する。
【０６０９】
このように本形態は、以上に例示が如くの制御を実行可能に構成している。
【０６１０】
しかも、制御部２０５は、先行ジョブのシート束の積載量が条件値Ｓ１（あるいはＬ１）より少ない場合に、積載手段により積載対象の後続ジョブのシート束を先行ジョブのシート束と特定量分ずれた状態で先行ジョブのシート束の上に積載することを許可する。
【０６１１】
このように本形態は、以上に例示が如くの制御を実行可能に構成している。
【０６１２】
しかも、排紙先となるインラインフィニッシャの中には、当該インラインフィニッシャに着脱可能な台車を具備できるように構成されるものがある。
【０６１３】
このように、印刷装置１００で印刷されたシートを制御部２０５は複数のインラインフィニッシャのいずれかに積載可能にし、積載されたシートを該台車によって運搬可能に構成している。
【０６１４】
そして、制御部２０５は、後続ジョブのシート束の積載に要するインラインフィニッシャがシートの搬送を行う台車が着脱可能なインラインフィニッシャである場合に、次の制御を行う。制御部２０５は、例えば、積載手段により積載対象の後続ジョブのシート束を先行ジョブのシート束と特定量分ずれた状態で先行ジョブのシート束の上に積載することを禁止する。
【０６１５】
このように本形態は、以上に例示が如くの制御を実行可能に構成している。
【０６１６】
しかも、制御部２０５は、先行ジョブのシート束とずれた状態で、先行ジョブのシート束の上に積載対象となる後続ジョブのシート束を、積載手段に積載させた場合に、次の制御を行う。制御部２０５は、後続ジョブのシート束の上に積載対象となるジョブのシート束を当該積載手段に積載することを禁止する。
【０６１７】
このように本形態は、以上に例示が如くの制御を実行可能に構成している。
【０６１８】
しかも、本形態の印刷システム１０００は、原稿トレイの積載面にセットされた原稿束を１頁目の原稿から、ページ順に、順番に分離して、スキャナ３０２によって原稿走査するために原稿台のガラス上へ搬送する自動原稿搬送装置（ＡＤＦ）３０１を具備する。そして、制御部２０５は、例えば、後続ジョブのシート束がコピージョブのシート束である場合に、該コピージョブの原稿の読取りが該ＡＤＦ３０１によって行われているか否かを、不図示のＡＤＦ使用検知センサからの信号によって判定する。そして、制御部２０５は、該後続ジョブの原稿の読取りがＡＤＦ３０１によって行われていると判定した場合には、後続ジョブのシート束を先行ジョブのシート束と特定量分ずれた状態で先行ジョブのシート束の上に積載することを禁止する。また、制御部２０５は、該後続ジョブの現行の読取りがＡＤＦ３０１によって行われていないと判定した場合には、後続ジョブのシート束を先行ジョブのシート束と特定量分ずれた状態で先行ジョブのシート束の上に積載することを許可する。
【０６１９】
このように本形態は、以上に例示が如くの制御を実行可能に構成している。
【０６２０】
しかも、制御部２０５は、後続ジョブのシート束を先行ジョブのシート束と特定量分ずれた状態で先行ジョブのシート束の上に積載することを禁止する場合に、該先行ジョブのシート束とずれない状態で、後続ジョブのシート束を積載させる。
【０６２１】
このように本形態は、以上に例示が如くの制御を実行可能に構成している。
【０６２２】
しかも、制御部２０５は、シフト排紙処理を禁止する場合に、例えば、表示部４０１によって、図４４または図４５に示すが如くの警告をおこなう。それによって、オペレータに、積載されるシート束の安定性を維持するように促すことができる。
【０６２３】
このように本形態は、以上に例示が如くの制御を実行可能に構成している。
【０６２４】
しかも、制御部２０５は、シフト排紙処理を禁止する場合に、例えば、シート束とシート束の間に仕切り紙を挿入する。それによって、各シート束をずれた状態にせずとも、オペレータは、シート束とシート束を用意に区別し、また、取り分けることができるようになる。
【０６２５】
このように本形態は、以上に例示が如くの制御を実行可能に構成している。
【０６２６】
また、制御部２０５は、複数部数印刷するように指定された１つのジョブにおける各部のシート束をずれた状態で積載するように制御する。
【０６２７】
このように本形態は、以上に例示が如くの制御を実行可能に構成している。
【０６２８】
以上、種々の構成を具備したシステム構成となっている本形態により、本形態に記載の種々の効果が図れる。しかし、これらの全てを具備した構成でなくてもよく、本形態の特徴点の１つの効果のみを実現可能に構成したものであれば、本形態に包含される。
【０６２９】
又、本形態では、制御部２０５が、各装置の排紙口に設けられた整合ユニット２１０４ａ、２１０４ｂを用いて、シート束とシート束とをずれた状態で積載する例を説明した。だが、シート束とシート束とをずれた状態で積載することができれば、その方法はこれに限られるものではない。例えば、制御部２０５は、シートを排紙させる際に、トレイを、ジョブごと（あるいは部ごと）に、シートの排紙方向と垂直方向にずらすことで、シート束とシート束とをずれた状態で積載させることもできる。
【０６３０】
又、本形態が開示する主な制御は、印刷装置１００が内蔵する制御部２０５が実行する構成を紹介したが、これ以外の構成でも良い。
【０６３１】
例えば、ＵＩに関する操作制御とシステム１０００における実際の動作制御の代表的な２つの制御のうちの、動作制御に関しては、制御部２０５により実行させ、操作制御に関しては、表示制御部等のＵＩ制御ユニットが実現する構成でも良い。
【０６３２】
又、本形態の主な制御の全て、或いは、その１部を、ＰＣ等の印刷装置１００とは遠隔の外部装置の制御部による制御により、本形態の各種オペレータとインタラクティブな処理を行うための本実施例が開示する表示を、その外部装置の表示部により実行させる。外部装置には、サーバコンピュータ１０３、または、クライアントコンピュータ１０４に例示したようなものが挙げられる。そして、その外部装置の表示部を介して本形態が開示する各種オペレータ要求と同等の要求を受付可能にする。且つ、その要求に応じた動作を、本形態が開示する動作と同等の動作として、実行するように、印刷装置１００を含む本印刷システム１０００を制御するように構成する。
【０６３３】
このように制御の主体を印刷装置１００側ではなく、外部装置側にて実現する構成でも良い。但し、少なくとも、図３８で例示が如くの制御を実行可能に構成することが望ましい。
【０６３４】
以上の例示が如くの本実施形態の印刷システム１０００による奏することが可能な効果以下に例示する。
【０６３５】
例えば、従来で想定したような課題に対処できる。又、例えば、オフィス環境に留まらずＰＯＤ環境にも適応可能な使い勝手の良い便利な印刷環境が構築可能となる。又、例えば、極力、高い生産性でもってシステムを動作させたいといったニーズや、極力、オペレータの作業負荷を軽減したいといったニーズ等、ＰＯＤ等の印刷環境における実際の作業現場のニーズにも対処可能となり、特に、以下のような効果を奏する。
【０６３６】
例えば、オペレータが積載されたシートを運搬する際に、積載されたシートが荷崩れを起こすおそれを低減することができる。
【０６３７】
このように、従来で想定したようなＰＯＤ環境で想定されうるユースケースやニーズに対処可能な便利で且つ柔軟な印刷環境が構築可能となり、製品実用化に向けての様々な仕組みが提供可能となる。
【０６３８】
［その他のしくみ］
本実施形態における図に示す機能が外部からインストールされるプログラムによって、ホストコンピュータ（例えば、ＰＣ１０３やＰＣ１０４）により遂行されていてもよい。尚、この場合に、各操作画面を含む本形態で述べた操作画面と同様の操作画面を表示させる為のデータを外部からインストールし、該ホストコンピュータの表示部に上記各種のユーザインタフェース画面を提供可能に構成する。この一例として、本例では、図１７のＵＩ画面による構成でもって、これを説明している。このような構成の場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０６３９】
以上のように、前述した実施形態の機能を実現するソフトウェアのプログラムコードを記録した記憶媒体を、システムあるいは装置に供給する。そして、そのシステムあるいは装置のコンピュータ（またはＣＰＵやＭＰＵ）が記憶媒体に格納されたプログラムコードを読出し実行することによっても、本発明の目的が達成されることは言うまでもない。
【０６４０】
この場合、記憶媒体から読み出されたプログラムコード自体が本発明の新規な機能を実現することになり、そのプログラムコードを記憶した記憶媒体は本発明を構成することになる。
【０６４１】
従って、プログラムの機能を有していれば、オブジェクトコード、インタプリタにより実行されるプログラム、ＯＳに供給するスクリプトデータ等、プログラムの形態を問わない。
【０６４２】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０６４３】
この場合、記憶媒体から読出されたプログラムコード自体が前述した実施形態の機能を実現することになり、そのプログラムコードを記憶した記憶媒体は本発明を構成することになる。
【０６４４】
その他、プログラムの供給方法としては、クライアントコンピュータのブラウザを用いてインターネットのホームページに接続し、該ホームページから本発明のコンピュータプログラムそのものをハードディスク等の記憶媒体にダウンロードする方法がある。もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０６４５】
また、本発明のプログラムを暗号化してＣＤ−ＲＯＭ等の記憶媒体に格納してユーザに配布することも可能である。他にも所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０６４６】
また、コンピュータが読み出したプログラムコードを実行することにより、前述した実施形態の機能が実現される場合も含まれる。さらに、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０６４７】
さらに、次のような処理によって前述した実施形態の機能が実現される場合も含まれることは言うまでもない。ＣＰＵが記憶媒体から読み出されたプログラムコードを、コンピュータに挿入された機能拡張ボードやコンピュータに接続された機能拡張ユニットに備わるメモリに書き込む。そのプログラムコードの指示に基づき、その機能拡張ボードや機能拡張ユニットに備わるＣＰＵ等が実際の処理の一部または全部を行い、前述した実施形態の機能を実現する。
【０６４８】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウェアによって表されるプログラムを格納した記憶媒体を該システムあるいは装置に読み出すことによって、そのシステムあるいは装置が、本発明の効果を享受することが可能となる。
【０６４９】
本発明は上記実施形態に限定されるものではなく、本発明の趣旨に基づき種々の変形（各実施形態の有機的な組合せを含む）が可能であり、それらを本発明の範囲から排除するものではない。例えば、本形態では、印刷装置１００内部の制御部２０５が上記各種制御の主体となっていたが、印刷装置１００と別筐体の外付けコントローラ等によって、上記各種制御の１部又は全部を実行可能に構成しても良い。
【０６５０】
以上、本発明の様々な例と実施形態を示して説明したが、当業者であれば、本発明の趣旨と範囲は、本明細書内の特定の説明に限定されるのではない。
【図面の簡単な説明】
【０６５１】
【図１】本形態で制御対象となる印刷システム１０００を含む印刷環境１００００の全体構成例を説明する為の図である。
【図２】本形態で制御対象となる印刷システム１０００の構成例を説明する為の図である。
【図３】本形態で制御対象となる印刷システム１０００の構成例を説明する為の図である。
【図４】本形態で制御対象となるＵＩ部の一例を説明する為の図である。
【図５】本形態で制御対象となるＵＩ部の一例を説明する為の図である。
【図６】本形態で制御対象となるＵＩ部に対する表示制御例を説明する為の図である。
【図７】本形態で制御対象となるＵＩ部に対する表示制御例を説明する為の図である。
【図８】本形態で制御対象となる印刷システム１０００の制御例を説明する為の図である。
【図９】本形態で制御対象となる印刷システム１０００の制御例を説明する為の図である。
【図１０】本形態で制御対象となる印刷システム１０００の制御例を説明する為の図である。
【図１１】本形態で制御対象となる印刷システム１０００の制御例を説明する為の図である。
【図１２】本形態で制御対象となる印刷システム１０００の制御例を説明する為の図である。
【図１３】本形態で制御対象となる印刷システム１０００の制御例を説明する為の図である。
【図１４】本形態で制御対象となるインラインフィニッシャの内部構成例を説明する為の図である。
【図１５】本形態で制御対象となるインラインフィニッシャの内部構成例を説明する為の図である。
【図１６】本形態で制御対象となるインラインフィニッシャの内部構成例を説明する為の図である。
【図１７】本形態で制御対象となるＵＩ部に対する表示制御例を説明する為の図である。
【図１８】本形態で制御対象となる印刷システム１０００により印刷物を作成させる場合の制御例を説明する為の図である。
【図１９】本形態で制御対象となる印刷システム１０００により印刷物を作成させる場合の制御例を説明する為の図である。
【図２０】本形態で制御対象となるＵＩ部に対する表示制御例を説明する為の図である。
【図２１】本形態で制御対象となるＵＩ部に対する表示制御例を説明する為の図である。
【図２２】本形態で制御対象となるＵＩ部に対する表示制御例を説明する為の図である。
【図２３】本形態で制御対象となるＵＩ部に対する表示制御例を説明する為の図である。
【図２４】本形態で制御対象となるＵＩ部に対する表示制御例を説明する為の図である。
【図２５】本形態で制御対象となるＵＩ部に対する表示制御例を説明する為の図である。
【図２６】本形態で制御対象となる印刷システム１０００の更なるシステム構成例を示す図である。
【図２７】本形態の大容量スタッカに関する構成を説明する為の図である。
【図２８】本形態の大容量スタッカに関する構成を説明する為の図である。
【図２９】本形態の実施例を説明するための図である。
【図３０】本形態の実施例を説明するための図である。
【図３１】本形態の実施例を説明するための図である。
【図３２】本形態の実施例を説明するための図である。
【図３３】本形態のシフト処理に関する制御を説明する為の図である。
【図３４】本形態のシフト処理に関する制御を説明する為の図である。
【図３５】本形態のシフト処理に関する制御を説明する為の図である。
【図３６】本形態のシフト処理に関する制御を説明する為の図である。
【図３７】本形態の制御に用いる管理テーブルを説明するための図である。
【図３８】本形態におけるシフト処理に関する制御を説明する為のフロー図である。
【図３９】本形態におけるシフト処理に関する制御を説明する為のフロー図である。
【図４０】本形態の制御に用いる管理テーブルを説明するための図である。
【図４１】本形態におけるシフト処理に関する制御を説明する為のフロー図である。
【図４２】本形態で制御対象となるＵＩ部に対する表示制御例を説明する為の図である。
【図４３】本形態で制御対象となるＵＩ部に対する表示制御例を説明する為の図である。
【図４４】本形態で制御対象となるＵＩ部に対する表示制御例を説明する為の図である。
【図４５】本形態で制御対象となるＵＩ部に対する表示制御例を説明する為の図である。
【図４６】本形態で制御対象となるＵＩ部に対する表示制御例を説明する為の図である。
【図４７】本形態のシフト処理に関する制御を説明する為の図である。
【図４８】本形態におけるシフト処理に関する制御を説明する為のフロー図である。
【図４９】本形態のシフト処理に関する制御を説明する為の図である。
【図５０】本形態のシフト処理に関する制御を説明する為の図である。
【図５１】本形態におけるシフト処理に関する制御を説明する為のフロー図である。
【図５２】本形態の実施例を説明する為の図である。
【図５３】本形態で制御対象となるＵＩ部に対する表示制御例を説明する為の図である。
【図５４】本形態で制御対象となるＵＩ部に対する表示制御例を説明する為の図である。
【図５５】本形態で制御対象となるＵＩ部に対する表示制御例を説明する為の図である。
【符号の説明】
【０６５２】
１００  印刷装置
２００  シート処理装置
２０３  プリンタ部
２０４  操作部
２０５  コントローラ部
２０７  ＲＯＭ
２０９  ＨＤＤ
【図１】
2008150204.tif 000003
【図２】
2008150204.tif 000004
【図３】
2008150204.tif 000005
【図４】
2008150204.tif 000006
【図５】
2008150204.tif 000007
【図６】
2008150204.tif 000008
【図７】
2008150204.tif 000009
【図８】
2008150204.tif 000010
【図９】
2008150204.tif 000011
【図１０】
2008150204.tif 000012
【図１１】
2008150204.tif 000013
【図１２】
2008150204.tif 000014
【図１３】
2008150204.tif 000015
【図１４】
2008150204.tif 000016
【図１５】
2008150204.tif 000017
【図１６】
2008150204.tif 000018
【図１７】
2008150204.tif 000019
【図１８】
2008150204.tif 000020
【図１９】
2008150204.tif 000021
【図２０】
2008150204.tif 000022
【図２１】
2008150204.tif 000023
【図２２】
2008150204.tif 000024
【図２３】
2008150204.tif 000025
【図２４】
2008150204.tif 000026
【図２５】
2008150204.tif 000027
【図２６】
2008150204.tif 000028
【図２７】
2008150204.tif 000029
【図２８】
2008150204.tif 000030
【図２９】
2008150204.tif 000031
【図３０】
2008150204.tif 000032
【図３１】
2008150204.tif 000033
【図３２】
2008150204.tif 000034
【図３３】
2008150204.tif 000035
【図３４】
2008150204.tif 000036
【図３５】
2008150204.tif 000037
【図３６】
2008150204.tif 000038
【図３７】
2008150204.tif 000039
【図３８】
2008150204.tif 000040
【図３９】
2008150204.tif 000041
【図４０】
2008150204.tif 000042
【図４１】
2008150204.tif 000043
【図４２】
2008150204.tif 000044
【図４３】
2008150204.tif 000045
【図４４】
2008150204.tif 000046
【図４５】
2008150204.tif 000047
【図４６】
2008150204.tif 000048
【図４７】
2008150204.tif 000049
【図４８】
2008150204.tif 000050
【図４９】
2008150204.tif 000051
【図５０】
2008150204.tif 000052
【図５１】
2008150204.tif 000053
【図５２】
2008150204.tif 000054
【図５３】
2008150204.tif 000055
【図５４】
2008150204.tif 000056
【図５５】
2008150204.tif 000057